(57)【要約】  アダプターは、カメラボディを着脱可能な第１マウント部と、第１マウント部とは別に設けられており、交換レンズを着脱可能な第２マウント部と、第２マウント部に装着された交換レンズに対して給電するレンズ系電源系統の供給電圧を生成する電源部と、を備え、電源部は、搭載している電池からの給電系統によりレンズ系電源系統の供給電圧を生成する。
2013039142.tif 000002
【特許請求の範囲】
【請求項１】
カメラボディを着脱可能な第１マウント部と、
前記第１マウント部とは別に設けられており、交換レンズを着脱可能な第２マウント部と、
前記第２マウント部に装着された前記交換レンズに対して給電するレンズ系電源系統の供給電圧を生成する電源部と、を備え、
前記電源部は、搭載している電池からの給電系統により前記レンズ系電源系統の供給電圧を生成することを特徴とするアダプター。
【請求項２】
前記電源部は、
前記第１マウント部に装着された前記カメラボディからの電源系統および前記電池からの給電系統のうちの何れかから、前記レンズ系電源系統の供給電圧を生成することを特徴とする請求項１に記載のアダプター。
【請求項３】
前記電源部は、
前記カメラボディからの電源系統により前記レンズ系電源系統の供給電圧を生成するとともに、前記カメラボディからの電源系統により給電される電圧が所定の電圧よりも低下した場合、前記電池からの給電系統により前記レンズ系電源系統の供給電圧を生成することを特徴とする請求項１または請求項２に記載のアダプター。
【請求項４】
前記カメラボディからの電源系統は、第１電源系統および前記第１電源系統に比して供給可能な電力が大きい第２電源系統を含むことを特徴とする請求項２または請求項３に記載のアダプター。
【請求項５】
前記電源部は、
前記レンズ系電源系統として第３電源系統および第４電源系統の供給電圧をそれぞれ生成し、
前記第３電源系統からの給電は、前記交換レンズが備える光学系を駆動するための電圧として、前記交換レンズ内の光学系駆動部に供給され、
前記第４電源系統からの給電は、前記光学系駆動部を制御するための電圧として、前記交換レンズ内のレンズ制御部に供給されることを特徴とする請求項４に記載のアダプター。
【請求項６】
前記電源部は、
前記第２電源系統から前記第３電源系統および前記第４電源系統の供給電圧をそれぞれ生成するとともに、前記第２電源系統から給電される電圧が所定の電圧よりも低下した場合、前記電池からの給電系統により前記第４電源系統の供給電圧を生成することを特徴とする請求項５に記載のアダプター。
【請求項７】
前記アダプターにおいて実行する処理を制御するアダプター制御部を備え、
前記アダプター制御部には前記第１電源系統から給電されることを特徴とする請求項４から請求項６の何れか１項に記載のアダプター。
【請求項８】
前記電源部は、
前記電池からの給電系統により前記アダプター制御部に給電する第６電源系統の供給電圧を生成し、
前記アダプター制御部には前記第６電源系統から給電されることを特徴とする請求項７に記載のアダプター。
【請求項９】
前記第１電源系統から前記アダプター制御部に給電されている場合、且つ前記第１電源系統から給電される電圧が所定の電圧より低下した場合、
前記電源部は、
前記電池からの給電系統により前記第６電源系統の供給電圧を生成することを特徴とする請求項７または請求項８に記載のアダプター。
【請求項１０】
前記アダプターにおいて実行する処理を制御するアダプター制御部を備え、
前記電源部は、
前記第２電源系統および前記電池からの給電系統のうちの何れかから前記アダプター制御部に給電する第６電源系統の供給電圧を生成することを特徴とする請求項４から請求項６の何れか１項に記載のアダプター。
【請求項１１】
前記電源部は、
前記第２電源系統から前記第６電源系統の供給電圧を生成するとともに、前記第２電源系統から給電される電圧が所定の電圧より低下した場合、前記電池からの給電系統により第６電源系統の供給電圧を生成することを特徴とする請求項１０に記載のアダプター。
【請求項１２】
前記第１電源系統から給電されて動作するアダプター制御部、を備え、
前記アダプター制御部は、
前記第１電源系統からの給電を受けた後で、前記電池からの給電系統により前記電源部に生成させた前記レンズ系電源系統の電圧を前記交換レンズに供給させることを特徴とする請求項４から請求項９の何れか１項に記載のアダプター。
【請求項１３】
前記アダプター制御部は、
前記第１電源系統からの給電を受けた後で、前記第２電源系統からの給電開始を要求する第２電源系統要求信号を前記カメラボディに送信するとともに、前記電池からの給電系統により前記電源部に生成させた前記レンズ系電源系統の電圧を前記交換レンズに供給させることを特徴とする請求項１２の何れか１項に記載のアダプター。
【請求項１４】
前記電源部は、
前記レンズ系電源系統として第３電源系統および第４電源系統の供給電圧を生成し、
前記第３電源系統からの給電は、前記交換レンズが備える光学系を駆動するための電圧として、前記交換レンズ内の光学系駆動部に供給され、
前記第４電源系統からの給電は、前記光学系駆動部を制御するための電圧として、前記交換レンズ内のレンズ制御部に供給され、
前記アダプター制御部は、
前記第１電源系統からの給電を受けた後で、前記電池からの給電系統により前記電源部に生成させた前記第４電源系統の電圧を前記交換レンズに供給させることを特徴とする請求項１２または請求項１３に記載のアダプター。
【請求項１５】
前記カメラボディの動作モードが、第１動作モードから、前記第１動作モードに比して消費電力が少ない第２動作モードに遷移される場合において、
前記第２電源系統からの給電が停止され、
前記アダプター制御部は、
前記電池からの給電系統により前記電源部に生成させた前記第４電源系統の前記交換レンズに対する給電を継続させることを特徴とする請求項１２から請求項１４の何れか１項に記載のアダプター。
【請求項１６】
前記動作モードが前記第１動作モードから前記第２動作モードに遷移した場合、
前記アダプター制御部は、
前記電池からの給電系統により前記電源部に生成させた前記第４電源系統の前記交換レンズに対する給電を予め定められた期間継続させることを特徴とする請求項１５に記載のアダプター。
【請求項１７】
前記第１動作モードは、撮影処理を行うことが可能な動作モードであって、
前記第２動作モードは、前記第１動作モードに比して消費電力を低減させた、前記撮影処理を行うことが不可能な動作モードであることを特徴とする請求項１５または請求項１６に記載のアダプター。
【請求項１８】
前記電池は、２次電池であることを特徴とする請求項１から請求項１７の何れか１項に記載のアダプター。
【請求項１９】
前記２次電池は、
前記第１マウント部に装着された前記カメラボディの電源系統からの給電により、充電されることを特徴とする請求項１８に記載のアダプター。
【請求項２０】
非接触充電により電力供給が可能な充電器からの電力を受電可能な受電部と、
前記受電部により受電された電力からの前記２次電池への充電を制御する充電制御部と、
を備えることを特徴とする請求項１８または請求項１９に記載のアダプター。
【請求項２１】
前記アダプターが備える筐体には、撮影用設置台に対して取り付け可能な取付座、が備えられており、
前記受電部の少なくとも一部は、前記第１マウント部および第２マウント部の位置に対して前記取付座側となる位置に設けられていることを特徴とする請求項２０に記載のアダプター。
【請求項２２】
前記受電部は、
充電器に内蔵された１次コイルと磁気結合して電磁誘導による電力を生じる２次コイル、
を備えることを特徴とする請求項２０または請求項２１に記載のアダプター。
【請求項２３】
前記アダプターが備える筐体には、撮影用設置台に対して取り付け可能な取付座、が備えられており、
前記２次コイルは、
前記取付座の前記撮影用設置台に対して取り付けられる筐体面に垂直な軸を中心とした周方向に巻かれた巻き線を有していることを特徴とする請求項２２に記載のアダプター。
【請求項２４】
前記取付座には、前記撮影用設置台が有する取り付け用ネジと勘合可能なネジ穴が備えられており、
前記２次コイルは、
前記ネジ穴を中心とした周方向に巻かれた巻き線を有していることを特徴とする請求項２２または請求項２３の何れか１項に記載のアダプター。
【請求項２５】
前記２次コイルは、
前記取付座の前記撮影用設置台に対して取り付けられる筐体面に平行な面に沿った方向に巻かれた巻き線を有していることを特徴とする請求項２２から請求項２４の何れか１項に記載のアダプター。
【請求項２６】
前記２次コイルは、
前記第２マウント部に装着された前記交換レンズから前記第１マウント部に装着された前記カメラボディに入射される被写体光の光軸に平行な軸を中心とした周方向に巻かれた巻き線を有していることを特徴とする請求項２２から請求項２５の何れか１項に記載のアダプター。
【請求項２７】
前記２次コイルは、
前記第１マウント部と前記第２マウント部との間を接続する筐体であり前記光軸の周囲を覆う筐体に配置されていることを特徴とする請求項２２から請求項２６の何れか１項に記載のアダプター。
【請求項２８】
前記アダプターの筐体において、前記２次コイルの近傍の少なくとも一部が、磁束を透過する筐体であることを特徴とする請求項２２から請求項２７の何れか１項に記載のアダプター。
【請求項２９】
前記アダプターに搭載されている前記２次電池への充電制御状態を報知する報知部、
を備えることを特徴とする請求項２０から請求項２８の何れか１項に記載のアダプター。
【請求項３０】
前記アダプターが備える筐体には、撮影用設置台に対して取り付け可能な取付座、が備えられており、
前記報知部の少なくとも一部は、前記第１マウント部および第２マウント部の位置に対して前記取付座側となる位置に設けられていることを特徴とする請求項２９に記載のアダプター。
【請求項３１】
前記カメラボディとの間で通信可能な第１通信部と、
前記２次電池への充電制御状態が充電中であるか否かを検出し、検出した充電制御状態に基づいて前記第１通信部の動作状態を制御するアダプター制御部と、を備え、
前記アダプター制御部は、
前記２次電池への充電制御状態が充電中であると検出した場合に、前記第１通信部の動作状態を、通信処理を行うことが可能な動作状態に比して消費電力を低減させた、前記通信処理を行うことが不可能な動作状態に制御することを特徴とする請求項２０から請求項３０の何れか１項に記載のアダプター。
【請求項３２】
前記アダプター制御部は、
前記２次電池への充電制御状態が充電中の状態から非充電中の状態になったと検出した場合に、前記第１通信部の動作状態を、通信処理を行うことが可能な動作状態に制御することを特徴とする請求項３１に記載のアダプター。
【請求項３３】
前記交換レンズとの間で通信可能な第２通信部、を備え、
前記アダプター制御部は、
前記２次電池への充電制御状態が充電中であると検出した場合に、前記第２通信部の動作状態を、通信処理を行うことが可能な動作状態に比して消費電力を低減させた、前記通信処理を行うことが不可能な動作状態に制御することを特徴とする請求項３１または請求項３２に記載のアダプター。
【請求項３４】
前記アダプター制御部は、
前記受電部が受電中の状態であるか否かを検出し、前記検出結果に基づいて前記受電部が受電中の状態から非受電中の状態になったと検出した場合に、前記第２通信部の動作状態を、通信処理を行うことが可能な動作状態に制御することを特徴とする請求項３３に記載のアダプター。
【請求項３５】
前記電池は、１次電池であることを特徴とする請求項１から請求項１７の何れか１項に記載のアダプター。
【請求項３６】
請求項１から請求項３５の何れか１項に記載のアダプターと、
前記第１マウントに装着された前記カメラボディと、
前記第２マウントに装着された前記交換レンズと、
を備えることを特徴とするカメラシステム。
【請求項３７】
カメラボディを装着可能な第１マウント部と、前記第１マウントとは別に設けられ、交換レンズを装着可能な第２マウント部とを備えるアダプター内のアダプター制御部の動作を制御するアダプター制御プログラムであって、
前記カメラボディの第１電源系統および前記第１電源系統に比して供給可能な電力が大きい第２電源系統のうちの前記第１電源系統の電力が供給されて動作するステップと、
前記アダプターが搭載している電池からの給電系統により前記交換レンズに給電するレンズ系電源系統の供給電圧を生成するステップと、
前記第１電源系統からの給電を受けた後で、前記電池からの給電系統により生成した前記レンズ系電源系統の電圧を前記交換レンズに供給するステップと、を含むことを特徴とするアダプター制御プログラム。
【請求項３８】
カメラボディを装着可能な第１マウント部と、
前記第１マウントとは別に設けられ、交換レンズを装着可能な第２マウント部と、
前記カメラボディの第１電源系統および前記第１電源系統に比して供給可能な電力が大きい第２電源系統から、前記交換レンズに給電するレンズ系電源系統の電圧を生成する電源部と、を備え、
前記電源部は、
前記レンズ系電源系統の電圧として、
前記交換レンズが備える第１負荷部および前記第１負荷部の消費電力に比して消費電力が少ない第２負荷部のうちの前記第１負荷部に給電する第３電源系統の電圧を前記第２電源系統から生成するとともに、前記第２負荷部に給電する第４電源系統の電圧を前記第１電源系統から生成することを特徴とするアダプター。
【請求項３９】
前記アダプターにおいて実行する処理を制御するアダプター制御部を備え、
前記電源部は、
前記第２電源系統から前記アダプター制御部に給電する第６電源系統の供給電圧を生成することを特徴とする請求項３８に記載のアダプター。
【請求項４０】
前記第６電源系統の供給可能な給電量が、前記第４電源系統の供給可能な給電量に比して多いことを特徴とする請求項３９に記載のアダプター。
【請求項４１】
前記アダプター制御部は、
前記第１電源系統からの給電を受けた後で、前記第２電源系統からの給電開始を要求する第２電源系統要求信号を前記カメラボディに送信する
ことを特徴とする請求項３９または請求項４０に記載のアダプター。
【請求項４２】
前記アダプター制御部は、
前記第２電源系統要求信号に応じて前記カメラボディから供給された前記第２電源系統の電圧から、前記第６電源系統の電圧を前記電源部に生成させることを特徴とする請求項３９から請求項４１の何れか１項に記載のアダプター。
【請求項４３】
前記アダプター制御部は、
前記第２電源系統からの給電が開始されたことに応じて前記電源部により生成された前記第６電源系統からの給電を受けた後で、（前記第１電源系統の電圧から）前記第４電源系統の電圧を前記電源部に生成させて前記交換レンズに対して供給させることを特徴とする請求項３９から請求項４２の何れか１項に記載のアダプター。
【請求項４４】
前記アダプター制御部は、
少なくとも前記カメラボディとの間で通信処理を実行可能な第３負荷部、を備え、
前記第３負荷部には、前記前記第１電源系統から給電されるとともに、前記アダプター制御部において前記第３負荷部と異なる第４負荷部には、前記第６電源系統から給電されることを特徴とする請求項３９から請求項４３の何れか１項に記載のアダプター。
【請求項４５】
前記第２電源系統の電圧から前記第６電源系統の電圧が生成されたことに応じて、前記アダプター制御部に給電される電源系統が、前記第１電源系統から前記第６電源系統に切替わることを特徴とする請求項３９から請求項４４の何れか１項に記載のアダプター。
【請求項４６】
前記アダプター制御部は、
前記第４電源系統からの電圧を前記交換レンズに供給させた後で、（前記第２電源系統の電圧から）前記第３電源系統の電圧を前記電源部に生成させて前記交換レンズに対して供給させることを特徴とする請求項３９から請求項４５の何れか１項に記載のアダプター。
【請求項４７】
前記アダプター制御部は、
前記交換レンズに前記第４電源系統の電圧が供給されたことに応じて、前記第３電源系統の電圧の供給開始を要求することを示す第３電源系統要求信号を前記交換レンズから受信した場合、前記第３電源系統の電圧を前記電源部に生成させて前記交換レンズに対して供給させることを特徴とする請求項３９から請求項４６の何れか１項に記載のアダプター。
【請求項４８】
前記電源部は、前記第１電源系統の供給電圧から昇圧して前記第４電源系統の電圧を生成する昇圧部、を備えることを特徴とする請求項３８から請求項４７の何れか１項に記載のアダプター。
【請求項４９】
前記第１負荷部には、前記交換レンズが備える光学系を駆動する光学系駆動部が含まれ、
前記第２負荷部には、前記光学系駆動部を制御するレンズ制御部が含まれることを特徴とする請求項３８から請求項４８の何れか１項に記載のアダプター。
【請求項５０】
前記交換レンズが備える絞りの絞り値に応じた位置に移動する絞り連動機構部と、
前記絞り連動機構部の位置を移動させる絞り連動機構駆動部と、
を備え、
前記電源部は、
前記第２電源系統から前記絞り連動機構駆動部に給電する第５電源系統の供給電圧を生成することを特徴とする請求項３８から請求項４９の何れか１項に記載のアダプター。
【請求項５１】
請求項３８から請求項５０の何れか１項に記載のアダプターと、
前記第１マウントに装着された前記カメラボディと、
前記第２マウントに装着された前記交換レンズと、
を備えることを特徴とするカメラシステム。
【請求項５２】
カメラボディを着脱可能な第１マウント部と、
前記第１マウント部とは別に設けられており、交換レンズを着脱可能な第２マウント部と、
前記第１マウント部に装着された前記カメラボディの第１電源系統および前記第１電源系統に比して供給可能な電力が大きい第２電源系統の両方の電源系統から、前記第２マウント部に装着された前記交換レンズに対して給電する第３電源系統および第４電源系統のうちの少なくとも何れかの電源系統の供給電圧を生成する電源部と、を備えることを特徴とするアダプター。
【請求項５３】
前記電源部は、
前記第１電源系統および前記第２電源系統の両方の電源系統からそれぞれ給電される電力量を合わせて、前記第３電源系統および第４電源系統のうちの少なくとも何れかの電源系統の供給電圧を生成して前記交換レンズに対して給電することを特徴とする請求項５２に記載のアダプター。
【請求項５４】
前記第３電源系統から給電される負荷における消費電力が、前記第４電源系統から給電される負荷における消費電力に比して多いことを特徴とする請求項５２または請求項５３に記載のアダプター。
【請求項５５】
前記第３電源系統からの給電は、前記交換レンズが備える光学系を駆動するための電圧として、前記交換レンズ内の光学系駆動部に供給され、
前記第４電源系統からの給電は、前記光学系駆動部を制御するための電圧として、前記交換レンズ内のレンズ制御部に供給されることを特徴とする請求項５２から請求項５４の何れか１項に記載のアダプター。
【請求項５６】
前記電源部は、
前記第１電源系統および前記第２電源系統の両方の電源系統から、前記第４電源系統の供給電圧を生成することを特徴とする請求項５２から請求項５５の何れか１項に記載のアダプター。
【請求項５７】
前記電源部は、
前記第２電源系統の電圧が予め定められた所定の電圧より低下した場合、前記第１電源系統のみから前記第４電源系統の供給電圧を生成することを特徴とする請求項５２から請求項５７の何れか１項に記載のアダプター。
【請求項５８】
前記カメラボディの動作モードが、第１動作モードから、前記第１動作モードに比して消費電力が少ない第２動作モードに遷移される場合において、前記カメラボディからの前記第２電源系統の給電が停止されるとともに、前記第１電源系統の給電が継続され、
前記電源部は、
前記第１電源系統のみから前記第４電源系統の供給電圧を生成することを特徴とする請求項５２から請求項５７の何れか１項に記載のアダプター。
【請求項５９】
前記電源部は、
前記第２電源系統から、前記第３電源系統の供給電圧を生成することを特徴とする請求項５２から請求項５８の何れか１項に記載のアダプター。
【請求項６０】
前記電源部は、
前記第１電源系統および前記第２電源系統の両方の電源系統から、前記第３電源系統の供給電圧を生成することを特徴とする請求項５２から請求項５９の何れか１項に記載のアダプター。
【請求項６１】
前記交換レンズが備える絞りの絞り値に応じた位置に移動する絞り連動機構部と、
前記絞り連動機構部の位置を移動させる絞り連動機構駆動部と、
を備え、
前記電源部は、
前記第１電源系統および前記第２電源系統の両方の電源系統から、前記絞り連動機構駆動部に対して給電する第５電源系統の供給電圧を生成することを特徴とする請求項５２から請求項６０の何れか１項に記載のアダプター。
【請求項６２】
前記アダプターにおいて実行される処理を制御するアダプター制御部、を備え、
前記アダプター制御部には前記第１電源系統から給電されることを特徴とする請求項５２から請求項６１の何れか１項に記載のアダプター。
【請求項６３】
前記電源部は、
前記第１電源系統および前記第２電源系統の両方の電源系統から、前記アダプター制御部に対して給電する第６電源系統の供給電圧を生成することを特徴とする請求項５２から請求項６２の何れか１項に記載のアダプター。
【請求項６４】
請求項５２から請求項６２の何れか１項に記載のアダプターと、
前記第１マウントに装着された前記カメラボディと、
前記第２マウントに装着された前記交換レンズと、を備えることを特徴とするカメラシステム。
【請求項６５】
カメラボディを装着可能な第１マウント部と、
前記第１マウントとは別に設けられ、交換レンズを装着可能な第２マウント部と、
前記カメラボディの第１電源系統および前記第１電源系統に比して供給可能な電力が大きい第２電源系統のうちの前記第２電源系統から、前記交換レンズが備える第１負荷部および前記第１負荷部の消費電力に比して消費電力が少ない第２負荷部のうちの前記第１負荷部に給電する第３電源系統の電圧を生成するとともに、前記第１電源系統から、前記第２負荷部に給電する第４電源系統の電圧を生成する電源部と、
前記カメラボディの第１電源系統から給電されて動作する前記アダプター制御部と、
を備え、
前記アダプター制御部は、
前記第１電源系統からの給電を受けた後で、前記第２電源系統からの給電開始を要求する第２電源系統要求信号を前記カメラボディに送信するとともに、前記第１電源系統から前記第４電源系統の電圧を前記電源部に生成させることを特徴とするアダプター。
【請求項６６】
前記アダプター制御部は、
前記第１電源系統から前記第４電源系統の電圧を前記電源部に生成させた後で、前記第２電源系統からの給電開始を要求する第２電源系統要求信号を前記カメラボディに送信することを特徴とする請求項６５に記載のアダプター。
【請求項６７】
前記アダプター制御部は、
前記第２電源系統要求信号に応じて前記カメラボディから供給された前記第２電源系統の電圧から、前記第３電源系統の電圧を前記電源部に生成させることを特徴とする請求項６６に記載のアダプター。
【請求項６８】
前記電源部は、
前記第１電源系統の電圧から昇圧して前記第４電源系統の電圧を生成する昇圧部、を備えることを特徴とする請求項６５から請求項６７の何れか１項に記載のアダプター。
【請求項６９】
前記アダプター制御部は、
前記第２電源系統からの給電が開始された後に、前記第３電源系統の電圧を前記電源部に生成させて前記交換レンズに供給させることを特徴とする請求項６５から請求項６８の何れか１項に記載のアダプター。
【請求項７０】
前記アダプター制御部は、
前記第４電源系統からの電圧を前記交換レンズに供給させた後で、前記第３電源系統の電圧を前記電源部に生成させて前記交換レンズに供給させることを特徴とする請求項６５から請求項６９の何れか１項に記載のアダプター。
【請求項７１】
前記アダプター制御部は、
前記交換レンズに前記第４電源系統の電圧が供給されたことに応じて、前記第３電源系統の電圧の供給開始を要求することを示す第３電源系統要求信号を前記交換レンズから受信した場合、前記第３電源系統の電圧を前記電源部に生成させて前記交換レンズに対して供給させることを特徴とする請求項６５から請求項７０の何れか１項に記載のアダプター。
【請求項７２】
前記第１負荷部には、前記交換レンズが備える光学系を駆動する光学系駆動部が含まれ、
前記第２負荷部には、前記光学系駆動部を制御するレンズ制御部が含まれることを特徴とする請求項６５から請求項７１の何れか１項に記載のアダプター
【請求項７３】
前記カメラボディの動作モードが、第１動作モードから、前記第１動作モードに比して消費電力が少ない第２動作モードに遷移される場合において、前記第２電源系統からの給電が停止される
ことを特徴とする請求項６５から請求項７２の何れか１項に記載のアダプター。
【請求項７４】
前記動作モードが前記第１動作モードから前記第２動作モードに遷移した場合において、前記カメラボディからの前記第１電源系統の給電は継続されることを特徴とする請求項７３に記載のアダプター。
【請求項７５】
前記動作モードが前記第１動作モードから前記第２動作モードに遷移した場合、前記第１電源系統からの給電が予め定められた期間継続されることを特徴とする請求項７３または請求項７４に記載のアダプター。
【請求項７６】
前記動作モードが前記第１動作モードから前記第２動作モードに遷移した場合、
前記アダプター制御部は、
継続して給電される前記第１電源系統から、前記第４電源系統の電圧を前記電源部に生成させて前記交換レンズに供給させることを特徴とする請求項７４または請求項７５に記載のアダプター。
【請求項７７】
前記第１動作モードは、撮影処理を行うことが可能な動作モードであって、
前記第２動作モードは、前記第１動作モードに比して消費電力を低減させた、前記撮影処理を行うことが不可能な動作モードであることを特徴とする請求項７３から請求項７６に記載のアダプター。
【請求項７８】
請求項６５から請求項７２の何れか１項に記載のアダプターと、
前記第１マウント部に装着された前記カメラボディと、
前記第２マウント部に装着された前記交換レンズと、
を備えることを特徴とするカメラシステム。
【請求項７９】
カメラボディを装着可能な第１マウント部と、前記第１マウントとは別に設けられ、交換レンズを装着可能な第２マウント部とを備えるアダプター内のアダプター制御部の動作を制御するアダプター制御プログラムであって、
前記カメラボディの第１電源系統および前記第１電源系統に比して供給可能な電力が大きい第２電源系統のうちの前記第２電源系統から、前記交換レンズが備える第１負荷部および前記第１負荷部の消費電力に比して消費電力が少ない第２負荷部のうちの前記第１負荷部に給電する第３電源系統の電圧を生成するステップと、
前記第１電源系統から、前記第２負荷部に給電する第４電源系統の電圧を生成するステップと、
前記第１電源系統から給電されて動作するステップと、
前記第１電源系統からの給電を受けた後で、前記第２電源系統からの給電開始を要求する第２電源系統要求信号を前記カメラボディに送信するとともに、前記第１電源系統から前記第４電源系統の電圧を生成するステップと、を含むことを特徴とするアダプター制御プログラム。
【発明の詳細な説明】
【技術分野】
【０００１】
本発明は、アダプター、カメラシステム、およびアダプター制御プログラムに関する。
本願は、２０１１年９月１５日に出願された日本国特願２０１１−２０２０１８号、２０１１年９月１５日に出願された日本国特願２０１１−２０２０１５号、２０１１年９月１５日に出願された日本国特願２０１１−２０２０１４号、及び２０１１年９月１６日に出願された日本国特願２０１１−２０３０４０号に基づき優先権を主張し、その内容をここに援用する。
【背景技術】
【０００２】
カメラボディとカメラボディに着脱可能な交換レンズとを備えるレンズ交換式のカメラシステムがある（例えば、特許文献１参照）。
このレンズ交換式のカメラシステムにおいては、カメラボディに装着される交換レンズを変更することにより、様々な種類の光学系を介しての撮像が可能である。
【先行技術文献】
【特許文献】
【０００３】
【特許文献１】特開２００８−２７５８９０号公報
【発明の概要】
【発明が解決しようとする課題】
【０００４】
近年、デジタル方式のカメラシステムにおいては、従来よりもカメラボディのサイズが小型化された新しいレンズ交換式のカメラシステムが開発されている。
しかしながら、この新しいレンズ交換式のカメラシステムのカメラボディには、既存のカメラシステムの交換レンズを装着させて機能させることができない場合がある。
ところで、既存の交換レンズは、一般に広く普及している。そのため、新しいレンズ交換式のカメラシステムにおいて、様々な種類の光学系を介しての撮像を可能にするためには、既存の交換レンズも装着させて機能させることができるようになることが望まれている。【０００５】
本発明の態様の目的は、レンズ交換式のカメラシステムにおいて、様々な種類の光学系を適切に機能させることができるアダプター、カメラシステム、およびアダプター制御プログラムを提供することにある。
【課題を解決するための手段】
【０００６】
本発明の態様は、カメラボディを着脱可能な第１マウント部と、前記第１マウント部とは別に設けられており、交換レンズを着脱可能な第２マウント部と、前記第２マウント部に装着された前記交換レンズに対して給電するレンズ系電源系統の供給電圧を生成する電源部と、を備え、前記電源部は、搭載している電池からの給電系統により前記レンズ系電源系統の供給電圧を生成することを特徴とするアダプターである。
また、本発明の態様は、上記記載のアダプターと、前記第１マウント部に装着された前記カメラボディと、前記第２マウント部に装着された前記交換レンズと、を備えることを特徴とするカメラシステムである。
また、本発明の態様は、カメラボディを装着可能な第１マウント部と、前記第１マウントとは別に設けられ、交換レンズを装着可能な第２マウント部とを備えるアダプター内のアダプター制御部の動作を制御するアダプター制御プログラムであって、前記カメラボディの第１電源系統および前記第１電源系統に比して供給可能な電力が大きい第２電源系統のうちの前記第１電源系統の電力が供給されて動作するステップと、前記アダプターが搭載している電池からの給電系統により前記交換レンズに給電するレンズ系電源系統の供給電圧を生成するステップと、前記第１電源系統からの給電を受けた後で、前記電池からの給電系統により生成した前記レンズ系電源系統の電圧を前記交換レンズに供給するステップと、を含むことを特徴とするアダプター制御プログラムである。【０００７】
また、本発明の別の態様は、カメラボディを装着可能な第１マウント部と、前記第１マウントとは別に設けられ、交換レンズを装着可能な第２マウント部と、前記カメラボディの第１電源系統および前記第１電源系統に比して供給可能な電力が大きい第２電源系統から、前記交換レンズに給電するレンズ系電源系統の電圧を生成する電源部と、を備え、前記電源部は、前記レンズ系電源系統の電圧として、前記交換レンズが備える第１負荷部および前記第１負荷部の消費電力に比して消費電力が少ない第２負荷部のうちの前記第１負荷部に給電する第３電源系統の電圧を前記第２電源系統から生成するとともに、前記第２負荷部に給電する第４電源系統の電圧を前記第１電源系統から生成することを特徴とするアダプターである。
また、本発明の別の態様は、上記記載のアダプターと、前記第１マウント部に装着された前記カメラボディと、前記第２マウント部に装着された前記交換レンズと、を備えることを特徴とするカメラシステムである。【０００８】
本発明の別の態様は、カメラボディを着脱可能な第１マウント部と、前記第１マウント部とは別に設けられており、交換レンズを着脱可能な第２マウント部と、前記第１マウント部に装着された前記カメラボディの第１電源系統および前記第１電源系統に比して供給可能な電力が大きい第２電源系統の両方の電源系統から、前記第２マウント部に装着された前記交換レンズに対して給電する第３電源系統および第４電源系統のうちの少なくとも何れかの電源系統の供給電圧を生成する電源部と、を備えることを特徴とするアダプターである。
また、本発明の別の態様は、上記記載のアダプターと、前記第１マウントに装着された前記カメラボディと、前記第２マウントに装着された前記交換レンズと、を備えることを特徴とするカメラシステムである。【０００９】
また、本発明の別の態様は、カメラボディを装着可能な第１マウント部と、前記第１マウントとは別に設けられ、交換レンズを装着可能な第２マウント部と、前記カメラボディの第１電源系統および前記第１電源系統に比して供給可能な電力が大きい第２電源系統のうちの前記第２電源系統から、前記交換レンズが備える第１負荷部および前記第１負荷部の消費電力に比して消費電力が少ない第２負荷部のうちの前記第１負荷部に給電する第３電源系統の電圧を生成するとともに、前記第１電源系統から、前記第２負荷部に給電する第４電源系統の電圧を生成する電源部と、前記カメラボディの第１電源系統から給電されて動作する前記アダプター制御部と、を備え、前記アダプター制御部は、前記第１電源系統からの給電を受けた後で、前記第２電源系統からの給電開始を要求する第２電源系統要求信号を前記カメラボディに送信するとともに、前記第１電源系統から前記第４電源系統の電圧を前記電源部に生成させることを特徴とするアダプターである。
また、本発明の別の態様は、上記記載のアダプターと、前記第１マウント部に装着された前記カメラボディと、前記第２マウント部に装着された前記交換レンズと、を備えることを特徴とするカメラシステムである。
また、本発明の別の態様は、カメラボディを装着可能な第１マウント部と、前記第１マウントとは別に設けられ、交換レンズを装着可能な第２マウント部とを備えるアダプター内のアダプター制御部の動作を制御するアダプター制御プログラムであって、前記カメラボディの第１電源系統および前記第１電源系統に比して供給可能な電力が大きい第２電源系統のうちの前記第２電源系統から、前記交換レンズが備える第１負荷部および前記第１負荷部の消費電力に比して消費電力が少ない第２負荷部のうちの前記第１負荷部に給電する第３電源系統の電圧を生成するステップと、前記第１電源系統から、前記第２負荷部に給電する第４電源系統の電圧を生成するステップと、前記第１電源系統から給電されて動作するステップと、前記第１電源系統からの給電を受けた後で、前記第２電源系統からの給電開始を要求する第２電源系統要求信号を前記カメラボディに送信するとともに、前記第１電源系統から前記第４電源系統の電圧を生成するステップと、を含むことを特徴とするアダプター制御プログラムである。
【発明の効果】
【００１０】
この発明の態様によれば、レンズ交換式のカメラシステムにおいて、様々な種類の光学系を適切に機能させることができる。
【図面の簡単な説明】
【００１１】
【図１】第１実施形態によるカメラシステムの構成を示す斜視図である。
【図２】第１実施形態によるアダプターの構成の一例を示す斜視図である。
【図３】第１実施形態によるカメラシステムの構成の第１の例を示す概略ブロック図である。
【図４】第１実施形態によるアダプター電源部における電源系統の構成の一例を示す概略ブロック図である。
【図５】第１実施形態によるアダプター電源部における電源系統の構成の一例を示す概略ブロック図である。
【図６】第１実施形態によるカメラシステムの構成の第２の例を示す概略ブロック図である。
【図７】第１実施形態によるカメラシステムの構成の第３の例を示す概略ブロック図である。
【図８】第１実施形態による交換レンズに係る処理の状態遷移の概要を示すフローチャートである。
【図９】第１実施形態によるレンズ起動処理の処理シーケンスの第１の例を示す図である。
【図１０】第１実施形態によるレンズ起動処理の処理シーケンスの第２の例を示す図である。
【図１１】第１実施形態による電源遮断処理およびスリープ処理の処理シーケンスの一例を示す図である。
【図１２】第２実施形態によるアダプター電源部における電源系統の構成の一例を示す概略ブロック図である。
【図１３】第３実施形態によるアダプター電源部における電源系統の構成の一例を示す概略ブロック図である。
【図１４】第４実施形態によるアダプター電源部における電源系統の構成の一例を示す概略ブロック図である。
【図１５】第５実施形態による非接触充電の構成の一例を示す概略ブロック図である。
【図１６Ａ】第５実施形態によるアダプターにおける２次コイルの配置の第１の例を示す図である。
【図１６Ｂ】第５実施形態によるアダプターにおける２次コイルの配置の第１の例を示す図である。
【図１７Ａ】第５実施形態によるアダプターにおける２次コイルの配置の第２の例を示す図である。
【図１７Ｂ】第５実施形態によるアダプターにおける２次コイルの配置の第２の例を示す図である。
【図１８Ａ】充電パッドの例を説明する斜視図である。
【図１８Ｂ】充電パッド、および充電のために充電パッドの上にアダプターが載置されている状態の例を説明する斜視図である。
【図１８Ｃ】充電パッド、および充電のために充電パッドの上にアダプターが載置されている状態の例を説明する斜視図である。
【図１９】第６実施形態によるカメラシステムの概略構成の一例を示す図である。
【図２０】第６実施形態によるカメラシステムが充電装置に設置されている状態を示すブロック図である。
【図２１】アダプターの概要を示す図である。
【図２２】非接触充電方式による充電処理の一例を示すフローチャートである。
【図２３】第７実施形態によるカメラシステムの構成の第１の例を示す概略ブロック図である。
【図２４】第７実施形態によるアダプター電源部および電源系統の構成の一例を示す概略ブロック図である。
【図２５】第７実施形態によるカメラシステムの構成の第２の例を示す概略ブロック図である。
【図２６】第７実施形態によるカメラシステムの構成の第３の例を示す概略ブロック図である。
【図２７】第７実施形態によるカメラシステムの構成の第４の例を示す概略ブロック図である。
【図２８】第７実施形態によるレンズ起動処理の処理シーケンスの一例を示す図である。
【図２９】第８実施形態によるカメラシステムの構成の第１の例を示す概略ブロック図である。
【図３０】第８実施形態によるアダプター電源部の構成の第１の例を示す概略ブロック図である。
【図３１】第８実施形態による電力加算変換部の構成の一例を示す概略ブロック図である。
【図３２】第８実施形態によるレンズ起動処理の処理シーケンスの一例を示す図である。
【図３３】第８実施形態による電源遮断処理およびスリープ処理の処理シーケンスの一例を示す図である。
【図３４】第８実施形態によるアダプター電源部の構成の第２の例を示す概略ブロック図である。
【図３５】第８実施形態によるアダプター電源部の構成の第３の例を示す概略ブロック図である。
【図３６】第８実施形態によるアダプター電源部の構成の第４の例を示す概略ブロック図である。
【図３７】第９実施形態によるカメラシステムの構成の第１の例を示す概略ブロック図である。
【図３８】第９実施形態によるアダプター電源部および電源系統の構成の一例を示す概略ブロック図である。
【図３９】第９実施形態によるカメラシステムの構成の第２の例を示す概略ブロック図である。
【図４０】第９実施形態によるカメラシステムの構成の第３の例を示す概略ブロック図である。
【図４１】第９実施形態によるレンズ起動処理の処理シーケンスの第１の例を示す図である。
【図４２】第９実施形態によるレンズ起動処理の処理シーケンスの第２の例を示す図である。
【図４３】第９実施形態による電源遮断処理およびスリープ処理の処理シーケンスの一例を示す図である。
【発明を実施するための形態】
【００１２】
＜第１実施形態＞
以下、図面を参照して、本発明の実施の形態について説明する。
図１は、この発明の第１実施形態によるカメラシステム１の構成を示す斜視図である。
図１に示すカメラシステム１は、レンズ交換式のカメラシステムであり、カメラボディ１００と、交換レンズ２００と、カメラボディ１００と交換レンズ２００との間に設けられ、カメラボディ１００と交換レンズ２００とに対してそれぞれ着脱可能に固定されるアダプター３００と、を備えている。
この図において、アダプター３００は、カメラボディ１００に装着されている。また、交換レンズ２００は、アダプター３００を介してカメラボディ１００に装着されている。
【００１３】
このカメラシステム１において、カメラボディ１００が備えているレンズマウントであるカメラボディ側マウント１０１の仕様と、交換レンズ２００が備えているレンズマウントであるレンズ側マウント２０１の仕様とは、互いに異なる仕様である。例えば、カメラボディ側マウント１０１の仕様とレンズ側マウント２０１の仕様とでは、マウント形状の仕様、電気的に接続される接続端子の仕様が互いに異なる。また、前記接続端子を介して通信される通信規格や通信データの種類等も互いに異なる。そのため、交換レンズ２００をカメラボディ１００に直接装着することはできない。
そこで、アダプター３００は、カメラボディ１００と交換レンズ２００とを間接的に装着可能にするマウントアダプターとして構成されている。さらに、アダプター３００は、互いに異なる通信規格や通信データの種類を持つカメラボディ１００と交換レンズ２００との間で、それら通信規格等を変更すること無く、両者間の通信を可能とするように構成されている。
また、カメラボディ１００は、電源釦１３１と、レリーズ釦１３２と、背面操作部１３３と、表示部１５０と、を備えている。
電源釦１３１は、カメラボディ１００における主電源のオンとオフとを切替えるための操作部材である。
レリーズ釦１３２は、撮影処理開始の指示を受け付ける操作部材である。例えば、レリーズ釦１３２は、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
背面操作部１３３は、カメラボディ１００の筐体面のうちカメラボディ側マウント１０１を備えている面と反対面である背面に設けられている。背面操作部１３３は、例えば、動作モードの選択釦（例えば、モードダイヤル）、または、各種設定条件の選択釦（例えば、メニュー釦や上下左右選択釦）等の操作部材を含んで構成されている。
表示部１５０は、背面操作部１３３と同様に背面に設けられており、撮影された画像、または、各種設定条件を選択させるメニュー画面等を表示する。表示部１５０は、例えば、液晶ディスプレイ、または有機ＥＬ（Electro-Luminescence）ディスプレイ等を含んで構成されている。
【００１４】
図２は、本実施形態によるアダプター３００の構成の一例を示す斜視図である。
アダプター３００は、カメラボディ１００を着脱可能な第１マウント部と、第１マウント部とは別に設けられており、交換レンズ２００を着脱可能な第２マウント部と、を備えている。
例えば図２に示すように、アダプター３００は、カメラボディ１００が備えているカメラボディ側マウント１０１に着脱可能な第１マウント３０１（第１マウント部）と、交換レンズ２００が備えているレンズ側マウント２０１に着脱可能な第２マウント３０２（第２マウント部）と、を備えている。
なお、第１マウント３０１の近傍には、カメラボディ側マウント１０１の近傍に設けられている複数の電気的な接続端子のそれぞれに対応する、複数の電気的な接続端子（マウント接点）が設けられている。これにより、アダプター３００は、カメラボディ１００に装着されると、これら複数の接続端子を介して、カメラボディ１００と電気的に接続される。
また、第２マウント３０２の近傍には、レンズ側マウント２０１の近傍に設けられている複数の電気的な接続端子のそれぞれに対応する複数の電気的な接続端子を備えている。
これにより、アダプター３００は、交換レンズ２００に装着されると、これら複数の接続端子を介して交換レンズ２００と電気的に接続される。
【００１５】
また、アダプター３００は、アダプター３００を三脚に取り付け可能とするための三脚座３０５（取付座）と、レンズ着脱釦３０６と、絞り連動レバー３５０と、を備えている。
レンズ着脱釦３０６は、交換レンズ２００が装着されることに応じて機械的にロックされるロック機構のロックを解除するための釦である。つまり、レンズ着脱釦３０６は、ユーザが、アダプター３００に装着されている交換レンズ２００を取り外す際に操作する操作部材である。
【００１６】
絞り連動レバー３５０（絞り連動機構部）は、交換レンズ２００の絞りによる絞り開口径（絞りによる絞り込み量、開口サイズ、開口率、絞り値）を変化させる複数の絞り羽根を含む絞り機構２５１（図３参照）を変位させるためのレバーとしてアダプター３００に備えられている。絞り連動レバー３５０の位置が、アダプター３００の内周に沿った方向に移動することで、交換レンズ２００の絞りの開口径が変化するよう構成されている。
例えば、交換レンズ２００は、絞り機構２５１を変位させる絞りレバー２５２（図３参照）を備えている。したがって、交換レンズ２００の絞り開口径は、絞りレバー２５２の位置が移動することで変位する。そして絞りレバー２５２は、絞り連動レバー３５０と勘合し、絞り連動レバー３５０と連動して移動するよう構成されている。このため交換レンズ２００の絞り開口径は、絞り連動レバー３５０の位置が移動することで変化する。
すなわち、絞り連動レバー３５０は、交換レンズ２００が備えている絞り機構２５１（絞り）の絞り値に応じた位置に移動する。
【００１７】
＜カメラシステムのブロック構成の説明＞
次に、図３を参照して、カメラシステム１のブロック構成について説明する。
図３は、本実施形態によるカメラシステム１の構成の一例を示す概略ブロック図である。この図において、カメラボディ１００と交換レンズ２００とは、アダプター３００を介して装着されている。また、カメラボディ１００、交換レンズ２００、およびアダプター３００がそれぞれ備える接続端子を介して、互いに電気的に接続されている。
【００１８】
まず、カメラシステム１の構成の概略を説明する。
カメラボディ１００は、接続部１０１ｓを含むカメラボディ側マウント１０１を備えている。アダプター３００は、接続部３０１ｓを含む第１マウント３０１と、接続部３０２ｓを含む第２マウント３０２と、を備えている。交換レンズ２００は、接続部２０１ｓを含むレンズ側マウント２０１を備えている。
【００１９】
カメラボディ１００とアダプター３００とは、カメラボディ側マウント１０１および第１マウント３０１を介して装着（物理的に接続）されており、また接続部１０１ｓおよび接続部３０１ｓを介して電気的に接続されている。接続部１０１ｓと接続部３０１ｓはそれぞれ、互いに電気的に接続される１２個の接続端子（端子Ｔａ１〜Ｔａ１２と、端子Ｔｂ１〜Ｔｂ１２）を備えており、この接続端子を介してカメラボディ１００とアダプター３００との間で給電（電圧の供給）および信号の授受（通信）が行われる。
なお、信号の授受（通信）は、カメラボディ１００が備えているカメラ制御部１１０とアダプター３００が備えているアダプター制御部３１０との間で行われる。
【００２０】
また、交換レンズ２００とアダプター３００とは、レンズ側マウント２０１および第２マウント３０２を介して装着（物理的に接続）されており、また接続部２０１ｓおよび接続部３０２ｓを介して電気的に接続されている。接続部２０１ｓと接続部３０２ｓはそれぞれ、互いに電気的に接続される９個の接続端子（端子Ｔｃ１〜Ｔｃ９と、端子Ｔｄ１〜Ｔｄ９と）を備えており、この接続端子を介して交換レンズ２００とアダプター３００との間で給電（電圧の供給）および信号の授受（通信）が行われる。
なお、信号の授受（通信）は、交換レンズ２００が備えているレンズ制御部２１０とアダプター３００が備えているアダプター制御部３１０との間で行われる。
【００２１】
（カメラボディの構成）
次に、カメラボディ１００の構成について説明する。
カメラボディ１００は、カメラ制御部１１０と、カメラ電源部１２０と、スイッチ１２５と、バッテリー部１９０Ｂと、接続部１０１ｓ（端子Ｔａ１〜Ｔａ１２）とを備えている。
接続部１０１ｓは、アダプター３００が備えている接続部３０１ｓの１２個の接続端子（端子Ｔｂ１〜Ｔｂ１２）と互いに接続される接続端子として、端子Ｔａ１〜Ｔａ１２の１２個の接続端子を備えている。
なお、アダプター３００の構成については後で詳細に説明する。
【００２２】
バッテリー部１９０Ｂは、バッテリー１９０を収納する。
バッテリー１９０は、カメラボディ１００、交換レンズ２００およびアダプター３００に電圧を供給する。例えば、バッテリー１９０は、リチウムイオン２次電池またはニッケル水素２次電池等である。なお、バッテリー１９０は、アルカリ電池等の１次電池であってもよい。また、カメラボディ１００は、バッテリー１９０から電圧が供給される構成に限られず、外部の直流電源（例えば、交流電源から直流電源に変換して電圧を供給するＡＣアダプター等）から電圧が供給されてもよい。
【００２３】
カメラ電源部１２０は、バッテリー１９０から供給される電圧をカメラボディ１００、またはカメラボディ１００に接続されるカメラアクセサリーに供給できるようバッテリー電圧を変換する。例えば、カメラ電源部１２０は、バッテリー電圧を変換することで、カメラボディ１００が備えている制御系回路（主にカメラ制御部１１０）に電圧を供給する電源Ｖｃｃ０と、接続部１０１ｓに接続されるアダプター３００に電圧を供給する第１電源系統である電源Ｖｃｃ１とに分ける。この電源Ｖｃｃ１の電圧は、アダプター３００が備えている制御系回路（主にアダプター制御部３１０）に供給される。以下、この電源Ｖｃｃ１を、制御系電源Ｖｃｃ１と称する。
【００２４】
また、カメラ電源部１２０は、カメラ制御部１１０の制御により、制御系電源Ｖｃｃ１による電圧の供給状態と供給停止状態とを切替える。さらに、カメラ電源部１２０は、カメラ制御部１１０の制御により、供給可能な電力（電力量、給電量）を制御する。例えば、カメラ電源部１２０は、カメラシステム１において撮影処理を実行可能な程度に供給可能な電力（電力量、給電量）が多い状態（通常給電状態）と、撮影処理を実行不可能な程度に供給可能な電力（電力量、給電量）が少ない状態（小給電状態）とを切替える。
なお、制御系電源Ｖｃｃ１の電圧は、端子Ｔａ３と端子Ｔｂ３を介してアダプター制御部３１０に供給される。
【００２５】
また、バッテリー１９０の正極端子と端子Ｔａ２とが、バッテリー部１９０Ｂとスイッチ１２５を介して接続されている。これにより、上述した第１電源系統である電源Ｖｃｃ１とは別に、バッテリー１９０から第２電源系統である電源ＰＷＲが生成され、その電源ＰＷＲからの電圧がアダプター電源部３２０に供給される。電源ＰＷＲの電圧は、端子Ｔａ２と端子Ｔｂ２とを介してアダプター電源部３２０に供給される。なお、バッテリー１９０に代えて、外部の直流電源から電源ＰＷＲの電圧が供給されてもよい。また、電源ＰＷＲは、制御系電源Ｖｃｃ１に比べて供給可能な電力が大きい電源系統である。以下、この電源ＰＷＲを、パワー系電源ＰＷＲと称する。
【００２６】
また、パワー系電源ＰＷＲに対応するグランド（ＧＮＤ）であるパワー系グランドＰＧＮＤは、パワー系電源ＰＷＲの電圧が供給される各部および端子Ｔａ１に接続されている。一方、制御系電源Ｖｃｃ１に対応するグランドである制御系グランドＳＧＮＤは、端子Ｔａ１２に接続されている。また、パワー系グランドＰＧＮＤと制御系グランドＳＧＮＤは、バッテリー部１９０Ｂを介してそれぞれバッテリー１９０の負極端子と同電位のグランドになっている。
なお、制御系グランドＳＧＮＤは、電源Ｖｃｃ０に対応するグランドでもあり、制御系グランドＳＧＮＤがカメラ制御部１１０のグランド端子に接続されている。
【００２７】
スイッチ１２５は、カメラ制御部１１０の制御により、導通状態と遮断状態（非導通状態）とを切替える。すなわち、スイッチ１２５は、カメラ制御部１１０の制御により、パワー系電源ＰＷＲの電圧を、端子Ｔａ２に対して供給するか否かを切替える。
【００２８】
カメラ制御部１１０は、カメラ電源制御部１１１と、第１カメラ通信部１１２と、第２カメラ通信部１１３と、を備えている。カメラ制御部１１０は、カメラボディ１００が備えている各部を制御するとともに、接続部１０１ｓを介して接続されるアダプター３００のアダプター制御部３１０との間で第１データ通信系Ｄ１ｂと第２データ通信系Ｄ２ｂとの２系統の通信を行う。
【００２９】
カメラ電源制御部１１１は、カメラボディ１００の状態、または、第１カメラ通信部１１２もしくは第２カメラ通信部１１３による通信状態に基づいて、カメラ電源部１２０およびスイッチ１２５を制御する。
なお、第１カメラ通信部１１２および第２カメラ通信部１１３はそれぞれ、第１データ通信系Ｄ１ｂと第２データ通信系Ｄ２ｂとの２系統の通信を、独立に実行する。
【００３０】
第１データ通信系Ｄ１ｂは、シリアルインターフェース方式の全二重通信による通信系である。第１カメラ通信部１１２は、第１データ通信系Ｄ１ｂとして、信号ＲＤＹ、ＣＬＫ１、ＤＡＴＡＢ、ＤＡＴＡＬの４種類の信号の授受（通信）を行う。
信号ＲＤＹは、第１カメラ通信部１１２に対して通信可否を通知する信号である。この信号ＲＤＹは、後述する第１アダプター通信部３１２から第１カメラ通信部１１２に対して、端子Ｔａ４を介して送信（出力）される。信号ＣＬＫ１は、シリアル通信用のクロック信号である。このクロック信号ＣＬＫ１は、第１カメラ通信部１１２から第１アダプター通信部３１２に対して、端子Ｔａ５を介して送信（出力）される。信号ＤＡＴＡＢは、第１カメラ通信部１１２から第１アダプター通信部３１２に対して、端子Ｔａ６を介して出力される、カメラボディ１００に関するデータ信号である。信号ＤＡＴＡＬは、第１アダプター通信部３１２から第１カメラ通信部１１２に対して出力される、交換レンズ２００に関するデータ信号である。第１カメラ通信部１１２は信号ＤＡＴＡＬを端子Ｔａ７を介して受信する。
【００３１】
第２データ通信系Ｄ２ｂは、シリアルインターフェース方式であって、カメラボディ１００に対してデータが送信される単方向通信による通信系である。第２カメラ通信部１１３は、信号ＨＲＥＱ、ＨＡＮＳ、ＨＣＬＫ、ＨＤＡＴＡの４種類の信号の授受（通信）を行う。
信号ＨＲＥＱは、第２カメラ通信部１１３からの通信要求を示す信号であり、第２カメラ通信部１１３が、後述する第２アダプター通信部３１３に対して、端子Ｔｂ８を介して送信（出力）する。信号ＨＡＮＳは、第２カメラ通信部１１３への通信応答を示す信号であり、第２アダプター通信部３１３から第２カメラ通信部１１３に対して、端子Ｔｂ９を介して送信される。信号ＨＣＬＫは、シリアル通信用のクロック信号である。このクロック信号ＨＣＬＫは、第２カメラ通信部１１３から第２アダプター通信部３１３に対して、端子Ｔｂ１０を介して送信（出力）される。信号ＨＤＡＴＡは、第２アダプター通信部３１３から第２カメラ通信部１１３に対して、端子Ｔｂ１１を介して送信されるレンズのデータ信号である。
【００３２】
なお、第１データ通信系Ｄ１ｂ、および第２データ通信系Ｄ２ｂでの通信内容は、後で詳述する。
【００３３】
（交換レンズの構成）
次に、交換レンズ２００の構成について説明する。
交換レンズ２００は、接続部２０１ｓ（端子Ｔｄ１〜Ｔｄ９）と、レンズ制御部２１０と、光学系２２０と、光学系駆動部２３０とを備えている。
光学系２２０を介して入射した被写体光（光学像）は、アダプター３００を介してカメラボディ１００が備えている周知の撮影素子（不図示）の受光面に導かれる。
光学系２２０は、レンズ２２１と、焦点調整用レンズ（以下、フォーカスレンズと称す）２２２と、光学像の像ぶれ補正用（防振用）レンズ（以下、ＶＲ（Vibration Reduction）レンズと称す）２２３と、絞りユニット２５０と、を備えている。
【００３４】
絞りユニット２５０は、複数の絞り羽根を含む絞り機構２５１と、絞り機構２５１を機械的に操作する絞りレバー２５２とを備えている。したがって、交換レンズ２００の絞り開口径は、絞りレバー２５２が絞り機構２５１を機械的に操作することで変化する。また、図３に記載のカメラシステム１における交換レンズ２００は、絞り機構２５１を駆動するアクチュエータ等の動力源を内蔵しないレンズであり、アダプター３００の絞り連動レバー３５０によって絞りレバー２５２を介して絞り機構２５１が駆動されるレンズである。
【００３５】
光学系駆動部２３０は、ＡＦ（Auto Focus）駆動部２３１と、ＡＦエンコーダ２３２と、ＶＲ駆動部２３５と、を備えている。
ＡＦ駆動部２３１は、レンズ制御部２１０の制御によりフォーカスレンズ２２２を駆動させる。また、ＡＦエンコーダ２３２は、フォーカスレンズ２２２の位置を検出してレンズ制御部２１０に検出結果を供給する。
ＶＲ駆動部２３５は、レンズ制御部２１０の制御によりＶＲレンズ２２３を駆動させる。
なお、交換レンズ２００は、ユーザに手動操作されることによってフォーカスレンズ２２２の位置を移動させるフォーカスリングを備えている構成としてもよい。
【００３６】
接続部２０１ｓは、アダプター３００が備えている接続部３０２ｓの９個の接続端子（端子Ｔｃ１〜Ｔｃ９）と互いに接続される接続端子として、９個の接続端子Ｔｄ１〜Ｔｄ９を備えている。
光学系駆動部２３０の電圧が供給される電源Ｖｐは、端子Ｔｄ２を介して供給される。
以下、この電源Ｖｐをレンズ駆動系電源Ｖｐと称する。レンズ駆動系電源Ｖｐはアダプター３００を介してパワー系電源ＰＷＲから供給される。
例えば、ＡＦ駆動部２３１が備えているフォーカスレンズ２２２を駆動するアクチュエータ、およびＶＲレンズ２２３を駆動するアクチュエータ等のように消費電力が多い光学系駆動部２３０に、この端子Ｔｄ２からレンズ駆動系電源Ｖｐの電圧が供給される。また、レンズ駆動系電源Ｖｐに対応するグランドであるパワー系グランドＰＧＮＤは、光学系駆動部２３０のグランド端子および端子Ｔｄ１に接続されている。
【００３７】
レンズ制御部２１０の電圧が供給される電源Ｖｃは、端子Ｔｄ３に接続されている。以下、この電源Ｖｃをレンズ制御系電源Ｖｃと称する。レンズ制御系電源Ｖｃはアダプター３００を介してパワー系電源ＰＷＲから供給される。
光学系駆動部２３０と比べて消費電力が少ないレンズ制御部２１０を含む制御系回路等に、この端子Ｔｄ３を介してレンズ制御系電源Ｖｃの電圧が供給される。また、レンズ制御系電源Ｖｃに対応するグランドである制御系グランドＳＧＮＤは、レンズ制御部２１０のグランド端子および端子Ｔｄ９に接続されている。
すなわち、パワー系グランドＰＧＮＤと制御系グランドＳＧＮＤとは、交換レンズ２００において互いに接続されておらず、２系統のグランドに分離されている。
【００３８】
レンズ制御部２１０は、光学系制御部２１１と、第１レンズ通信部２１２と、第２レンズ通信部２１３と、を備えている。レンズ制御部２１０は、光学系駆動部２３０を制御するとともに、接続部２０１ｓを介して接続されるアダプター３００のアダプター制御部３１０との間で第１データ通信系Ｄ１Ｌと第２データ通信系Ｄ２Ｌとの２系統の通信を制御する。
【００３９】
光学系制御部２１１は、光学系駆動部２３０を制御する。例えば、光学系制御部２１１は、アダプター３００との通信状態に応じて、光学系駆動部２３０を初期化する。また、光学系制御部２１１は、アダプター３００を介したカメラ制御部１１０の制御に応じて、フォーカスレンズ２２２またはＶＲレンズ２２３等の駆動要素を駆動するよう、光学系駆動部２３０を制御する。また、光学系制御部２１１は、光学系駆動部２３０から供給される光学系（駆動要素）２２０に関する情報（例えば、ＡＦエンコーダ２３２に検出されたフォーカスレンズ２２２の位置等の情報）を取得する。
【００４０】
第１レンズ通信部２１２および第２レンズ通信部２１３は、それぞれ第１データ通信系Ｄ１Ｌと第２データ通信系Ｄ２Ｌとの２系統の通信を独立したタイミングで実行する。
第１データ通信系Ｄ１Ｌは、シリアルインターフェース方式の半二重通信による通信系である。第１レンズ通信部２１２は、第１データ通信系Ｄ１Ｌとして、信号Ｒ／Ｗ、ＣＬＫ２、ＤＡＴＡの３種類の信号の通信を実行する。
信号Ｒ／Ｗは、後述するデータ信号の通信方向を示すリード／ライト信号であるが、レンズ側とアダプター間のハンドシェイクを行う信号として利用され、端子Ｔｄ４を介して、後述する第１アダプター通信部３１２と第１レンズ通信部２１２との間で送受信される。信号ＣＬＫ２は、シリアル通信用のクロック信号であり、第１アダプター通信部３１２から第１レンズ通信部２１２に対して、端子Ｔｄ５を介して送信(出力)される。信号ＤＡＴＡは、第１アダプター通信部３１２と第１レンズ通信部２１２との間で、端子Ｔｄ６を介して送受信されるデータ信号である。
【００４１】
第２データ通信系Ｄ２Ｌは、パルス通信方式であって、交換レンズ２００からパルス信号が出力される単方向通信による通信系である。第２レンズ通信部２１３は、第２データ通信系Ｄ２Ｌとして、信号ＨＬＰ１、ＨＬＰ２の２種類のパルス信号を送信する。
信号ＨＬＰ１は、端子Ｔｄ７を介して後述する第２アダプター通信部３１３に送信されるパルス信号である。信号ＨＬＰ２は、第２レンズ通信部２１３から第２アダプター通信部３１３に対して、端子Ｔｄ８を介して出力されるパルス信号である。これらのパルス信号ＨＬＰ１、ＨＬＰ２は、ＡＦエンコーダ２３２から出力される信号に応じたパルス信号である。
【００４２】
なお、第１データ通信系Ｄ１Ｌ、および第２データ通信系Ｄ２Ｌにて通信される通信内容は、後で詳述する。
【００４３】
（アダプターの構成）
次に、アダプター３００の構成について説明する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ１２）と、接続部３０２ｓ（端子Ｔｃ１〜Ｔｃ９）と、絞り連動レバー３５０と、２次電池部３９０Ｂと、を備えている。
【００４４】
接続部３０１ｓは、カメラボディ１００側の既述の１２個の接続端子Ｔａ１〜Ｔａ１２と互いに接続される、１２個の接続端子Ｔｂ１〜Ｔｂ１２を備えている。アダプター３００とカメラボディ１００とが接続部３０１ｓおよび接続部１０１ｓを介して接続されることにより、接続部３０１ｓの端子Ｔｂ１〜Ｔｂ１２のそれぞれの端子は、接続部１０１ｓの端子Ｔａ１〜Ｔａ１２のそれぞれ対応する接続端子と電気的に接続する。
【００４５】
また、接続部３０２ｓは、交換レンズ２００側の既述の９個の接続端子（端子Ｔｄ１〜Ｔｄ９）と互いに接続される、９個の接続端子Ｔｃ１〜Ｔｃ９を備えている。アダプター３００と交換レンズ２００とが、接続部３０２ｓおよび接続部２０１ｓを介して接続されることにより、接続部３０２ｓの端子Ｔｃ１〜Ｔｃ９のそれぞれの端子は、接続部２０１ｓの端子Ｔｄ１〜Ｔｄ９のそれぞれ対応する接続端子と接続する。
【００４６】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給され、また、カメラボディ１００から端子Ｔａ３および端子Ｔｂ３を介して制御系電源Ｖｃｃ１の電圧が供給される。
また、２次電池部３９０Ｂは、２次電池３９０（電池）を収納する。なお、２次電池３９０は、充電されることにより電荷を蓄積する蓄電池であり、例えば、リチウムイオン２次電池、ニッケル水素２次電池等である。
２次電池３９０は、２次電池部３９０Ｂを介して、アダプター電源部３２０に給電する。また、２次電池３９０は、２次電池部３９０Ｂを介して、アダプター電源部３２０から充電される。この２次電池３９０は、例えば、カメラボディ１００からの給電によりアダプター電源部３２０から充電され、カメラボディ１００からの給電が遮断された際に、その遮断された給電の代わりに、蓄積された電荷量に応じた給電（例えば、比較的少ない給電量での給電、または比較的短い時間の給電）を行う補助電源として利用される。
【００４７】
このように、アダプター３００のアダプター電源部３２０には、カメラボディ１００から制御系電源Ｖｃｃ１（第１電源系統）の電圧と、制御系電源Ｖｃｃ１と比べて供給可能な電力が大きいパワー系電源ＰＷＲ（第２電源系統）の電圧との両方の電圧がそれぞれ供給されるとともに、２次電池３９０から（２次電池３９０からの給電系統から）給電される。
【００４８】
アダプター電源部３２０は、２次電池３９０からの給電系統により交換レンズ２００に供給するレンズ系電源系統の供給電圧を生成する。さらに、アダプター電源部３２０は、カメラボディ１００からの制御系電源Ｖｃｃ１およびパワー系電源ＰＷＲと、２次電池３９０からの給電系統とのうちの何れかからの給電に基づいて、交換レンズ２００に供給する電圧およびアダプター３００内に供給する電圧を生成する。すなわち、アダプター電源部３２０は、第１マウント３０１に装着されたカメラボディ１００からの電源系統および２次電池３９０からの給電系統のうちの何れかから、交換レンズ２００に供給するレンズ系電源系統の供給電圧を生成する。
【００４９】
アダプター電源部３２０の構成について、図４を用いて説明する。
図４は、第１実施形態によるアダプター電源部３２０における電源系統の構成の一例を示す概略ブロック図である。同図において図３の各部に対応する部分には同一の符号を付けている。
アダプター電源部３２０は、ＤＣ−ＤＣコンバータ部３２１と、第１レギュレータ部３２２と、第２レギュレータ部３２３と、切替部３２７と、充電部３２８とを備えている。
充電部３２８は、パワー系電源ＰＷＲの給電から２次電池３９０に対して充電する。切替部３２７は、アダプター制御部３１０の制御により、ＤＣ−ＤＣコンバータ部３２１と第２レギュレータ部３２３とにそれぞれ給電する電源系統を、パワー系電源ＰＷＲおよび２次電池３９０からの給電系統の何れかに切替える。
【００５０】
ＤＣ−ＤＣコンバータ部３２１には、切替部３２７により切替えられて、パワー系電源ＰＷＲおよび２次電池３９０からの給電系統のうちの何れかの電圧が供給される。
ＤＣ−ＤＣコンバータ部３２１は、切替部３２７から供給された電圧から予め定められた電圧まで昇降圧した電圧に変換した電源Ｖｍ（第５電源系統）を生成する。この電源Ｖｍは、絞り連動レバー駆動部３３０に電圧を供給するための電源系統である。以下、この電源Ｖｍを絞り駆動用電源Ｖｍと称する。
ＤＣ−ＤＣコンバータ部３２１により生成された絞り駆動用電源Ｖｍの電源線は、絞り連動レバー駆動部３３０と第１レギュレータ部３２２の入力端子とに接続されており、絞り駆動用電源Ｖｍの電圧が供給される。
第１レギュレータ部３２２は、例えば、第１リニアレギュレータを備えており、絞り駆動用電源Ｖｍの電圧を降圧して電圧を安定化させたレンズ制御系電源Ｖｃ（第４電源系統）の電圧を生成する。なお、レンズ制御系電源Ｖｃの電源線は、図３の端子Ｔｃ３に接続されている。これにより、アダプター電源部３２０は、レンズ制御系電源Ｖｃの電圧を端子Ｔｃ３および端子Ｔｄ３を介して交換レンズ２００のレンズ制御部２１０に供給する（図３参照）。
なお、絞り駆動用電源Ｖｍの電圧は、レンズ制御系電源Ｖｃの電圧より高い電圧に設定されている。
【００５１】
また、第２レギュレータ部３２３の入力端子には、切替部３２７により切替えられて、パワー系電源ＰＷＲおよび２次電池３９０からの給電系統の何れかの電圧が供給される。
第２レギュレータ部３２３は、例えば、第２リニアレギュレータを備えており切替部３２７から供給された電圧を降圧して電圧を安定化させたレンズ駆動系電源Ｖｐ（第３電源系統）の電圧を生成する。この第２レギュレータ部３２３は、第１レギュレータ部３２２に対比して供給可能な給電量が多いレギュレータである。なお、レンズ駆動系電源Ｖｐの電源線は、図３の端子Ｔｃ２に接続されている。これにより、アダプター電源部３２０は、レンズ駆動系電源Ｖｐの電圧を端子Ｔｃ２および端子Ｔｄ２を介して交換レンズ２００の光学系駆動部２３０に供給する（図３参照）。
なお、レンズ駆動系電源Ｖｐから供給される電圧は、レンズ制御系電源Ｖｃから供給される電圧よりも大きい。また、レンズ駆動系電源Ｖｐから供給される負荷における消費電力が、レンズ制御系電源Ｖｃから供給される負荷における消費電力に比べて多いとしてもよい。
【００５２】
また、アダプター電源部３２０は、アダプター制御部３１０に供給する第６電源系統の電源Ｖａを生成する（図３参照）。以下、この電源Ｖａを絞りアダプター制御系電源Ｖａと称する。図４において、このアダプター制御系電源Ｖａの電源線は、制御系電源Ｖｃｃ１の電源線であって、アダプター制御部３１０に接続されている。これにより、アダプター制御部３１０には、アダプター制御系電源Ｖａとして制御系電源Ｖｃｃ１から給電される。すなわち、図４に示すアダプター電源部３２０は、制御系電源Ｖｃｃ１の電圧をアダプター制御系電源Ｖａの電圧として、アダプター制御部３１０に供給する。
【００５３】
なお、アダプター電源部３２０は、各電源系統の電源電圧を検出する電圧検出部を備え、検出結果をアダプター制御部３１０に供給する構成としてもよい。
そして、アダプター電源部３２０は、カメラボディ１００からの電源系統によりレンズ系電源系統の供給電圧を生成するとともに、カメラボディ１００からの電源系統により給電される電圧が所定の電圧よりも低下した場合、２次電池３９０からの給電系統によりレンズ系電源系統の供給電圧を生成する構成としてもよい。
例えば、アダプター電源部３２０は、パワー系電源ＰＷＲから交換レンズ２００に給電するレンズ系電源系統（レンズ駆動系電源Ｖｐまたはレンズ制御系電源Ｖｃ）の供給電圧を生成するとともに、パワー系電源ＰＷＲから給電される電圧が所定の電圧よりも低下した場合（例えば、上述の電圧検出部によって、所定の電圧よりも低下したことが検出された場合）、アダプター制御部３１０の制御により切替部３２７において２次電池３９０からの給電系統に切替えられて、２次電池３９０からの給電系統によりレンズ系電源系統の供給電圧を生成する。
ここで、所定の電圧とは、アダプター電源部３２０においてレンズ系電源系統の電圧を生成するために必要なアダプター電源部３２０に対して入力される最低限の電圧（パワー系電源ＰＷＲからレンズ系電源系統の供給電圧を生成するために必要な最低限のパワー系電源ＰＷＲの電圧）のことである。
【００５４】
なお、パワー系電源ＰＷＲの電圧が所定の電圧よりも低下したことを検出した結果に基づいて、アダプター制御部３１０が切替部３２７を制御して、パワー系電源ＰＷＲの給電から２次電池３９０からの給電系統の給電に切替える構成に代えて、パワー系電源ＰＷＲの電圧と２次電池３９０からの給電系統の電圧との電圧差（各電圧の大小）に応じて切替わる構成としてもよい。例えば、切替部３２７において、パワー系電源ＰＷＲの電圧と２次電池３９０からの給電系統の電圧とのうち高い電圧の方から給電されるように構成してもよい。一例としては、パワー系電源ＰＷＲと２次電池３９０からの給電系統とのそれぞれを、ダイオードを介してＯＲ接続し、通常動作時のパワー系電源ＰＷＲの電圧を２次電池３９０からの給電系統の電圧より高い電圧に設定しておく。これにより、通常動作時はパワー系電源ＰＷＲから給電され、パワー系電源ＰＷＲの電圧が２次電池３９０からの給電系統の電圧よりも低下した場合は２次電池３９０からの給電系統から給電されるようになる。
【００５５】
また、制御系グランドＳＧＮＤは、アダプター制御部３１０、および第１レギュレータ部３２２に、制御系電源Ｖｃｃ１に対応するグランドとして接続されている。
なお、制御系グランドＳＧＮＤは、端子Ｔｂ１２と端子Ｔｃ９とに接続されており、端子Ｔｂ１２とカメラボディ１００の端子Ｔａ１２とを介してカメラボディ１００の制御系グランドＳＧＮＤに接続されるとともに、端子Ｔｃ９と交換レンズ２００の端子Ｔｄ９とを介して交換レンズ２００の制御系グランドＳＧＮＤに接続される（図３参照）。
また、パワー系グランドＰＧＮＤは、ＤＣ−ＤＣコンバータ部３２１、第２レギュレータ部３２３、絞り連動レバー駆動部３３０、充電部３２８、および２次電池３９０（２次電池３９０の負極端子に接続される接点）に、パワー系電源ＰＷＲに対応するグランドとして接続されている。
なお、パワー系グランドＰＧＮＤは、端子Ｔｂ１と端子Ｔｃ１とに接続されており、端子Ｔｂ１とカメラボディ１００の端子Ｔａ１とを介してカメラボディ１００のパワー系グランドＰＧＮＤに接続されるとともに、端子Ｔｃ１と交換レンズ２００の端子Ｔｄ１とを介して交換レンズ２００のパワー系グランドＰＧＮＤに接続される（図３参照）。
【００５６】
なお、交換レンズ２００において、制御系グランドＳＧＮＤは、レンズ側マウント２０１の導電部（交換レンズ筐体）に接続されていてもよい。また、交換レンズ２００において制御系グランドＳＧＮＤが接続されている端子Ｔｄ９は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ９は、第２マウント３０２の導電部に含まれている構成としてもよい。
さらに、同様に、端子Ｔｂ１２は第１マウント３０１の導電部に接続されていてもよく、また、端子Ｔｂ１２は第１マウント３０１の導電部に含まれている構成としてもよい。
同様に、端子Ｔａ１２も、カメラボディ側マウント１０１の導電部に接続されていてもよく、また、端子Ｔａ１２はカメラボディ側マウント１０１の導電部に含まれている構成としてもよい。
【００５７】
このように、アダプター電源部３２０は、第１マウント３０１に装着されたカメラボディ１００からの制御系電源Ｖｃｃ１および制御系電源Ｖｃｃ１に比して供給可能な電力が大きいパワー系電源ＰＷＲのうちのパワー系電源ＰＷＲから給電されるとともに、搭載している２次電池３９０からも給電可能な構成である。そして、アダプター電源部３２０は、パワー系電源ＰＷＲの電圧と２次電池３９０からの給電系統の電圧とのうちの何れかから、交換レンズ２００に給電するレンズ系電源系統（レンズ駆動系電源Ｖｐまたはレンズ制御系電源Ｖｃ）の供給電圧を生成する。すなわち、アダプター電源部３２０は、第１マウント３０１に装着されたカメラボディ１００からの電源系統および２次電池３９０からの給電系統のうちの何れかから、交換レンズ２００に給電するレンズ系電源系統の供給電圧を生成する。
【００５８】
これにより、アダプター３００は、搭載する２次電池３９０の給電からも、交換レンズ２００に供給する電圧を生成することができる。そのため、アダプター３００は、状況に応じて、カメラボディ１００から供給されるパワー系電源ＰＷＲの電圧と２次電池３９０からの給電系統の電圧とのうちの何れかに切替えて、交換レンズ２００に供給する電圧を生成することができる。
【００５９】
例えば、アダプター電源部３２０は、パワー系電源ＰＷＲの電圧からレンズ駆動系電源Ｖｐおよびレンズ制御系電源Ｖｃの供給電圧を生成するとともに、パワー系電源ＰＷＲから給電される電圧が所定の電圧よりも低下した場合、２次電池３９０からの給電系統によりレンズ制御系電源Ｖｃの供給電圧を生成する。
これにより、アダプター３００は、パワー系電源ＰＷＲの電圧が一時的に低下（または瞬断）した場合や給電が停止された場合に、レンズ駆動系電源Ｖｐの供給電圧の生成を停止させたとしても、２次電池３９０からの給電によりレンズ制御系電源Ｖｃの供給電圧の生成を一定期間継続させることができる（２次電池３９０に蓄電されている電荷量と給電先の負荷の大きさとに応じた期間、給電を継続させることができる）。よって、アダプター３００は、パワー系電源ＰＷＲの電圧が一時的に低下（または瞬断）した場合や給電が停止された場合に、レンズ制御部２１０の動作を継続させる制御、レンズ制御部２１０を復帰処理に必要な最低限の動作を継続させる制御、または電圧低下によるエラーを通知する制御（例えば、ＬＥＤ（Light Emitting Diode）の点滅制御など）などを実行させることができる。これらの制御は、２次電池３９０に蓄電されている電荷量、給電先の負荷の大きさ、およびパワー系電源ＰＷＲの電圧が低下（または、瞬断）している時間などに応じて定められる。
【００６０】
なお、アダプター３００は、パワー系電源ＰＷＲからレンズ制御系電源Ｖｃの電圧と、レンズ制御系電源Ｖｃの電圧が供給される負荷の消費電力に対比して消費電力が多い負荷のレンズ駆動系電源Ｖｐの電圧との両方を生成する。これにより、レンズ制御系電源Ｖｃの電圧は、レンズ駆動系電源Ｖｐの電圧が供給される負荷（消費電力の多い負荷）の変動に応じた電圧変動の影響を受けやすい。そのため、アダプター３００は、パワー系電源ＰＷＲの補助電源として２次電池３９０が搭載されていることにより、電圧変動の影響を受けやすいレンズ制御系電源Ｖｃの給電を安定化させることにも適している。
【００６１】
以上のように、アダプター３００は、カメラボディ１００から供給されたパワー系電源ＰＷＲに加えて、補助電源としての２次電池３９０からの給電系統からも交換レンズ２００に供給するための電圧を生成して供給することができる。そのため、アダプター３００は、パワー系電源ＰＷＲからの給電に電圧低下（または、瞬断）や給電の停止などが生じた場合でも、交換レンズ２００に対する給電を一定期間継続することができる。
よって、アダプター３００は、交換レンズ２００を駆動するための電圧を安定して供給することができる。すなわち、アダプター３００は、交換レンズ２００を駆動するための電圧を適切に供給することができる。
【００６２】
また、撮影処理を行うことが不可能な消費電力に低減させた動作モード（低消費電力モード／スリープモード）において、カメラボディ１００からのパワー系電源ＰＷＲの給電が停止された際に、２次電池３９０からの給電によりレンズ制御系電源Ｖｃからの給電を継続させて、レンズ制御部２１０の処理を完全に停止させない（アダプター制御部３１０を、復帰処理に必要な最小の電力で動作させておく）ことも可能である。この、スリープモードの処理については、後述の「電源遮断処理および低消費電力処理」（図１１）において詳述する。
【００６３】
また、カメラボディ１００内のカメラ電源部１２０は、端子Ｔａ３を介して接続されている接続先に対して、制御系電源Ｖｃｃ１を（接続先からの「供給要求」がある限り）常時供給するように構成してもよい。この場合、例えカメラボディ１００側の電源スイッチがＯＦＦ（オフ）されたとしても、端子Ｔａ３に対して端子Ｔｂ３を介して接続されているアダプター制御部３１０を、常時起動させておくことができる。また、同様に、例えカメラボディ１００側の電源スイッチがＯＦＦされたとしても、アダプター電源部３２０が２次電池３９０からの給電によりレンズ制御系電源Ｖｃの供給電圧を生成して常時供給することにより、レンズ制御部２１０を、常時起動させておくことができる。アダプター制御部３１０およびレンズ制御部２１０を常時起動させておくことにより、アダプター３００側の設定状態（例えば、絞り連動レバー３５０の初期化処理が完了済みか否かなど）および交換レンズ２００側の設定状態（例えば、フォーカスレンズ２２２の初期化処理が完了済みか否かなど）を記憶しておくことが出来る。そのため、カメラボディ１００側の電源スイッチがＯＮ（オン）されたときにアダプター３００内および交換レンズ２００内で無駄な初期化処理を行わずに済む、という利点がある。
【００６４】
なお、上記実施形態において、２次電池３９０が、補助的に給電するための電荷量を蓄電可能な蓄電容量を有する蓄電池であるとして説明した。しかし、例えば、さらに蓄電容量の多い蓄電池（例えば、複数の電池（セル）を含んで構成されるバッテリーパック）としてもよい。例えば、アダプター３００は、蓄電容量の多い２次電池３９０を搭載することにより、２次電池３９０からの給電により通常動作を長時間実行させることが可能であり、２次電池３９０からの給電による通常動作中に蓄電容量が低下した際に、パワー系電源ＰＷＲからの給電に切替えてもよい。
【００６５】
次に、図３に戻りアダプター３００の他の構成について説明する。
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、前記検出結果をアダプター制御部３１０に出力する。
【００６６】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【００６７】
アダプター制御部３１０は、アダプター電源制御部３１１と、第１アダプター通信部３１２と、第２アダプター通信部３１３と、絞り制御部３１４と、を備えている。また、アダプター制御部３１０は、カメラ制御部１１０との周期的な通信により制御されて、アダプター３００が備えている各部において行われる処理を制御するとともに、レンズ制御部２１０と周期的な通信を行う。例えば、アダプター制御部３１０は、カメラ制御部１１０との間で、定常的な周期的通信を実行する。また、アダプター制御部３１０は、レンズ制御部２１０との間でも、定常的な周期的通信を実行する。
また、アダプター制御部３１０は、カメラ制御部１１０からの撮影処理を制御するための通信に基づいて、絞り連動レバー駆動部３３０の制御をするとともに、交換レンズ２００の光学系駆動部２３０を制御するためにレンズ制御部２１０との通信を行う。
アダプター電源制御部３１１は、カメラ制御部１１０またはレンズ制御部２１０との通信結果、またはアダプター３００の状態等に応じて、アダプター電源部３２０を制御する。例えば、アダプター電源制御部３１１は、カメラ制御部１１０またはレンズ制御部２１０との通信結果に応じてアダプター電源部３２０を制御して、レンズ制御系電源Ｖｃ、レンズ駆動系電源Ｖｐ、または絞り駆動用電源Ｖｍの電圧を供給させるか否かを制御する。
また、アダプター電源制御部３１１は、カメラボディ１００から電圧が供給される電源系統の電圧（換言すればカメラボディ１００側からアダプター３００に対して供給される電圧の状態）、および、アダプター３００において生成して電圧を供給する電源系統の電圧（換言すればアダプター３００側から交換レンズ２００に対して供給する電圧の状態）を監視する。アダプター電源制御部３１１は、例えば、各電源系統のそれぞれの電圧を検出する電圧検出部からの検出結果に基づいて各電源系統の電圧を監視し、前記監視結果を必要に応じてカメラ制御部１１０に通知する。
【００６８】
絞り制御部３１４は、カメラ制御部１１０またはレンズ制御部２１０との通信結果に応じて、絞り連動レバー駆動部３３０を制御する。
例えば、絞り制御部３１４は、カメラ制御部１１０との通信結果に応じて、絞り機構２５１の絞り開口径が、カメラ制御部１１０からの制御指示に応じた絞り開口径になるように絞り連動レバー駆動部３３０を制御する。
また、絞り制御部３１４は、処理に応じて絞り連動レバー３５０の位置を初期の位置に移動させる制御を絞り連動レバー駆動部３３０にする。例えば、絞り制御部３１４は、初期の位置として、絞り機構２５１が開放になる位置、絞り機構２５１の設定絞り値に応じて移動する絞りレバー２５２に干渉しない位置である退避位置、等に絞り連動レバー３５０を移動させるように絞り連動レバー駆動部３３０を制御する。
また、絞り制御部３１４は、絞り連動レバー駆動部３３０において検出された絞り連動レバー３５０の位置を取得する。
【００６９】
第１アダプター通信部３１２は、第１カメラ通信部１１２との間で第１データ通信系Ｄ１ｂの通信を実行し、第１レンズ通信部２１２との間で第１データ通信系Ｄ１Ｌの通信を実行する。
具体的には、第１アダプター通信部３１２は、互いに異なる通信規格である第１データ通信系Ｄ１ｂと第１データ通信系Ｄ１Ｌとの通信を中継する。例えば、第１アダプター通信部３１２は、シリアルインターフェース方式の全二重通信である第１データ通信系Ｄ１ｂの通信規格により第１カメラ通信部１１２から受信したデータを、シリアルインターフェース方式の半二重通信である第１データ通信系Ｄ１Ｌの通信規格のデータに変換して第１レンズ通信部２１２へ送信する。一方、第１アダプター通信部３１２は、シリアルインターフェース方式の半二重通信である第１データ通信系Ｄ１Ｌの通信規格により第１レンズ通信部２１２から受信したデータを、シリアルインターフェース方式の全二重通信である第１データ通信系Ｄ１ｂの通信規格のデータに変換して第１カメラ通信部１１２へ送信する。
また、第１アダプター通信部３１２は、互いに異なる周期で通信される第１データ通信系Ｄ１ｂと第１データ通信系Ｄ１Ｌとの通信を中継する。
また、第１アダプター通信部３１２は、第１データ通信系Ｄ１ｂと第１データ通信系Ｄ１Ｌとにおいて送受信されるデータのフォーマットの整合性をとるための変換処理をする。
なお、アダプター制御部３１０は、例えば、記憶部（不図示）を備えている。第１アダプター通信部３１２は、受信したデータ、および変換したデータ等に基づいて生成したデータを前記記憶部に一時的に記憶させる。そして、第１アダプター通信部３１２は、生成したデータを前記記憶部から読み出して送信する。
【００７０】
第１アダプター通信部３１２と第１カメラ通信部１１２とは、信号ＲＤＹ、ＣＬＫ１、ＤＡＴＡＢ、ＤＡＴＡＬの４種類の信号線を介して第１データ通信系Ｄ１ｂの通信を実行する。端子Ｔｂ４は、信号ＲＤＹの信号線を介して第１アダプター通信部３１２に接続されている。また、端子Ｔｂ５は信号ＣＬＫ１の信号線、端子Ｔｂ６は信号ＤＡＴＡＢの信号線、および端子Ｔｂ７は信号ＤＡＴＡＬの信号線、を介してそれぞれ第１アダプター通信部３１２に接続されている。そして、端子Ｔｂ４は、カメラボディ１００の端子Ｔａ４に接続されており、端子Ｔｂ５は端子Ｔａ５に、端子Ｔｂ６は端子Ｔａ６に、端子Ｔｂ７は端子Ｔａ７に、それぞれ接続されている。
つまり、第１データ通信系Ｄ１ｂの通信を行う信号ＲＤＹ、ＣＬＫ１、ＤＡＴＡＢ、ＤＡＴＡＬの４種類の信号線は、端子Ｔｂ４〜Ｔｂ７と端子Ｔａ４〜Ｔａ７とを介して第１アダプター通信部３１２と第１カメラ通信部１１２との間で接続されている。
【００７１】
一方、第１アダプター通信部３１２と第１レンズ通信部２１２とは、信号Ｒ／Ｗ、ＣＬＫ２、ＤＡＴＡの３種類の信号線を介して第１データ通信系Ｄ１Ｌの通信を実行する。端子Ｔｃ４は、信号Ｒ／Ｗの信号線を介して第１アダプター通信部３１２に接続されている。また、端子Ｔｃ５は信号ＣＬＫ２の信号線、端子Ｔｃ６は信号ＤＡＴＡの信号線を介して第１アダプター通信部３１２に接続されている。そして、端子Ｔｃ４は、交換レンズ２００の端子Ｔｄ４に接続されており、端子Ｔｃ５は端子Ｔｄ５に、端子Ｔｃ６は端子Ｔｄ６に、それぞれ接続されている。
つまり、第１データ通信系Ｄ１Ｌの通信を行う信号Ｒ／Ｗ、ＣＬＫ２、ＤＡＴＡの３種類の信号線は、端子Ｔｃ４〜Ｔｃ６と端子Ｔｄ４〜Ｔｄ６とを介して第１アダプター通信部３１２と第１レンズ通信部２１２との間で接続されている。
【００７２】
このように、第１アダプター通信部３１２を介して第１カメラ通信部１１２と第１レンズ通信部２１２との間において、第１データ通信系Ｄ１ｂの通信および第１データ通信系Ｄ１Ｌの通信が行われる。この第１データ通信系Ｄ１ｂの通信および第１データ通信系Ｄ１Ｌの通信においては、第１カメラ通信部１１２と第１レンズ通信部２１２との間で、第１アダプター通信部３１２を介して、例えば、光学系２２０の情報、制御指示等の要求コマンド、および要求コマンドに対する応答データ等が通信される。ここで、この第１データ通信系Ｄ１ｂおよび第１データ通信系Ｄ１Ｌにおける通信をコマンドデータ通信と称する。
なお、光学系２２０の情報とは、光学系２２０の種類を示す情報（光学系２２０の仕様、機能、光学特性等を示す情報）、または光学系２２０の駆動状態を示す情報等である。
以上述べたように、アダプター制御部３１０内の第１アダプター通信部３１２は、カメラ制御部１１０の第１カメラ通信部１１２から出力されるカメラ制御指令を受信する機能（換言すれば第１受信部）と、第１受信部での受信内容に応じて、交換レンズ２００の駆動要素を駆動制御するためのレンズ制御指令を交換レンズ２００の第１レンズ通信部２１２に対して送信する機能（換言すれば第１送信部）と、駆動要素の駆動状態を示す状態情報を交換レンズ２００の第１レンズ通信部２１２から受信する機能（換言すれば第２受信部）と、第２受信部での受信内容に基づいて、駆動要素の駆動状態を示す状態情報をカメラボディ１００の第１カメラ通信部１１２に対して送信する機能（換言すれば第２送信部）と、を有する。
【００７３】
第２アダプター通信部３１３は、第２レンズ通信部２１３から第２データ通信系Ｄ２Ｌのパルス信号を受信して、第２カメラ通信部１１３との間で第２データ通信系Ｄ２ｂの通信を実行する。
具体的には、第２アダプター通信部３１３は、第２データ通信系Ｄ２Ｌのパルス信号に含まれる情報を検出し、検出した情報を第２データ通信系Ｄ２ｂの通信規格に合わせて変換する。例えば、第２アダプター通信部３１３は、パルス通信方式の単方向通信である第２データ通信系Ｄ２Ｌの通信規格により第２レンズ通信部２１３から受信したパルス信号を、シリアルインターフェース方式の単方向通信である第２データ通信系Ｄ２ｂの通信規格のデータに変換して第２カメラ通信部１１３へ送信する。また、第２アダプター通信部３１３は、第１アダプター通信部３１２による制御に応じて、第２データ通信系Ｄ２Ｌの通信により受信したパルス信号に含まれる情報を第２データ通信系Ｄ２ｂの通信規格に変換して第２カメラ通信部１１３へ送信する。
【００７４】
第２アダプター通信部３１３と第２カメラ通信部１１３とは、信号ＨＲＥＱ、ＨＡＮＳ、ＨＣＬＫ、ＨＤＡＴＡの４種類の信号線を介して第２データ通信系Ｄ２ｂの通信を実行する。端子Ｔｂ８は、信号ＨＲＥＱの信号線を介して第２アダプター通信部３１３に接続されている。また、端子Ｔｂ９は信号ＨＡＮＳの信号線、端子Ｔｂ１０は信号ＨＣＬＫの信号線、および端子Ｔｂ１１は信号ＨＤＡＴＡの信号線、を介してそれぞれ第２アダプター通信部３１３に接続されている。そして、端子Ｔｂ８は、カメラボディ１００の端子Ｔａ８に接続されており、端子Ｔｂ９は端子Ｔａ９に、端子Ｔｂ１０は端子Ｔａ１０に、端子Ｔｂ１１は端子Ｔａ１１に、それぞれ接続されている。
つまり、第２データ通信系Ｄ２ｂの通信を行う信号ＨＲＥＱ、ＨＡＮＳ、ＨＣＬＫ、ＨＤＡＴＡの４種類の信号線は、端子Ｔｂ８〜Ｔｂ１１と端子Ｔａ８〜Ｔａ１１とを介して第２アダプター通信部３１３と第２カメラ通信部１１３との間で接続されている。
【００７５】
一方、第２アダプター通信部３１３と第２レンズ通信部２１３とは、信号ＨＬＰ１、ＨＬＰ２の２種類の信号線を介して第２データ通信系Ｄ２Ｌの通信を実行する。端子Ｔｃ７は、信号ＨＬＰ１の信号線を介して第２アダプター通信部３１３に接続されている。また、端子Ｔｃ８は信号ＨＬＰ２の信号線を介して第２アダプター通信部３１３に接続されている。そして、端子Ｔｃ７は、交換レンズ２００の端子Ｔｄ７に接続されており、端子Ｔｃ８は端子Ｔｄ８に接続されている。
つまり、第２データ通信系Ｄ２Ｌの通信を行う信号ＨＬＰ１、ＨＬＰ２の２種類の信号線は、端子Ｔｃ７〜Ｔｃ８と端子Ｔｄ７〜Ｔｄ８とを介して第２アダプター通信部３１３と第２レンズ通信部２１３との間で接続されている。
【００７６】
このように、第２アダプター通信部３１３を介して第２カメラ通信部１１３と第２レンズ通信部２１３との間において、第２データ通信系Ｄ２ｂの通信および第２データ通信系Ｄ２Ｌの通信が行われる。この第２データ通信系Ｄ２ｂの通信および第２データ通信系Ｄ２Ｌの通信においては、第２カメラ通信部１１３の通信要求信号に基づいて、第２アダプター通信部３１３を介して第２レンズ通信部２１３から、例えば、フォーカスレンズ２２２の位置を示すデータ等が通信される。ここで、この第２データ通信系Ｄ２ｂおよび第２データ通信系Ｄ２Ｌにおける通信をホットライン通信と称する。
【００７７】
なお、実施例における切替部３２７の構成は、図４に示すような切替部（スイッチング回路構成）に限らず、図５に示すようなダイオードを用いたＯＲ回路構成であっても良い。このようなＯＲ回路構成にすれば、ＰＷＲおよび２次電池のうち、常に電圧の高い方から（即ち残量の多い方から）ＤＣ−ＤＣコンバータ３２１に給電されることになる。この方式にすれば、図４の構成では必要な給電元切替のための切替信号が無くても、ＰＷＲからの給電と２次電池からの給電とを自動的に切り替えることができる。よって、給電元の自動切替を、簡単な回路構成で実現できる。
【００７８】
＜交換レンズの他の形態＞
次に、交換レンズの他の形態について説明する。
アダプター３００を介してカメラボディ１００と接続して機能させることが可能なレンズは、図３を用いて説明した交換レンズ２００に限られるものではない。交換レンズ２００の他に、様々な交換レンズを、アダプター３００を介してカメラボディ１００と接続して機能させることが可能である。
なお、図３を用いて説明した交換レンズ２００は、通信可能なレンズ制御部２１０を備えており、レンズ制御部２１０が通信結果に基づいて光学系駆動部２３０を制御する交換レンズである。この交換レンズ２００を、以下の記述においてＣＰＵ（Central Processing Unit）レンズとも称する。
【００７９】
（非ＣＰＵレンズ）
これに対して、図６に示すように、通信可能なレンズ制御部を備えていない交換レンズ２００Ｂを、アダプター３００を介してカメラボディ１００と接続して機能させることも可能である。
図６は、通信可能なレンズ制御部を備えていない交換レンズ２００Ｂを備えているカメラシステム１Ｂの構成の一例を示す概略ブロック図である。同図において図３の各部に対応する部分には同一の符号を付け、その説明を省略する。
この図において、カメラボディ１００と交換レンズ２００Ｂとは、アダプター３００を介して装着されている。
【００８０】
例えば、交換レンズ２００Ｂは、光学系を電気的に駆動しない仕様のレンズであって、ユーザの操作によってフォーカスレンズ２２２Ｂの位置を調整可能なフォーカスリング２６０Ｂと、ユーザの操作によって絞り機構２５１Ｂの開度を変更可能な絞り環２５５Ｂとを備えているレンズである。また、図６に示す交換レンズ２００Ｂは、レンズ制御部、光学系駆動部、および電気的な接続端子を備えていない点で、図３に示す交換レンズ２００と異なる。
なお、交換レンズ２００Ｂにおいては、ユーザによって絞り環２５５Ｂが操作されることにより、絞り機構２５１Ｂの絞り開口径（開度、絞り値）が変更される。そのため、アダプター制御部３１０は、絞り機構２５１Ｂの絞り開口径（開度、絞り値）が変更されることに応じて位置が移動する絞りレバー２５２Ｂの位置に干渉しない位置（移動を妨げない位置）である退避位置に、絞り連動レバー３５０を制御する。
つまり、アダプター３００は、電気的な接点を有していない交換レンズ２００Ｂに対して給電しないように制御する。また、アダプター３００は、絞り連動レバー駆動部３３０に絞り駆動用電源Ｖｍを給電して、上述した絞り連動レバー３５０の制御をする。
これにより、交換レンズ２００Ｂは、アダプター３００を介してカメラボディ１００と接続することが可能であり、交換レンズ２００Ｂの仕様に応じてマニュアル操作によって機能させることができる。
この交換レンズ２００Ｂを、以下の記述において、非ＣＰＵレンズとも称する。
【００８１】
（電磁絞り式ＣＰＵレンズ）
また、図７に示すように、絞り機構２５１Ｃを電気的に駆動する電磁絞り式の交換レンズ２００Ｃを、アダプター３００を介してカメラボディ１００と接続して機能させることも可能である。
図７は、電磁絞り式の交換レンズ２００Ｃを備えているカメラシステム１Ｃの構成の一例を示す概略ブロック図である。同図において図３の各部に対応する部分には同一の符号を付け、その説明を省略する。
この図において、カメラボディ１００と交換レンズ２００Ｃとは、アダプター３００を介して装着されている。
図７に示す交換レンズ２００Ｃは、図３に示す交換レンズ２００が絞りレバー２５２を有する絞りユニット２５０を備えているのに対して、絞り駆動部２３３Ｃを有する電磁絞りユニット２５０Ｃ備えている点で異なる。
【００８２】
例えば、交換レンズ２００Ｃは、電磁絞りユニット２５０Ｃ（ＥＭＤ(Electro-magnetic Diaphragm)を備えているレンズである。この電磁絞りユニット２５０Ｃは、絞り機構２５１Ｃと絞り駆動部２３３Ｃとを備えている。
絞り駆動部２３３Ｃは、レンズ制御部２１０Ｃが備えている光学系制御部２１１Ｃの制御により、絞り機構２５１Ｃの絞り開口径（開度、絞り値）を電気的に駆動して変更する。また、絞り駆動部２３３Ｃは、例えば、絞り駆動用アクチュエータを含んで構成されている。
なお、この図に示す構成においてアダプター３００が絞り機構２５１Ｃを制御する場合、アダプター制御部３１０は、絞り連動レバー駆動部３３０を制御するのに代えて、レンズ制御部２１０Ｃと通信することにより絞り駆動部２３３Ｃを介して絞り機構２５１Ｃを制御する。また、交換レンズ２００Ｃの電磁絞りユニット２５０Ｃには、アダプター３００からレンズ駆動系電源Ｖｐの電圧が供給される。すなわち、アダプター３００は、交換レンズ２００Ｃの電磁絞りユニット２５０Ｃを駆動する場合、絞り連動レバー駆動部３３０に絞り駆動用電源Ｖｍへの給電は行わないで、交換レンズ２００Ｃの光学系駆動部２３０および電磁絞りユニット２５０Ｃに供給されるレンズ駆動系電源Ｖｐの電圧を交換レンズ２００Ｃに対して給電する。なお、その他の電源系統は、図３を用いて説明したカメラシステム１（交換レンズ２００が装着された場合）と同様である。
これにより、交換レンズ２００Ｃは、アダプター３００を介してカメラボディ１００と接続することが可能であり、カメラ制御部１１０は、アダプター制御部３１０を介してレンズ制御部２１０Ｃと通信することにより、交換レンズ２００Ｃを機能させることができる。
この交換レンズ２００Ｃを、以下の記述において、電磁絞り式ＣＰＵレンズとも称する。
【００８３】
＜状態遷移の説明＞
次に、本実施形態による処理について説明する。
まず、図８を参照して本実施形態による状態遷移の概要について説明する。
図８は、本実施形態による交換レンズに係る処理の状態遷移の概要を示すフローチャートである。
【００８４】
まず、カメラボディ１００に対して、カメラボディ１００の主電源がオンされた場合、または、カメラボディ１００の主電源がオンされている状態において、アダプター３００が装着された場合、アダプター３００は、カメラボディ１００の制御により、「レンズ起動処理」を実行する（ステップＳ１００）。
ここで、「レンズ起動処理」とは、例えば、カメラボディ１００のカメラボディ側マウント１０１に対する着脱判定処理、アダプター３００およびアダプター３００に装着されている交換レンズ２００の初期化処理、各電源系統の給電制御処理、等である。また、例えば、このレンズ起動処理において、カメラボディ１００は、カメラボディ１００にアダプター３００を介して装着されている交換レンズ２００の種類や仕様（機能）の情報を取得する。このレンズ起動処理については後述の「レンズ起動処理」（図９）において詳述する。
【００８５】
ステップＳ１００においてレンズ起動処理が完了すると、アダプター３００は、カメラボディ１００の制御により、「レンズ定常処理」に遷移する（ステップＳ２００）。
「レンズ定常処理」とは、例えば、レンズ起動処理が完了した後の撮影処理が可能な状態である。このレンズ定常処理において、カメラボディ１００は、例えば、アダプター３００を介して装着されている交換レンズ２００の装着状態の検出と光学系の情報の取得とを所定周期で行う「定常通信」を実行する。
【００８６】
次に、カメラボディ１００またはアダプター３００は、レンズ定常処理中において割り込み要求が生じたか否かを判定する（ステップＳ３００）。ステップＳ３００において、割り込み要求がないと判定された場合、アダプター３００は、カメラボディ１００の制御により、レンズ定常処理を継続する。一方、ステップＳ３００において、割り込み要求があると判定された場合、カメラボディ１００またはアダプター３００は、要求された「割り込み処理」に遷移する（ステップＳ４００）。ここで、「割り込み処理」とは、例えば、レリーズ操作による撮影開始処理、電源瞬断時の処理、低消費電力モードへの移行または電源オフによる電源遮断処理等である。これらの処理についても後述する。
【００８７】
（レンズ起動処理の第１の例）
次に、図８を用いて説明した本実施形態による処理のうち、レンズ起動処理（図８のステップＳ１００の処理）について詳しく説明する。第１の例は、補助電源である２次電池３９０からの給電を受けない場合の、レンズ起動処理の例である。
まず、レンズ起動処理の概要について説明する。
アダプター制御部３１０は、カメラボディ１００から制御系電源Ｖｃｃ１の電圧の供給が開始された場合（制御系電源Ｖｃｃ１からのアダプター制御部３１０に対する給電が開始された後で）、パワー系電源ＰＷＲの電圧の供給開始を要求するパワー系電源ＰＷＲ要求信号をカメラボディ１００に送信する。すなわち、アダプター制御部３１０は、カメラボディ１００から制御系電源Ｖｃｃ１の電圧の給電を受けた後で、パワー系電源ＰＷＲからの給電開始を要求するパワー系電源ＰＷＲ要求信号をカメラボディ１００に送信する。
また、アダプター制御部３１０は、パワー系電源ＰＷＲ要求信号に応じてカメラボディ１００から供給されたパワー系電源ＰＷＲの電圧から、交換レンズ２００に電圧を供給するレンズ駆動系電源Ｖｐの電圧とレンズ制御系電源Ｖｃの電圧とをアダプター電源部３２０に生成させる。なお、アダプター制御部３１０は、パワー系電源ＰＷＲからの給電が開始された後、レンズ駆動系電源Ｖｐの電圧とレンズ制御系電源Ｖｃの電圧とをアダプター電源部３２０に生成させて交換レンズ２００に供給させる。
【００８８】
例えば、アダプター制御部３１０は、アダプター電源部３２０にパワー系電源ＰＷＲからの給電が開始された後に、アダプター電源部３２０からレンズ制御系電源Ｖｃの電圧を交換レンズ２００に供給させる（レンズ制御系電源Ｖｃからの給電を開始させる）。続いて、アダプター制御部３１０は、レンズ制御系電源Ｖｃの電圧をアダプター電源部３２０から交換レンズ２００に供給させた後、レンズ駆動系電源Ｖｐの電圧を交換レンズ２００に供給させる。
具体的には、アダプター制御部３１０は、交換レンズ２００にレンズ制御系電源Ｖｃの電圧が供給されることに応じて、交換レンズ２００からレンズ駆動系電源Ｖｐの電圧の供給開始を要求することを示すレンズ駆動系電源Ｖｐ要求信号を受信した場合、レンズ駆動系電源Ｖｐの電圧をアダプター電源部３２０から交換レンズ２００に供給させる。
【００８９】
また、アダプター制御部３１０は、カメラボディ１００から制御系電源Ｖｃｃ１の電圧の供給が開始された後で、カメラ制御部１１０からの制御指示に応じた初期化処理を実行する。例えば、アダプター制御部３１０は、初期化処理として交換レンズ２００の状態を初期化する処理を実行する（交換レンズ２００に対して要求する）。すなわち、アダプター制御部３１０は、交換レンズ２００に対して給電させた（交換レンズ２００に対してレンズ系電源系統の電源を供給させた）後で、交換レンズ２００の状態を初期化する処理を実行する（交換レンズ２００に対して要求する）。
また、この交換レンズ２００の状態を初期化する処理には、レンズ制御部２１０を初期化するレンズ制御部初期化処理が含まれる。
例えば、アダプター制御部３１０は、初期化処理として、交換レンズ２００に対して給電することにより、交換レンズ２００がアダプター３００に装着されている状態にあるか否かを検出する。そして、アダプター制御部３１０は、交換レンズ２００がアダプター３００に装着されている状態にあることを検出した後、レンズ制御部２１０を初期化するレンズ制御部初期化処理を実行する。
【００９０】
次に、カメラシステム１のレンズ起動処理の詳細について説明する。
図９は、レンズ起動処理の処理シーケンスの第１の例を示す図である。この図は、カメラボディ１００の主電源がオンされた場合のレンズ起動処理の一例を示している。
レンズ起動処理は、着脱判定（ステップＳ１１０）、カメラボディ１００とアダプター３００との間の情報交換（ステップＳ１２０）、初期化（ステップＳ１３０）、レンズ情報取得（ステップＳ１６０）、レンズ機能開始（ステップＳ１７０）の順に処理が行われる。また、初期化（ステップＳ１３０）においては、アダプター３００が交換レンズ２００に対して行う処理として、装着判定処理（ステップＳ１４０）とレンズ初期化処理（ステップＳ１５０）とが順に実行される。
なお、この起動処理において、カメラボディ１００がアダプター３００を介して交換レンズ２００と実行される通信は、コマンドデータ通信である。
【００９１】
まず、着脱判定（ステップＳ１１０）は、カメラボディ１００がアダプター３００に対する制御系電源Ｖｃｃ１の給電を開始して、アダプター３００（または、交換レンズ）が装着されているか否かを判定する処理である。
カメラボディ１００の主電源がオンされた場合、カメラ制御部１１０は、カメラ電源部１２０を制御して、制御系電源Ｖｃｃ１の電圧をアダプター３００に供給（給電）させる（ステップＳ１１１０）。これにより、アダプター制御部３１０に、制御系電源Ｖｃｃ１の電圧が供給される。アダプター制御部３１０は、制御系電源Ｖｃｃ１の電圧が供給されるのに応じてアダプター起動処理を行い、第１アダプター通信部３１２から第１カメラ通信部１１２に対して通信可否を通知する（ステップＳ２１１０）。例えば、第１アダプター通信部３１２は、制御系電源Ｖｃｃ１の電圧が供給されるのに応じて信号ＲＤＹをＨ（ハイ）レベルに制御し、アダプター起動処理により信号ＲＤＹをＬ（ロウ）レベルに制御する。そして、第１カメラ通信部１１２は、信号ＲＤＹの信号レベルの立下りエッジを検出することにより、装着情報を取得する（ステップＳ１１１２）。
【００９２】
これにより、カメラ制御部１１０は、第１カメラ通信部１１２により取得された装着情報に基づいて、アダプター３００が装着されているか否かの着脱判定を行う（ステップＳ１１１４）。例えば、カメラ制御部１１０は、信号ＲＤＹの信号レベルの立下りエッジが検出されたか否かを示す装着情報に基づいて着脱判定を行う。
【００９３】
ステップＳ１１１４において、カメラボディ１００にアダプター３００が装着されていると判定された場合、カメラ制御部１１０は、カメラボディ１００とアダプター３００との間の情報交換（ステップＳ１２０）に処理を進める。
なお、カメラボディ１００に対してアダプター３００を介さず直接に交換レンズ（カメラボディ１００の規格に適合するアダプター３００を介さずとも装着可能な交換レンズ、以下、規格適合レンズと称する）が装着されている場合も、カメラ制御部１１０は、同様にステップＳ１２０に処理を進める。この場合のステップＳ１２０の処理は、カメラボディ１００と規格適合レンズとの間の情報交換の処理となる。
また、ステップＳ１１１４において装着されていないと判定された場合、カメラ制御部１１０は、カメラボディ１００に対してアダプター３００および規格適合レンズの何れかが装着されていない非装着状態であると判定する。
【００９４】
ステップＳ１２０のカメラボディ１００とアダプター３００との間の情報交換において、次の処理が行われる。
第１カメラ通信部１１２は、第１アダプター通信部３１２と通信（コマンドデータ通信）の確立を行う。そして、第１カメラ通信部１１２と第１アダプター通信部３１２とは、カメラボディ１００とアダプター３００とのそれぞれの識別ＩＤ、名称、ファームウェアバージョン等の情報を互いに通信して取得する。また、第１アダプター通信部３１２は、パワー系電源ＰＷＲの電圧の供給開始を要求するパワー系電源ＰＷＲ要求信号を第１カメラ通信部１１２に送信する（ステップＳ１１２０、ステップＳ２１２０）。
【００９５】
続いて、初期化（ステップＳ１３０）の処理が行われる。この初期化の処理は、カメラボディ１００からパワー系電源ＰＷＲの電圧を供給して、アダプター３００および交換レンズ２００の初期化を行う処理である。
まず、カメラ制御部１１０は、第１カメラ通信部１１２によりパワー系電源ＰＷＲ要求信号が受信された場合、スイッチ１２５を導通状態に制御してパワー系電源ＰＷＲの電圧をバッテリー１９０からアダプター３００に供給（給電）させる（ステップＳ１１３０）。
【００９６】
次に、第１カメラ通信部１１２は、初期化要求として初期化実行コマンドを第１アダプター通信部３１２に送信する（ステップＳ１１４０）。
アダプター制御部３１０は、第１アダプター通信部３１２により初期化実行コマンドが受信された場合、装着判定処理（ステップＳ１４０）およびレンズ初期化処理（ステップＳ１５０）を実行する。
【００９７】
装着判定処理（ステップＳ１４０）は、アダプター３００に対しての交換レンズの装着判定処理である。
アダプター制御部３１０は、レンズ制御系電源Ｖｃの電圧をアダプター電源部３２０に生成させて交換レンズ２００に供給（給電）させる。次に、第１アダプター通信部３１２は、第１レンズ通信部２１２との間の通信により、レンズ装着判定処理を実行し、交換レンズが装着されているか否かを判定する。交換レンズ２００が装着されている場合、第１レンズ通信部２１２は、第１アダプター通信部３１２に、レンズ駆動系電源Ｖｐ要求信号を送信する（ステップＳ２１４０、ステップＳ３１４０）。そして、アダプター制御部３１０は、レンズ初期化処理（ステップＳ１５０）に処理を進める。
【００９８】
レンズ初期化処理（ステップＳ１５０）は、アダプター３００および交換レンズ２００の初期化処理である。
アダプター制御部３１０は、第１アダプター通信部３１２によりレンズ駆動系電源Ｖｐ要求信号が受信された場合、レンズ駆動系電源Ｖｐの電圧をアダプター電源部３２０に生成させて交換レンズ２００に供給（給電）させる。次に、第１アダプター通信部３１２は、第１レンズ通信部２１２との間の通信により、レンズ初期化処理を実行する（ステップＳ２１５０、ステップＳ３１５０）。ここで、アダプター３００側からレンズ駆動系電源Ｖｐを交換レンズ２００側に供給しないのは、次の理由による。交換レンズによっては電源供給を必要としないレンズ（例えばマニュアルフォーカスレンズ）も存在する。そのような交換レンズが装着されているときにレンズ駆動系電源Ｖｐを生成し、電源供給動作を行うことは、不必要な作業をアダプター３００側にさせることになる。そこで本実施形態では、不必要な作業をアダプター３００に行わせないようにするために、電源の給電手順を決めている。
【００９９】
次に、アダプター３００および交換レンズ２００の初期化が完了すると、第１カメラ通信部１１２は、初期化確認コマンドに対する応答結果として、初期化が完了したことを示す情報として「初期化完了」を、第１アダプター通信部３１２から受信する。これにより、カメラ制御部１１０は初期化完了情報を取得する（ステップＳ１１５０）。
【０１００】
初期化が完了すると、カメラ制御部１１０は、ステップＳ１１２０のカメラボディ１００とアダプター３００との間の情報交換において取得した情報に基づいて、アダプター３００が装着されているか否かを判定する（ステップＳ１１５５）。ステップＳ１１５５において、アダプター３００が装着されていないと判定された場合、カメラ制御部１１０は、カメラボディ１００に対してアダプター３００を介さず直接に規格適合レンズ（カメラボディ１００の規格に適合するアダプター３００を介さずとも装着可能な交換レンズ）が装着されていると判定する。一方、ステップＳ１１５５において、アダプター３００が装着されていると判定された場合、カメラ制御部１１０は、レンズ情報取得（ステップＳ１６０）の処理に進める。
【０１０１】
レンズ情報取得（ステップＳ１６０）の処理は、アダプター３００に対しての交換レンズの装着判定処理、および、アダプター３００に装着されている交換レンズ２００の情報を取得する処理である。交換レンズ２００の情報とは、例えば、レンズの種別、ホットライン通信機能の有無、防振機能の有無、電磁絞りの有無、開放Ｆ値、焦点距離情報等のレンズ情報である。
第１カメラ通信部１１２は、第１アダプター通信部３１２にレンズ情報取得コマンドを送信して、第１アダプター通信部３１２からのレンズ情報の応答を受信して、交換レンズ２００の情報を取得する（ステップＳ１１６０、ステップＳ２１６０）。
【０１０２】
次に、カメラ制御部１１０は、レンズ情報取得（ステップＳ１６０）において取得されたレンズ情報に基づいて、交換レンズ２００の種類（種別）を判定する（ステップＳ１１６５）。例えば、カメラ制御部１１０は、装着判定処理（ステップＳ１４０）の判定結果により、アダプター３００にＣＰＵレンズが装着されているか否かを判定する。
ステップＳ１１６５においてＣＰＵレンズが装着されていないと判定された場合、非ＣＰＵレンズ装着状態と判定して起動し、処理を終了する。
一方、ステップＳ１１６５において、ＣＰＵレンズが装着されていると判定された場合、レンズ機能開始（ステップＳ１７０）に処理を進める。
また、カメラ制御部１１０は、取得したレンズ情報に基づいて、例えば、ＡＦ制御（処理）の機能を有するレンズ、ＶＲレンズ２２３の制御（処理）の機能（防振制御機能）を有するレンズ、または、電磁絞り式レンズ、であるか否か等を判定する。
【０１０３】
レンズ機能開始（ステップＳ１７０）の処理は、レンズ情報取得（ステップＳ１６０）の処理において取得したレンズ情報に基づいて、交換レンズの種別（機能）に応じて、それぞれの機能を開始する処理をする。第１カメラ通信部１１２は、第１アダプター通信部３１２を介して第１レンズ通信部２１２と通信を行い、例えば、レンズ制御用テーブルの取得、ホットライン通信許可設定、防振制御開始設定等の処理を行う（ステップＳ１１７０、ステップＳ２１７０、ステップＳ３１７０）。
そして、カメラ制御部１１０は、ＣＰＵレンズ装着状態と判定して起動し、処理を終了する。
【０１０４】
このように、アダプター制御部３１０は、カメラボディ１００から制御系電源Ｖｃｃ１の電圧が供給されることに応じて起動し、カメラボディ１００にパワー系電源ＰＷＲの電圧の供給開始を要求する。また、アダプター制御部３１０は、カメラボディ１００からパワー系電源ＰＷＲの電圧が供給されることに応じて、パワー系電源ＰＷＲから交換レンズ２００に供給するレンズ制御系電源Ｖｃの電圧を生成する。さらに、アダプター制御部３１０は、交換レンズ２００にレンズ制御系電源Ｖｃの電圧を供給することにより、交換レンズ２００からレンズ駆動系電源Ｖｐの電圧の供給が要求された場合、パワー系電源ＰＷＲからレンズ駆動系電源Ｖｐの電圧を生成して交換レンズ２００に供給する。
【０１０５】
これにより、アダプター制御部３１０は、カメラボディ１００から供給される電圧に基づいて、交換レンズ２００に供給する電圧を生成するとともに、それぞれの電源系統の電圧の供給開始タイミングを適切に制御できる。
また、アダプター制御部３１０は、レンズ起動処理において交換レンズ２００の仕様を判別し、判別した仕様に基づいて交換レンズ２００に電圧を供給できる。また、アダプター制御部３１０は、判別した交換レンズの仕様に基づいて、電圧の供給が不要な交換レンズの場合、交換レンズへの電圧の供給を停止できる。
【０１０６】
（レンズ起動処理の第２の例）
次に、図１０を参照してレンズ起動処理の第２の例について説明する。図１０は、レンズ起動処理の処理シーケンスの第２の例を示す図である。図９を用いて説明した第１の例は、パワー系電源ＰＷＲからの給電によりレンズ制御系電源Ｖｃおよびレンズ駆動系電源Ｖｐの供給電圧を生成する場合のレンズ起動処理の例であった。これに対して、図１０に示す第２の例は、２次電池３９０からの給電によりレンズ制御系電源Ｖｃおよびレンズ駆動系電源Ｖｐの供給電圧を生成する場合のレンズ起動処理の例である。
例えば、蓄電量の多い２次電池３９０（例えば、バッテリーパック）を搭載している場合などにおいて、２次電池３９０からの給電によりレンズ制御系電源Ｖｃおよびレンズ駆動系電源Ｖｐの供給電圧を生成する場合のレンズ起動処理の例である。
なお、レンズ起動処理の処理中は２次電池３９０からの給電とし、レンズ起動処理の処理完了後はパワー系電源ＰＷＲからの給電に切替える制御としてもよい。
【０１０７】
なお、図１０において図９の各処理に対応する部分には同一の符号を付け、その説明を省略する。
まず、図９に示すレンズ起動処理と同様に、着脱判定（ステップＳ１１０）処理が行われ、次に、カメラボディ１００とアダプター３００との間の情報交換（ステップＳ１２０）の処理が行われる。ステップＳ１２０において、第１アダプター通信部３１２は、パワー系電源ＰＷＲからの給電開始を要求するパワー系電源ＰＷＲ要求信号を第１カメラ通信部１１２に送信する（ステップＳ１１２０、ステップＳ２１２０）。この後、アダプター３００は、２次電池３９０からの給電を用いて初期化の処理を行うが、カメラボディ１００からパワー系電源ＰＷＲが給電されている状態にするため（カメラ制御部１１０には第１の例の場合と共通の処理を行わせるため、且つ、アダプター３００においてパワー系電源ＰＷＲからの給電が必要になった際に、瞬時に給電を受けられるように）、第１の例と同様に、パワー系電源ＰＷＲ要求信号をカメラボディ１００に送信する。
【０１０８】
続く、初期化（ステップＳ１３０）の処理において、アダプター制御部３１０は、２次電池３９０からの給電により交換レンズ２００に供給する電圧を生成して交換レンズ２００の初期化を行う。
初期化（ステップＳ１３０）の処理において、まず、アダプター制御部３１０は、切替部３２７を制御することによりパワー系電源ＰＷＲから２次電池３９０の給電系統に切替えて、２次電池３９０からの給電を開始させる（ステップＳ２１３０）。
次に、カメラ制御部１１０は、第１カメラ通信部１１２によりパワー系電源ＰＷＲ要求信号が受信された場合、スイッチ１２５を導通状態に制御してパワー系電源ＰＷＲの電圧をバッテリー１９０からアダプター３００に供給（給電）させる（ステップＳ１１３０）。これにより、パワー系電源ＰＷＲの電圧がアダプター３００の端子Ｔｂ２に供給される。
【０１０９】
続いて、第１カメラ通信部１１２は、初期化要求として初期化実行コマンドを第１アダプター通信部３１２に送信する（ステップＳ１１４０）。
アダプター制御部３１０は、第１アダプター通信部３１２により初期化実行コマンドが受信された場合、装着判定処理（ステップＳ１４０）およびレンズ初期化処理（ステップＳ１５０）を実行する。
【０１１０】
装着判定処理（ステップＳ１４０）は、第１の例で説明したようにアダプター３００に対しての交換レンズの装着判定処理である。
アダプター制御部３１０は、２次電池３９０からの給電系統によりアダプター電源部３２０に生成させたレンズ制御系電源Ｖｃの電圧を交換レンズ２００に供給（給電）させる。次に、第１アダプター通信部３１２は、第１レンズ通信部２１２との間の通信により、レンズ装着判定処理を実行し、交換レンズが装着されているか否かを判定する。交換レンズ２００が装着されている場合、第１レンズ通信部２１２は、第１アダプター通信部３１２に、レンズ駆動系電源Ｖｐからの給電を要求するレンズ駆動系電源Ｖｐ要求信号を送信する（ステップＳ２１４０、ステップＳ３１４０）。そして、アダプター制御部３１０は、レンズ初期化処理（ステップＳ１５０）に処理を進める。
【０１１１】
レンズ初期化処理（ステップＳ１５０）は、アダプター３００および交換レンズ２００の初期化処理である。
アダプター制御部３１０は、第１アダプター通信部３１２によりレンズ駆動系電源Ｖｐ要求信号が受信された場合、２次電池３９０からの給電系統によりアダプター電源部３２０に生成させたレンズ駆動系電源Ｖｐの電圧を交換レンズ２００に供給（給電）させる。
次に、第１アダプター通信部３１２は、第１レンズ通信部２１２との間の通信により、レンズ初期化処理を実行する（ステップＳ２１５０、ステップＳ３１５０）。
この後に続く処理は、第１の例と同様であり、その説明を省略する。
【０１１２】
このように、アダプター制御部３１０は、制御系電源Ｖｃｃ１からの給電（着脱判定（ステップＳ１１０）内の処理）を受けた後で、２次電池３９０からの給電系統によりアダプター電源部３２０に生成させたレンズ系電源系統（レンズ制御系電源Ｖｃ）の電圧を交換レンズ２００に供給（給電）させる。また、アダプター制御部３１０は、制御系電源Ｖｃｃ１からの給電を受けた後で、第１アダプター通信部３１２によりパワー系電源ＰＷＲからの給電開始を要求するパワー系電源ＰＷＲ要求信号をカメラボディ１００の第１カメラ通信部１１２に送信するとともに、２次電池３９０からの給電系統によりアダプター電源部３２０に生成させたレンズ系電源系統（レンズ制御系電源Ｖｃ）の電圧を交換レンズ２００に供給（給電）させる。
そして、アダプター制御部３１０は、レンズ制御系電源Ｖｃの電圧を交換レンズ２００に供給（給電）させた後で、交換レンズ２００の状態を初期化する処理を、交換レンズ２００に対して要求する。また、アダプター制御部３１０は、レンズ制御系電源Ｖｃの電圧を交換レンズ２００に供給（給電）させた後、交換レンズ２００からレンズ駆動系電源Ｖｐの給電要求があった場合に、交換レンズ２００に対して、２次電池３９０からの給電系統によりアダプター電源部３２０に生成させたレンズ駆動系電源Ｖｐの電圧を供給して、交換レンズ２００の状態を初期化する処理を要求する。
【０１１３】
これにより、アダプター制御部３１０は、カメラボディ１００から供給される制御系電源Ｖｃｃ１の電圧により起動し、２次電池３９０からの給電に基づいて交換レンズ２００に供給する電圧を生成するとともに、それぞれの電源系統の電圧の供給開始タイミングを適切に制御できる。すなわち、アダプター３００は、搭載する２次電池３９０からの給電系統により交換レンズ２００に供給する電圧を生成して、第２の例においても第１の例と同様に「レンズ起動処理」を実行することができる。また、アダプター３００は、第１の例および第２の例において、カメラボディ１００側の制御（処理）および交換レンズ２００側の制御（処理）を異ならせることがないように「レンズ起動処理」を実行することができる。
【０１１４】
（電源遮断処理および低消費電力処理）
次に、図８を用いて説明した本実施形態による「割り込み処理」（図８のステップＳ４００の処理）のうちの「電源遮断処理および低消費電力処理」について詳しく説明する。
ここで、低消費電力処理とは、カメラボディ１００の動作状態（動作モード）を、撮影処理を行うことが可能な動作モード（第１動作モード）に比して消費電力を低減させた、撮影処理を行うことが不可能な動作モード（第２動作モード／低消費電力モード／スリープモード）に遷移させる処理である。
ここで、以下の記述において、低消費電力処理をスリープ処理と称し、スリープ処理により遷移させた動作状態（動作モード）をスリープモードと称する。
例えば、カメラボディ１００における電源オフによる割り込み要求に応じて、電源遮断処理が実行される。また、無操作が所定時間以上継続した場合等に、スリープ処理が実行される。
また、電源遮断処理およびスリープ処理は、アダプター３００および交換レンズ２００の機能を停止（シャットダウン）させて、カメラボディ１００からのパワー系電源ＰＷＲの電圧の供給を停止（遮断）させるレンズシャットダウン処理が含まれている。すなわち、電源遮断処理およびスリープ処理は、交換レンズ２００に対してレンズ駆動系電源Ｖｐの電圧の供給を停止（遮断）して、パワー系電源ＰＷＲの電圧の供給を停止（遮断）させる処理である。
なお、電源遮断処理の場合は、交換レンズ２００に対してレンズ駆動系電源Ｖｐの電圧の供給を停止（遮断）した後、レンズ制御系電源Ｖｃの電圧の供給も停止（遮断）して、カメラボディ１００からパワー系電源ＰＷＲおよび制御系電源Ｖｃｃ１の両方の電圧の供給を停止させる処理である。
【０１１５】
また、カメラボディ１００の動作モードがスリープモードに遷移される場合において、カメラボディ１００からパワー系電源ＰＷＲの電圧の供給が停止され、制御系電源Ｖｃｃ１の電圧の供給が継続される。例えば、カメラボディ１００の動作モードがスリープモードに遷移した場合、カメラボディ１００によって、制御系電源Ｖｃｃ１の電圧の供給が予め定められた期間継続される。また、カメラボディ１００の動作モードがスリープモードに遷移される場合において、アダプター制御部３１０は、２次電池３９０からの給電系統によりアダプター電源部３２０に生成させたレンズ制御系電源Ｖｃの交換レンズ２００に対する給電を継続させる。例えば、アダプター制御部３１０は、上述した制御系電源Ｖｃｃ１と同様の予め定められた期間継続させる。ここで、予め定められた期間とは、例えば、カメラボディ１００に対しての操作を検出することにより撮影処理を行うことが可能な動作モードに復帰するとして定められた期間、または、無操作状態が更に継続された場合にカメラボディ１００の電源遮断処理に移行するために定められた期間等である。
【０１１６】
図１１は、電源遮断処理およびスリープ処理の処理シーケンスの一例を示す図である。
この図を参照して、カメラシステム１の電源遮断処理およびスリープ処理について説明する。なお、この図では、「レンズ定常処理」（図８のステップＳ２００の処理）において、アダプター３００が制御系電源Ｖｃｃ１およびパワー系電源ＰＷＲの給電を受けている状態から、「電源遮断処理および低消費電力処理」に移行して、アダプター３００がパワー系電源ＰＷＲから２次電池３９０の給電系統の給電に切替えて、交換レンズ２００に対するレンズ制御系電源Ｖｃの給電を継続させる例を示している。
【０１１７】
電源遮断処理およびスリープ処理は、レンズ機能終了（ステップＳ４１０）、シャットダウン（ステップＳ４２０）、スリープモード移行（ステップＳ４３０）の順に処理が行われる。なお、この電源遮断処理およびスリープ処理において、カメラボディ１００がアダプター３００を介して交換レンズ２００と行う通信は、コマンドデータ通信である。
【０１１８】
電源遮断処理またはスリープ処理が開始されると、まず、レンズ機能終了（ステップＳ４１０）の処理が行われる。
第１カメラ通信部１１２は、第１アダプター通信部３１２を介して第１レンズ通信部２１２と通信することにより、交換レンズ２００の機能動作を停止させる（ステップＳ１２１０、ステップＳ２２１０、ステップＳ３２１０）。これにより、レンズ制御部２１０は、交換レンズ２００の機能動作を停止する。例えば、レンズ機能終了の処理によって、交換レンズ２００の防振制御の終了、またはホットライン通信の禁止等の処理が行われる。
【０１１９】
次に、シャットダウン（ステップＳ４２０）の処理が行われる。
第１カメラ通信部１１２は、シャットダウン要求として、シャットダウン実行コマンドを第１アダプター通信部３１２に送信する（ステップＳ１２２０）。その後、第１カメラ通信部１１２は、シャットダウン完了確認コマンドを繰り返して送信して、第１アダプター通信部３１２からのシャットダウン準備完了の応答を待つ。
【０１２０】
アダプター制御部３１０は、第１アダプター通信部３１２によりシャットダウン実行コマンドが受信された場合、レンズシャットダウン処理を開始する。まず、第１アダプター通信部３１２は、レンズ駆動系電源Ｖｐの給電不可を指示するコマンドを第１レンズ通信部２１２に送信する。第１レンズ通信部２１２により、このコマンドが受信されることに応じて、レンズ制御部２１０は、交換レンズ２００内におけるレンズ駆動系電源Ｖｐの電圧の供給（給電）を停止させる（ステップＳ３２２０）。次に、アダプター制御部３１０は、アダプター電源部３２０からのレンズ駆動系電源Ｖｐの電圧の供給を停止させる。
続いて、第１アダプター通信部３１２は、交換レンズ２００がスリープモードに移行可能な交換レンズである場合には、スリープモードへの遷移指示を第１レンズ通信部２１２に送信する（ステップＳ２２２０）。このスリープモードへの遷移指示を受信することに応じて、レンズ制御部２１０は、スリープモードへ移行する（ステップＳ３２３０）。なお交換レンズ２００がスリープモードに移行できないレンズである場合には、これらステップＳＳ２２２０、ステップＳ３２３０に記載のスリープモード移行関連の処理は行われない。
【０１２１】
次に、アダプター制御部３１０は、絞り連動レバー３５０を退避位置に移動させ（ステップＳ２２３０）、アダプター３００が備えている各部のシャットダウン処理を実行するとともに、切替部３２７を制御して、パワー系電源ＰＷＲから２次電池３９０の給電系統の給電に切替える（ステップＳ２２３５）。これにより、レンズ制御系電源Ｖｃの電圧は、パワー系電源ＰＷＲの電圧から生成されている状態から２次電池３９０の給電系統の電圧から生成されている状態に切替わる。続いて、第１アダプター通信部３１２は、シャットダウン処理が完了した場合、第１カメラ通信部１１２から受信したシャットダウン完了確認コマンドに応じて、アダプター３００（アダプター３００および交換レンズ２００）におけるシャットダウン処理が完了したことを示す情報として「シャットダウン準備完了」を第１カメラ通信部１１２に応答する。また、第１アダプター通信部３１２は、スリープ処理要求の有無を第１カメラ通信部１１２に応答する（ステップＳ２２４０）。
【０１２２】
第１カメラ通信部１１２は、シャットダウン完了確認コマンドの応答結果として、第１アダプター通信部３１２から「シャットダウン準備完了」の応答を取得する（ステップＳ１２４０）。
カメラ制御部１１０は、第１アダプター通信部３１２によりシャットダウン準備完了の応答が取得された場合、スイッチ１２５を遮断状態に制御してパワー系電源ＰＷＲの電圧の供給を停止させる（ステップＳ１２５０）。
【０１２３】
次に、カメラ制御部１１０は、シャットダウン完了確認コマンドの応答結果において、スリープモード移行要求の有無を判定する（ステップＳ１２５５）。ステップＳ１２５５において、スリープモード移行要求が無いと判定された場合、カメラ制御部１１０は、カメラ電源部１２０を制御して制御系電源Ｖｃｃ１の電圧の供給を停止させる（ステップＳ１２７０）。これにより、アダプター制御部３１０への給電が停止されて、交換レンズ２００に対するレンズ制御系電源Ｖｃの電圧の供給も停止される。
【０１２４】
一方、ステップＳ１２５５において、スリープモード移行要求が有りと判定された場合、スリープモード移行（ステップＳ４３０）の処理か行われる。まず、第１カメラ通信部１１２は、スリープモードへの遷移指示を第１アダプター通信部３１２に送信する。これにより、アダプター制御部３１０は、スリープモードに遷移（移行）する。ここで、アダプター制御部３１０は、スリープモードにおいて、２次電池３９０の給電系統の電圧から生成されているレンズ制御系電源Ｖｃの電圧を給電状態のまま継続する（切替部３２７を２次電池３９０の給電系統の給電に切替える制御をしたまま継続するとともに、制御信号ＣＴＬ１をＨ（ハイ）状態に制御したまま継続する）。また、例えば、第１アダプター通信部３１２は、スリープモードに遷移する処理の開始前に、信号ＲＤＹをＨ（ハイ）レベルに制御し、スリープモードに遷移する処理が完了した後、信号ＲＤＹをＬ（ロウ）レベルに制御する。第１カメラ通信部１１２は、信号ＲＤＹの信号レベルの立下りエッジを検出することにより、アダプター３００のスリープモードに遷移する処理が完了したことを検出して、制御系電源Ｖｃｃ１の電圧の供給を小給電状態に切替える（ステップＳ１２６０、ステップＳ２２６０）。
これにより、電源遮断状態またはスリープモードに遷移する。
【０１２５】
このように、カメラボディ１００がスリープモードに遷移した場合、カメラ制御部１１０は、アダプター３００へのパワー系電源ＰＷＲの電圧の供給を停止させ、制御系電源Ｖｃｃ１の電圧の供給を継続させる。すなわち、アダプター３００は、スリープモードに遷移された場合、カメラボディ１００からパワー系電源ＰＷＲの電圧の供給が停止され、制御系電源Ｖｃｃ１の電圧の供給が継続される。
これにより、スリープモードにおいて低消費電力化が可能である。また、制御系電源Ｖｃｃ１の電圧の供給を継続してアダプター制御部３１０の処理を完全に停止させていない（アダプター制御部３１０を、復帰処理に必要な最小の電力で動作させている）。そのため、アダプター制御部３１０は、スリープモードから定常状態への復帰（起動）の際に、完全に処理を停止している場合に比較して、短い時間で復帰（起動）できる。
さらに、レンズ制御系電源Ｖｃの電圧の供給を継続してレンズ制御部２１０の処理を完全に停止させていない（レンズ制御部２１０を、復帰処理に必要な最小の電力で動作させている）。そのため、レンズ制御部２１０は、スリープモードから定常状態への復帰（起動）の際に、完全に処理を停止している場合に比較して、短い時間で復帰（起動）できる。すなわち、スリープモードにおいて、アダプター制御部３１０およびレンズ制御部２１０の両方の処理を完全に停止させていないため、スリープモードから定常状態への復帰（起動）の際に、アダプター制御部３１０およびレンズ制御部２１０の両方もしくは一方の処理を完全に停止している場合に比較して、短い時間で復帰（起動）できる。
【０１２６】
＜第２実施形態＞
（アダプター電源部３２０の第２の構成例）
次に、この発明の第２実施形態について説明する。
第２実施形態は、パワー系電源ＰＷＲからの給電と２次電池からの給電とを切替え可能な構成に加えて、制御系電源Ｖｃｃ１からの給電と２次電池からの給電とを切替え可能な構成も備えている点が、第１実施形態と異なる。
図１、図２、図３、図６、および図７に示す第１実施形態の構成は、第２実施形態においても同様であり、その説明を省略する。
図１２は、第２実施形態によるアダプター電源部３２０における電源系統の構成の一例を示す概略ブロック図である。同図において図４の各部に対応する部分には同一の符号を付け、その説明を省略する。
【０１２７】
図１２に示すアダプター電源部３２０は、アダプター制御部３１０対して、制御系電源Ｖｃｃ１からの給電と２次電池３９０ａからの給電とを切替え可能な切替部３２７ａと、２次電池３９０ａに充電する充電部３２８ａとをさらに備えている点のみが第１実施形態（図４参照）と異なる。すなわち、アダプター電源部３２０は、制御系電源Ｖｃｃ１（第１電源系統）からの給電によりアダプター制御部３１０に給電するアダプター制御系電源Ｖａ（第６電源系統）の電圧を生成するのみではなく、２次電池３９０ａからの給電系統によりアダプター制御部３１０に給電するアダプター制御系電源Ｖａ（第６電源系統）の電圧を生成可能な構成である。
充電部３２８ａは、制御系電源Ｖｃｃ１の給電から２次電池３９０ａに対して充電する。切替部３２７ａは、アダプター制御部３１０の制御により、アダプター制御部３１０に給電するアダプター制御系電源Ｖａを、制御系電源Ｖｃｃ１および２次電池３９０ａからの給電系統のうちの何れかに切替える。すなわち、アダプター電源部３２０は、制御系電源Ｖｃｃ１の電圧および２次電池３９０ａの給電系統の電圧のうちの何れかからアダプター制御部３１０に給電するアダプター制御系電源Ｖａの電圧を生成する。
【０１２８】
これにより、アダプター３００は、搭載する２次電池３９０の給電から、交換レンズ２００に供給する電圧を生成できるとともに、搭載する２次電池３９０ａの給電から、アダプター制御部３１０に供給するアダプター制御系電源Ｖａの電圧を生成（給電）できる。そのため、アダプター３００は、状況に応じて、カメラボディ１００から供給される電圧と、２次電池３９０または２次電池３９０ａからの給電系統の電圧とのうちの何れかに切替えて、交換レンズ２００またはアダプター制御部３１０に供給する電圧を生成（給電）できる。
【０１２９】
つまり第１実施形態と比較すると、アダプター３００は、例えば、制御系電源Ｖｃｃ１の電圧が一時的に低下（または瞬断）した場合や給電が停止された場合であっても、２次電池３９０ａからの給電によりアダプター制御系電源Ｖａの供給電圧の生成を一定期間継続できる。よって、アダプター３００は、制御系電源Ｖｃｃ１の電圧が一時的に低下（または瞬断）した場合や給電が停止された場合に、アダプター制御部３１０の動作を継続させる制御、アダプター制御部３１０を復帰処理に必要な最低限の動作を継続させる制御、または電圧低下によるエラーを通知する制御などを実行できる。
【０１３０】
このように、第２実施形態によれば、アダプター３００は、カメラボディ１００から供給された制御系電源Ｖｃｃ１に加えて、２次電池３９０ａからの給電系統からもアダプター制御部３１０に供給するための電圧を生成して供給できるため、制御系電源Ｖｃｃ１からの給電に電圧低下（または、瞬断）や給電の停止などが生じた場合でも、アダプター制御部３１０に対して給電を一定期間継続できる。
また、カメラボディ１００がスリープモードに遷移した場合、アダプター制御部３１０は、制御系電源Ｖｃｃ１からの給電によりスリープモードでの動作を継続する制御、または２次電池３９０ａからの給電によりスリープモードでの動作を継続する制御の何れも可能である。すなわち、第２実施形態によれば、アダプター３００は、カメラボディ１００からの給電を受けなくてもアダプター制御部３１０とレンズ制御部２１０との両方をスリープモードで動作を継続できる。
よって、アダプター３００は、交換レンズ２００を駆動するための電圧を安定して供給できる。すなわち、アダプター３００は、交換レンズ２００を駆動するための電圧を適切に供給できる。
【０１３１】
＜第３実施形態＞
（アダプター電源部３２０の第３の構成例）
次に、この発明の第３実施形態について説明する。
第３実施形態は、アダプター３００内において必要とされる電源系統の電圧、および交換レンズ２００内において必要とされる電源系統の電圧の全てを、パワー系電源ＰＷＲからの給電により生成する（制御系電源Ｖｃｃ１からの給電を使用しないで生成する）とともに、パワー系電源ＰＷＲからの給電と２次電池からの給電とを切替え可能とした構成である。
図１、図２、図３、図６、および図７に示す第１実施形態の構成は、第３実施形態においても同様であり、その説明を省略する。
図１３は、第３実施形態によるアダプター電源部３２０における電源系統の構成の一例を示す概略ブロック図である。同図において図４の各部に対応する部分には同一の符号を付け、その説明を省略する。
【０１３２】
図１３に示すアダプター電源部３２０は、パワー系電源ＰＷＲの給電からＤＣ−ＤＣコンバータ部３２１を介してアダプター制御系電源Ｖａの供給電圧を生成する第３レギュレータ部３２４をさらに備え、制御系電源Ｖｃｃ１からの給電を使用しない点が、第１実施形態（図４参照）の構成と異なる。
第３レギュレータ部３２４には、ＤＣ−ＤＣコンバータ部３２１において生成された絞り駆動用電源Ｖｍの電圧が供給される。第３レギュレータ部３２４は、例えば、第３リニアレギュレータを備えており、絞り駆動用電源Ｖｍの電圧を降圧して電圧を安定化させたアダプター制御系電源Ｖａの電圧を生成する。このアダプター制御系電源Ｖａの電源線は、第３レギュレータ部３２４の出力端子からアダプター制御部３１０の電源端子に接続されている。これにより、アダプター電源部３２０は、パワー系電源ＰＷＲ（第２電源系統）の電圧および２次電池３９０の給電系統の電圧のうちの何れかからアダプター制御部３１０に給電するアダプター制御系電源Ｖａ(第６電源系統）の電圧を生成する。
すなわち、アダプター電源部３２０は、パワー系電源ＰＷＲの電圧および２次電池３９０の給電系統の電圧のうちの何れかから、アダプター制御系電源Ｖａ、絞り駆動用電源Ｖｍ、レンズ制御系電源Ｖｃ、およびレンズ駆動系電源Ｖｐのそれぞれの電圧を生成する。
【０１３３】
例えば、アダプター電源部３２０は、パワー系電源ＰＷＲ（第２電源系統）からアダプター制御系電源Ｖａ(第６電源系統）の供給電圧を生成するとともに、パワー系電源ＰＷＲ（第２電源系統）から給電される電圧が所定の電圧より低下した場合、２次電池３９０からの給電系統によりアダプター制御系電源Ｖａ(第６電源系統）の供給電圧を生成する。
【０１３４】
これにより、アダプター３００は、パワー系電源ＰＷＲの電圧および２次電池３９０の給電系統の電圧のうちの何れかから、アダプター３００内で必要とされる電圧、および交換レンズ２００に供給する電圧のそれぞれを生成できる。そのため、状況に応じて、カメラボディ１００から供給されるパワー系電源ＰＷＲの電圧と２次電池３９０からの給電系統の電圧とのうちの何れかに切替えることにより、それぞれの電源系統の給電を安定化できる。特に、第３実施形態によれば、アダプター３００は、アダプター３００内および交換レンズ２００に供給する電圧を、１つの電源系統（パワー系電源ＰＷＲ）から生成して給電する構成であるため、この１つの電源系統（パワー系電源ＰＷＲ）からの給電量が多くなり給電が不安定になる可能性がある。そのため、補助電源としての２次電池３９０からの給電を受けることが可能な構成は、アダプター電源部３２０により生成される電源系統の給電を安定化させることに、より効果的である。
【０１３５】
＜第４実施形態＞
（アダプター電源部３２０の第４の構成例）
次に、この発明の第４実施形態について説明する。
第４実施形態は、第１実施形態においてアダプター３００が２次電池３９０を搭載しているのに代えて１次電池を搭載し、１次電池からの給電のみにより交換レンズ２００に供給する電圧を生成する例である。
図１、および図２に示す第１実施形態の構成は、第４実施形態においても同様であり、その説明を省略する。また、図３、図６、および図７に示す第１実施形態の構成は、第４実施形態においては２次電池３９０が１次電池に代わる点が異なる。
図１４は、第４実施形態によるアダプター電源部３２０における電源系統の構成の一例を示す概略ブロック図である。同図において図４の各部に対応する部分には同一の符号を付け、その説明を省略する。
【０１３６】
図１４に示すアダプター電源部３２０は、図４に示す切替部３２７と充電部３２８とを備えておらず、１次電池３９５からの給電のオンとオフとを切替えるスイッチ３２６を備えている。アダプター３００に搭載されている１次電池３９５の給電系統の電源線が、スイッチ３２６を介してＤＣ−ＤＣコンバータ部３２１と第２レギュレータ部３２３とにそれぞれ接続されている。スイッチ３２６は、アダプター制御部３１０の制御により、導通状態と遮断状態（非導通状態）とを切替える。すなわち、スイッチ３２６は、アダプター制御部３１０の制御により、１次電池３９５の給電系統の電圧を、ＤＣ−ＤＣコンバータ部３２１と第２レギュレータ部３２３とに対してそれぞれ供給するか否か（供給するか、または供給を停止するか）を切替える。その他の構成は、図４に示す構成と同様である。
【０１３７】
この構成によれば、アダプター３００は、１次電池３９５からの給電により交換レンズ２００に供給する電圧を生成できる。また、１次電池３９５からの給電により絞り連動レバー駆動部３３０に供給する電圧を生成できる。これにより、カメラボディ１００からのパワー系電源ＰＷＲの給電を必要としないため、カメラボディ１００に搭載されているバッテリー１９０の消耗を抑制できる。
【０１３８】
なお、第４実施形態において、１次電池３９５からの給電系統の電圧のみにより交換レンズ２００に供給する電圧を生成する例を説明した。しかし、パワー系電源ＰＷＲからの電圧と１次電池３９５からの給電系統の電圧とのうちの何れかから交換レンズ２００に供給する電圧を生成する構成としてもよい。例えば、図４に示す構成において、２次電池３９０に代えて１次電池３９５を搭載し、充電部３２８を備えていない構成とする。これにより、アダプター３００は、アダプター制御部３１０の制御により、パワー系電源ＰＷＲからの電圧と１次電池３９５からの給電系統の電圧とのうちの何れかを切替部３２７において切替えて、交換レンズ２００に供給する電圧を生成してもよい。
また、図１２（第２実施形態）または図１３（第３実施形態）に示す構成において、それぞれ２次電池３９０に代えて１次電池とする構成としてもよい。例えば、図１２または図１３に示す構成において、充電部３２８（または充電部３２８ａ）を備えないで、カメラボディ１００からの電源系統と１次電池３９５の給電系統とのうちの何れかを切替部３２７（または切替部３２７ａ）において切替える構成としてもよい。また、図１２または図１３に示す構成において、さらに切替部３２７（または切替部３２７ａ）も備えない構成として、１次電池３９５からの給電により、アダプター３００内で必要とされる電圧、および交換レンズ２００に供給する電圧のそれぞれを生成する構成としてもよい。
【０１３９】
なお、第４実施形態における１次電池３９５を２次電池３９０とする構成にしてもよい。すなわち、アダプター３００は、２次電池３９０からの給電のみにより、交換レンズ２００に供給する電圧を生成する構成としてもよい。さらに、アダプター３００は、２次電池３９０からの給電のみにより、アダプター３００内で必要とされる電圧、および交換レンズ２００に供給する電圧のそれぞれを生成する構成としてもよい。
また、アダプター３００内において、カメラボディ１００からの電源系統（パワー系電源ＰＷＲまたは制御系電源Ｖｃｃ１）の給電により２次電池３９０が充電される構成に限られるものではない。例えば、アダプター３００内から取り出して外部の充電装置に２次電池３９０の充電用の接点を接続することにより、２次電池３９０が充電される構成としてもよい。また、例えば、２次電池３９０が内部に搭載されたままのアダプター３００を、アダプター３００内の２次電池に対して非接触充電（無接点充電）方式により充電を行う充電パッド（充電器）の上に置くことにより、２次電池３９０が充電される構成としてもよい。
【０１４０】
＜第５実施形態＞
次に、搭載されている２次電池３９０に対して非接触充電方式（無接点充電方式、無線充電方式）により充電する場合の構成について説明する。
図１５は、第５実施形態による非接触充電の構成の一例を示す概略ブロック図である。
この図が示す構成は、非接触充電方式の受電側の非接触式充電部３２９を備えたアダプター３００Ａと、非接触充電方式の送電側（給電側）の非接触式送電部８１０を備えた充電パッド８００（充電器）との構成である。
例えば、アダプター電源部３２０は、図４に示す充電部３２８に代えて、非接触充電方式の受電側の非接触式充電部３２９を備えている。
【０１４１】
充電パッド８００は、送電側の非接触式送電部８１０と、家庭用商用電源コンセントに挿入して接続する交流電圧入力用（ＡＣｉｎ）のＡＣプラグ８２０ａと、直流電圧入力用（ＤＣｉｎ）のＤＣプラグ８２０ｄ（例えば、ＵＳＢ電源からの給電を受けるためのＵＳＢ端子接続用のコネクタ）と、を備えている。また、送電側の非接触式送電部８１０は、電源制御部８１０ａと、インバータ部８１０ｂと、１次コイルＬ１（送電コイル、給電コイル）とを備えている。
電源制御部８１０ａは、ＡＣプラグ８２０ａまたはＤＣプラグ８２０ｄから供給される電圧（交流電圧または直流電圧）を、所定の直流電圧に変換してインバータ部８１０ｂに供給する。インバータ部８１０ｂは、電源制御部８１０ａから供給された直流電圧から、高周波の交流電圧を生成して１次コイルＬ１へ供給する。これにより、１次コイルＬ１には、磁束が発生する。
【０１４２】
アダプター３００Ａの受電側の非接触式充電部３２９は、非接触充電により電力供給が可能な充電パッド８００（充電器）からの電力を受電可能な受電部３２９Ｒと、受電部３２９Ｒにより受電された電力からの２次電池３９０への充電を制御する充電制御部３２９ｂとを備えている。また、受電部３２９Ｒは、２次コイルＬ２（受電コイル）と、整流回路３２９ａとを備えている。
２次コイルＬ２には、充電パッド８００に内蔵された１次コイルＬ１と磁気結合して(１次コイルに発生した磁束を媒介として)電磁誘導による電力が生じる。整流回路３２９ａは、２次コイルＬ２に生じた電力の交流電圧を直流電圧に変換して充電制御部３２９ｂに供給する。充電制御部３２９ｂは、供給された直流電圧によりアダプター３００Ａに搭載されている２次電池３９０を充電する。
【０１４３】
これにより、充電パッド８００に内蔵されている１次コイルＬ１の対向した位置に、アダプター３００Ａに内蔵されている２次コイルＬ２が非接触に近接して配置されることにより、アダプター３００Ａは、電磁誘導により充電パッド８００から送電された電力を受電して、アダプター３００Ａに搭載されている２次電池３９０を充電する。
【０１４４】
図１６Ａ及び図１６Ｂは、第５実施形態によるアダプター３００Ａにおける２次コイルＬ２の配置の第１の例を示す図である。図１６Ａはアダプター３００Ａの斜視図であり、図１６Ｂはアダプター３００Ａの正面視図である。
この図に示す２次コイルＬ２は、第２マウント３０２に装着された交換レンズ２００から第１マウント３０１に装着されたカメラボディ１００に入射される被写体光の光軸に平行な軸を中心とした周方向に巻かれた巻き線を有している。例えば、２次コイルＬ２は、第１マウント３０１と第２マウント３０２との間を接続する筐体であり光軸の周囲を覆う筐体（例えば、筐体内）に配置されており、且つ光軸に平行な軸を中心とした周方向に巻かれた巻き線を有している。
なお、２次コイルＬ２は、光軸の周囲を覆う筐体内において、第１マウント３０１面または第２マウント３０２面と平行な面に沿った方向、且つ光軸に平行な軸を中心とした周方向に巻かれた巻き線を有していてもよいし、第１マウント３０１と第２マウント３０２との間を接続する筐体面（第１マウント３０１面または第２マウント３０２面と直行する筐体面）に沿った方向、且つ光軸に平行な軸を中心とした周方向に巻かれた巻き線を有していてもよい。また、２次コイルＬ２は、光軸の周囲を覆う筐体外において（例えば、筐体の外周面に沿って）、光軸に平行な軸を中心とした周方向に巻かれた巻き線を有していてもよい。
【０１４５】
次に、２次コイルＬ２の別の配置例について説明する。
図１７Ａ及び図１７Ｂは、第５実施形態によるアダプター３００Ｂにおける２次コイルＬ２の配置の第２の例を示す図である。この図において、受電部３２９Ｒの少なくとも一部（例えば、２次コイルＬ２）は、第１マウント３０１および第２マウント３０２の位置に対して三脚座３０５側となる位置に設けられている。なお、２次コイルＬ２に限らず、整流回路３２９ａなどの受電部３２９Ｒの少なくとも一部が第１マウント３０１および第２マウント３０２の位置に対して三脚座３０５側となる位置に設けられている構成としてもよい。図１７Ａはアダプター３００Ｂの斜視図であり、図１７Ｂはアダプター３００Ｂの正面視図である。
この図に示す２次コイルＬ２は、撮影用設置台（例えば、三脚など）に対して取り付け可能な（着脱可能な）三脚座３０５（取付座）の、三脚に対して取り付けられる筐体面に垂直な軸を中心とした周方向に巻かれた巻き線を有している。
なお、三脚座３０５には、三脚が有する取り付け用ネジと勘合可能なネジ穴３０７が備えられており、上述の２次コイルＬ２の巻き線は、例えば、ネジ穴３０７を中心とした周方向に巻かれている。また、上述の２次コイルＬ２の巻き線は、例えば、三脚座３０５の三脚に対して取り付けられる筐体面に平行な面に沿った方向に巻かれている。
なお、２次コイルＬ２の巻き線は、ネジ穴３０７を中心とした周方向に巻かれている構成に限られるものではなく、ネジ穴３０７に干渉しないようにネジ穴３０７の周囲に巻かれていてもよい。例えば、２次コイルＬ２の巻き線は、ネジ穴３０７から中心がずれた位置を中心とした周方向に巻かれた巻き線でもよいし、ネジ穴３０７がコイルの巻き線の外側に位置するように巻かれた巻き線であってもよい。
【０１４６】
ここで、非接触充電方式において、１次コイルＬ１から２次コイルＬ２へ送電する際の送電効率は、１次コイルＬ１と２次コイルＬ２との距離に依存する（換言すれば、１次コイルＬ１と２次コイルＬ２との磁気結合係数に依存する）。すなわち、１次コイルＬ１および２次コイルＬ２のコイルの径の大きさが小さい場合は、１次コイルＬ１と２次コイルＬ２とを非常に近距離に配置しないと送電できない（換言すれば、コイルの径の大きさが小さい場合は、１次コイルＬ１と２次コイルＬ２との位置関係により送電効率が低くなりやすい）。そのため、１次コイルＬ１および２次コイルＬ２のコイルの径の大きさを大きくすることが送電効率を向上させるために有効である。
そこで、上述の図１６Ａ、図１６Ｂ、図１７Ａ及び図１７Ｂを用いて説明したようにアダプター３００Ａ（または、アダプター３００Ｂ）の筐体内に２次コイルＬ２を配置することにより、筐体内に配置可能な範囲の中で、２次コイルＬ２のコイルの径の大きさをより大きくできる。
これにより、アダプター３００Ａ（または、アダプター３００Ｂ）は、充電パッド８００から非接触充電される際に、充電パッド８００からアダプター３００Ａ（または、アダプター３００Ｂ）へ送電する際の送電効率を向上できる。
【０１４７】
なお、図１６Ａ、図１６Ｂ、図１７Ａ及び図１７Ｂに示すアダプター３００の筐体において、２次コイルＬ２の近傍の少なくとも一部は、磁束を透過する筐体で構成されている。これにより、アダプター３００が備えている２次コイルＬ２は、充電パッド８００が備えている１次コイルＬ１と磁気結合が可能である。
【０１４８】
なお、図１６Ａ、１６Ｂ、図１７Ａ及び図１７Ｂに示す２次コイルＬ２の巻き線は、略円形状の周方向に巻かれた巻き線を有している例である。しかし、略円形状に限られるものではなく、例えば、略多角形状（例えば四角形の４隅を丸くしたような形状）の周方向に巻かれた巻き線を有していてもよい。
また、アダプター３００Ａ（または、アダプター３００Ｂ）内に１つの２次コイルＬ２が設けられている構成に限られず、複数の２次コイルが設けられている構成としてもよい。同様に、充電パッド８００に内蔵されている１次コイルも、複数設けられている構成としてもよい。
【０１４９】
図１８Ａ、図１８Ｂ及び図１８Ｃは、充電パッド８００、および充電のために充電パッド８００の上にアダプター３００Ａ（または、アダプター３００Ｂ）が載置されている状態の例を説明する斜視図である。
図１８Ａは、充電パッド８００の一例を示す斜視図であり、平面形状の充電パッド８００の中央付近の位置に１次コイルＬ１が内蔵して配置されている例を示している。１次コイルＬ１は、充電パッド８００の表面に垂直な軸を中心とした周方向に巻かれた巻き線を有している。
図１８Ｂは、充電のために充電パッド８００の上にアダプター３００Ａが載置されている状態の一例を示している。平面形状の充電パッド８００の中央付近の位置に内蔵されている１次コイルＬ１と、アダプター３００Ａに内蔵されている２次コイルＬ２とが近距離で対向した位置関係になるように、アダプター３００Ａは、第１マウント３０１側の筐体面が充電パッド８００の送電面（１次コイルＬ１から送電される側の表面）に対面する向き、且つ充電パッド８００の中央付近の位置に載置されている。
これにより、充電パッド８００からアダプター３００Ａ内の２次電池３９０に効率よく充電を行うことができる。
【０１５０】
また、図１８Ｃは、充電のために充電パッド８００の上にアダプター３００Ｂが載置されている状態の一例を示している。平面形状の充電パッド８００の中央付近の位置に内蔵されている１次コイルＬ１と、アダプター３００Ｂに内蔵されている２次コイルＬ２とが近距離で対向した位置になるように、アダプター３００Ｂは、三脚座３０５の底面が充電パッド８００の送電面（１次コイルＬ１から送電される側の表面）に対面する向き、且つ充電パッド８００の中央付近の位置に載置されている。
これにより、充電パッド８００からアダプター３００Ｂ内の２次電池３９０に効率よく充電を行うことができる。
【０１５１】
なお、図１８Ｃに示す非接触充電の状態によれば、アダプター３００Ｂの三脚座３０５の底面が充電パッド８００の送電面に対面する向き（三脚座３０５の底面を鉛直方向下向き）に載置されるため、カメラボディ１００または交換レンズ２００がアダプター３００Ｂと装着されている状態のままでも、充電パッド８００に載置してアダプター３００Ｂ内の２次電池３９０に充電を行うことができる。
また、例えば、充電器は、充電パッド８００に代えて、三脚側の台座内に１次コイルＬ１が配置されている構成の非接触充電方式の充電が可能な三脚（充電機能付の三脚）としてもよい。この充電機能付の三脚を用いれば、アダプター３００Ｂがこの三脚に取り付けられている状態のまま、アダプター３００Ｂ内の２次電池３９０に充電を行うことができる。
【０１５２】
なお、上記実施形態において、非接触充電方式として「電磁誘導方式」を例として説明した。しかし、電波を利用する（例えば、電流を電磁波に変換しアンテナを介して送受信する）「電波方式」、電磁界の共鳴現象（磁場の共振現象）を利用した「電磁界共鳴方式」等を用いてもよい。
【０１５３】
＜第６実施形態＞
次に、アダプター３００がカメラボディ１００または交換レンズ２００と装着されている状態のまま、アダプター３００に搭載されている２次電池３９０に対して非接触充電方式（無接点充電方式、または無線充電方式）により充電が行われる場合の処理の一例について説明する。なお、上述の「装着されている状態のまま充電が行われる場合」とは、例えば、第５実施形態の図１８Ｃに示す充電パッド８００に載置されているアダプター３００Ｂに、カメラボディ１００または交換レンズ２００が装着されている状態で充電が行われる場合ある。
第６実施形態では、アダプター３００内の２次電池３９０が充電される場合に、アダプター制御部３１０、およびアダプター３００に装着されているカメラボディ１００または交換レンズ（ＣＰＵレンズ）がスリープモードに移行する処理の一例について説明する。
【０１５４】
図１９は、第６実施形態によるカメラシステムの概略構成の一例を示す図である。この図に示すカメラシステムは、図７に示すカメラシステム１Ｃと同様（交換レンズ２００Ｃを、アダプター３００を介してカメラボディ１００に対して接続（装着）した例）であって、このカメラシステム１Ｃは、カメラボディ１００、アダプター３００、および、交換レンズ２００Ｃを有している。また、アダプター３００は、例えば、図１７Ａ及び図１７Ｂに示すアダプター３００Ｂのような２次コイルＬ２の構成を有するものである。
図２０は、第６実施形態によるカメラシステム１Ｃが充電装置９００に設置（載置）されている状態を示すブロック図であり、以下、図１９および図２０を参照して説明をする。なお、図１９および図２０において、図７または図１５の各部に対応する部分には同一の符号を付け、その説明を省略する。
【０１５５】
カメラボディ１００がフランジバックの短い一眼カメラであり、従来の一眼レフに使用されていた交換レンズ２００Ｃ（または、例えば交換レンズ２００（図３参照））をカメラボディ１００に直接取り付ける（装着する）ことはできない。このため、交換レンズ２００Ｃは、アダプター３００を介してカメラボディ１００に取り付けられている。なお、本実施の形態においては、カメラボディ１００の基準電圧（制御系電源Ｖｃｃ１）が５Ｖで、アダプター３００および交換レンズ２００の基準電圧（アダプター制御系電源Ｖａおよびレンズ制御系電源Ｖｃ）が３Ｖとする。
カメラボディ１００は、前述したように一眼レフカメラに比べてフランジバックが短い一眼カメラである。これは、カメラボディ１００が従来の一眼レフカメラに備わっているミラー機構を省略しているためである。ここで、カメラボディ側マウント１０１の基準面１０１aから撮影素子１０４（撮像素子）の撮像面までの距離は、図１９に示す距離Ａである。
【０１５６】
カメラボディ１００は、前述のカメラボディ側マウント１０１、撮影素子１０４に加えて、画像処理部１４０、カメラ電源部１２０（電源供給回路）、バッテリー１９０（電池）を収納するバッテリー部１９０Ｂ、ＬＥＤ１９０、およびカメラボディ１００が備えている各部を制御するカメラ制御部１１０を備えている。なお、カメラボディ１００は、不図示ながら、これらに加えて周知のオートフォーカス部、自動露出部、背面液晶部（例えば、図１の表示部１５０）、メモリーなども有している。
カメラボディ側マウント１０１は、カメラボディ１００の被写体側の下方に設けられており、基準面１０１a（マウント面）、各種接点群１０１ｂ（図７に示す接続部１０１ｓが有する各接続端子）が設けられている。
【０１５７】
撮影素子１０４は、交換レンズ２００Ｃ、アダプター３００を透過した光束を画像信号に変換する撮像デバイスであり、ＣＭＯＳ(Complementary Metal Oxide Semiconductor)またはＣＣＤ(Charge Coupled Device)を含んで構成されている。
画像処理部１４０は、デジタル信号に変換された画像信号に対してホワイトバランス調整、シャープネス調整、ガンマ補正、階調調整などの画像処理を施すと共に、ＪＰＥＧなどの画像圧縮を行ない不図示の背面液晶部に表示を行なう。
【０１５８】
カメラ電源部１２０は、バッテリー１９０から供給される電圧をカメラボディ１００が備えている各部に供給するための電圧（例えば５Ｖ）に変換したり、バッテリー１９０から供給される電圧をアダプター３００または交換レンズ２００Ｃに供給したりするための電圧（例えば３Ｖ）に変換する電圧変更回路を含んでいる。
なお、第６実施形態においては、バッテリー１９０（電池）は充電可能な２次電池であり、リチウム電池やリチウムイオン電池、ニッケル水素電池などを用いることができる。
例えば、バッテリー１９０は、電圧が３．６Ｖのリチウムイオン電池を２個有している電池である。この場合、前述のカメラ電源部１２０は、例えば、７．２Ｖの電圧を降圧して、５Ｖの電圧の電源系統と３Ｖの電圧の電源系統を生成する。
【０１５９】
ＬＥＤ１９０は、報知部としての機能を有し、アダプター３００がカメラボディ１００に搭載されている状態で後述する充電が行なわれている場合に点灯して、ユーザに充電が行われていることを報知する。なお、ＬＥＤ１９０の点灯に代えて、不図示の背面表示部に充電中を示す表示を行なわせてもよい。
【０１６０】
カメラ制御部１１０は、カメラボディ１００に加えてカメラシステム１Ｃ全体を制御する制御部であり、撮影動作に加えて、バッテリー１９０からの電源供給を制御している。
一例を挙げると、カメラ制御部１１０は、撮影動作が可能な動作中においては、バッテリー１９０からの電力をカメラボディ１００や交換レンズ２００Ｃに供給させるようにカメラ電源部１２０に対して制御するとともに、カメラボディ１００が備えている各部を制御する。また、カメラ制御部１１０は、アダプター３００において後述する充電が行われているときには、アダプター３００および交換レンズ２００Ｃに対して、スリープモードで動作させるのに必要な最小限の電力を供給可能な給電状態になるようにカメラ電源部１２０に対して制御するとともに、スリープモードに移行する。
【０１６１】
図２１は、アダプター３００の概要を示す図であり、図１９および図２０に図２１を加えて説明を続ける。
アダプター３００は、カメラボディ１００と交換レンズ２００Ｃとを着脱可能に接続するものであり、カメラボディ１００のカメラボディ側マウント１０１に着脱可能な第１マウント３０１（第１マウント部）、交換レンズ２００Ｃに着脱可能な第２マウント３０２（第２マウント部）、２次コイルＬ２（受電コイル）、整流回路３２９ａ、充電制御部３２９ｂ、２次電池３９０（電池）を収納する２次電池部３９０Ｂ、アダプター電源部３２０（電源供給回路）、ベースである台座部３０８、およびアダプター制御部３１０を有している。
【０１６２】
第１マウント３０１は、カメラボディ１００側のカメラボディ側マウント１０１に対向して設けられており、基準面３０１a（マウント面）、各種接点群３０１ｂ（図７に示す接続部３０１ｓが有する各接続端子）を有している。なお、光軸方向（装着状態における交換レンズ２００Ｃの光軸方向）において、各種接点群３０１ｂは、基準面３０１aよりもカメラボディ１００側（装着状態におけるカメラボディ１００側）の位置に設けられているとともに、基準面２１aの外径よりも内側に設けられている。
第２マウント３０２は、後述する交換レンズ２００Ｃ側のレンズ側マウント２０１に対向して設けられており、基準面３０２a（マウント面）、各種接点群３０２ｂ（図７に示す接続部３０２ｓが有する各接続端子）を有している。基準面３０２aは、基準面３０１aよりも径が大きく、各種接点群３０２ｂは、カメラボディ１００に取り付けられたときに（アダプター３００の台座部３０８を下方向とした場合に）、第１マウント３０１の各種接点群３０１ｂよりも高い位置にある。また、各種接点群３０２ｂは、基準面３０２aよりもカメラボディ１００側（装着状態におけるカメラボディ１００側）の位置に設けられている。
【０１６３】
２次コイルＬ２は、後述する充電装置９００の１次コイルＬ１（送電コイル、給電コイル）に対向可能な位置に設けられ、１次コイルＬ１より交流電力を受けるものである。
整流回路３２９ａは、２次コイルＬ２が受けた交流電圧（交流電力）を直流電圧（直流電力）に変換して、充電制御部３２９ｂに出力する。なお、第６実施形態における２次コイルＬ２、整流回路３２９ａ、および充電制御部３２９ｂは、図１５に示す非接触式充電部３２９が備えている各部にそれぞれ対応する。
充電制御部３２９ｂは、整流回路３２９ａからの直流電圧（直流電力）を所定の電圧値に変換する変換回路と、変換した直流電圧を２次電池３９０に充電する充電制御回路とを含んで構成されており、本実施の形態においては、例えば３．６Ｖの電圧に変換して、２次電池３９０に供給して充電する。
２次電池３９０は、アダプター３００や交換レンズ２００Ｃに電力を供給する２次電池であり、例えば、電圧が３．６Ｖの１つのリチウムイオン電池である。なお、２次電池３９０は、リチウム電池やニッケル水素電池などであってもよい。
【０１６４】
アダプター電源部３２０は、２次電池３９０からの３．６Ｖの電圧を３Ｖの電圧に変換して、アダプター３００や交換レンズ２００Ｃに給電するための回路である。
台座部３０８は、アダプター３００を支えるベースとなる部分であり、図２１に示すように、装着されている交換レンズ２００Ｃ側に向けて延びている部分３０８aを有しており、図１９に示すように、この延びた部分（アダプター３００の筐体内のうち、交換レンズ２００Ｃ側に向けて延びている部分３０８aを含む台座部３０８を形成する筐体内）に２次コイルＬ２を収容している。第６実施形態においては、台座部３０８は、金属からなる部分とプラスチック（樹脂）からなる部分とを有し、２次コイルＬ２はプラスチックからなる部分（主としてプラスチックにより覆われている筐体内）に収容されている。これは、充電装置９００から交流電力を受ける際に磁場の影響を受けないためである。なお、プラスチック部分を設ける代わりに、２次コイルＬ２を磁気的に遮蔽する遮蔽材によりシールドするようにしてもよい。
また、台座部３０８は、不図示ながら三脚に取り付けるための三脚座３０５（図２参照）が設けられている。
この台座部３０８は、単体でもカメラボディ１００に取り付けられたときでも倒れないような（もしくは倒れにくいような）大きさ、重さに設定されている。
【０１６５】
ここで、図１９に示してあるように、アダプター３００の第１マウント３０１の基準面３０１aと、第２マウント３０２の基準面３０２aとの距離（厚み）は、符号Ｃに示す距離である。この距離（厚み）Ｃは、交換レンズ２００ＣのフランジバックＢと、カメラボディ１００のフランジバックＡとの差から決められており、これにより、交換レンズ２００ＣのフランジバックＢをカメラボディ１００のフランジバックＡに合わせることができる。
アダプター制御部３１０は、アダプター３００が備えている各部を制御するものであり、カメラボディ１００および交換レンズ２００Ｃとの通信の制御、交換レンズ２００Ｃへの給電の制御、または充電装置９００からの給電される際の制御などを行なう。
【０１６６】
交換レンズ２００Ｃは、レンズ側マウント２０１、光学系２２０（レンズ部）、光学系駆動部２３０、絞り機構２５１Ｃ（絞り、絞り部）、絞り駆動部２３３Ｃ、レンズ制御部２１０Ｃを有している。
レンズ側マウント２０１は、基準面２０１a（マウント面）、各種接点群２０１ｂ（図７に示す接続部２０１ｓが有する各接続端子）を有している。
光学系２２０は、フォーカスレンズやズームレンズなどの複数のレンズから構成されており、これに限らず種種の構成をとることができる。
光学系駆動部２３０は、光学系２２０を構成するレンズのうち駆動が必要なレンズ（例えば、フォーカスレンズやズームレンズ）を駆動するものであり、ステッピングモーターやＶＣＭ(Voice Coil Motor)などを用いて構成される。
絞り機構２５１Ｃは、交換レンズ２００Ｃを透過する光量を調整するものである。
絞り駆動部２３３Ｃは、所望の光量が得られるように、絞り機構２５１Ｃの開口の大きさ（開口径、開度）の調整を行なうものである。
レンズ制御部２１０Ｃは、交換レンズ２００Ｃが備えている各部を制御するものであり、光学系２２０および絞り機構２５１Ｃの駆動や、カメラボディ１００もしくはアダプター３００からの電力供給の制御を行なうものである。
【０１６７】
次に、充電装置９００の概略構成について説明する。なお、充電装置９００は、図１５、図１７Ａ、図１７Ｂ、図１８Ａ、図１８Ｂおよび図１８Ｃに示す充電パッド８００（充電器）に相当するものであり、基本的に同様な機能や構成をとることができる。
図２０に示すように、充電装置９００は、送電制御回路９１０ａ、コイル励振部９１０ｂ、および１次コイルＬ１（給電コイル）を有している。
送電制御回路９１０ａは、ＣＰＵやメモリーを有する制御回路であって、交流電力をコイル励振部９１０ｂに供給するか否かを制御している。
コイル励振部９１０ｂは、送電制御回路９１０ａを介して交流電力により１次コイルＬ１を励振して、２次コイルＬ２と整流回路３２９ａとからなる受電部３２９Ｒに対して２次コイルＬ２と１次コイルＬ１とが非接触の状態で電力を供給するものである。
なお、充電装置９００は、「電磁誘導方式」、電波を利用する「電波方式」、磁場の共振現象をもちいる「電磁界共鳴方式」、などのいずれの方式でも構わない。
【０１６８】
以上のように構成された、カメラシステム１Ｃと、充電装置９００との間の充電の動作について、以下に説明を続ける。
アダプター３００は、２次電池３９０への充電制御状態が充電中であるか否か（充電中の状態であるか、または非充電中の状態であるか）を検出し、検出した充電制御状態に基づいてアダプター制御部３１０の動作状態を制御する。例えば、アダプター制御部３１０の第１アダプター通信部３１２が、カメラボディ１００（カメラ制御部１１０）との間で通信可能な第１通信部と、交換レンズ２００Ｃ（レンズ制御部２１０Ｃ）との間で通信可能な第２通信部、を備えているとする。アダプター制御部３１０は、２次電池３９０への充電制御状態が充電中であると検出した場合に、少なくとも上述の第１通信部の動作状態を、通信処理を行うことが可能な動作状態に比して消費電力を低減させた、通信処理を行うことが不可能な動作状態（所謂スリープモード）に制御する。また、アダプター制御部３１０は、２次電池３９０への充電制御状態が充電中であると検出した場合に、少なくとも上述の第２通信部の動作状態を、通信処理を行うことが可能な動作状態に比して消費電力を低減させた、通信処理を行うことが不可能な動作状態（所謂スリープモード）に制御する。
【０１６９】
一方、アダプター制御部３１０は、２次電池３９０への充電制御状態が充電中の状態から非充電中の状態になったと検出した場合に、上述の第１通信部または第２通信部の動作状態を、通信処理を行うことが可能な動作状態に制御する（スリープモードから復帰させる）。また、アダプター制御部３１０は、受電部３２９Ｒが受電中の状態であるか否かを検出し、前記検出結果に基づいて受電部３２９Ｒが受電中の状態から非受電中の状態になったと検出した場合に、充電中によりスリープモードに移行していた第１通信部または第２通信部の動作状態を、通信処理を行うことが可能な動作状態に制御する（スリープモードから復帰させる）。以下、２次電池３９０への充電制御状態が充電中の状態に、少なくとも上述の第１通信部または第２通信部の動作状態がスリープモードに遷移することを、アダプター制御部３１０がスリープモードに遷移するものとして記述する。なお、このアダプター制御部３１０のスリープモードは、少なくとも上述の第１通信部の動作状態を、通信処理を行うことが不可能な動作状態にすることのみに限られるものではなく、第１実施形態において説明したように、復帰に必要な最低限の回路のみに給電されるようにしてもよい。
【０１７０】
図２２は、非接触充電方式による充電処理の一例を示すフローチャートである。また、アダプター３００が充電装置９００に載置されている状態の例であって、充電動作中に、アダプター制御部３１０、レンズ制御部２１０Ｃ、またはカメラ制御部１１０がスリープモードに遷移する処理を示す一例である。
【０１７１】
まず、アダプター制御部３１０は、充電装置９００から給電されることにより充電可能な状態であるか否かを判定する（ステップＳ１１）。例えば、アダプター制御部３１０は、２次コイルＬ２に生じる電力から整流回路３２９ａを介して充電制御部３２９ｂに給電される電力の電圧を検出し、検出した電圧を所定の電圧（例えば、充電可能な電圧を判定するために予め定められている電圧）と比較することにより充電可能な状態であるか否かを判定する。
なお、充電制御部３２９ｂが充電装置９００から給電されることにより充電可能な状態であるか否かを検出し、検出した結果をアダプター制御部３１０に供給してもよい。例えば、アダプター３００単体の状態（非装着状態）で、充電装置９００に載置された場合などは、充電制御部３２９ｂが充電装置９００から給電されることにより充電可能な状態であることを検出して、２次電池３９０への充電を開始する。
【０１７２】
ステップＳ１１において、充電可能な状態でないと判定された場合、アダプター制御部３１０は、上述の充電制御部３２９ｂに給電される電力の電圧を検出する処理を所定のタイミングで継続する。
一方、ステップＳ１１において、充電可能な状態であると判定された場合、アダプター制御部３１０は、カメラボディ１００に接続（装着）されているか否かを判定する（ステップＳ１２）。
アダプター制御部３１０は、各種接点群１０１ｂ、３０１ｂのうち一対の接点を用いて、アダプター３００がカメラボディ１００に接続（装着）されているか否かを判定する。
例えば、アダプター制御部３１０は、図９に示す「レンズ起動処理」におけるステップＳ１１０の着脱判定により判定された結果に基づいて判定する。また、図８に示す「レンズ定常処理」において、例えば、アダプター制御部３１０とカメラ制御部１１０との間で定期的に着脱判定（アダプター３００がカメラボディ１００に接続（装着）されているか否かの判定）を行った結果に基づいて判定してもよい。
【０１７３】
ステップＳ１２において、アダプター３００がカメラボディ１００に接続（装着）されていないと判定された場合、アダプター制御部３１０は、ステップＳ１４に処理を進め、アダプター３００が交換レンズ２００Ｃと接続（装着）されているか否かを判定する。
一方、ステップＳ１２において、アダプター３００がカメラボディ１００に接続（装着）されていると判定された場合、アダプター制御部３１０は、カメラ制御部１１０に対して、スリープモードへの遷移指示を送信する（ステップＳ１３）。そして、アダプター制御部３１０は、カメラ制御部１１０に対してスリープモードへの遷移指示を送信した後で、ステップＳ１４に処理を進め、アダプター３００が交換レンズ２００Ｃと接続（装着）されているか否かを判定する。
【０１７４】
ここで、アダプター制御部３１０は、各種接点群１０１ｂ、３０１ｂのうちの対となる接点を用いて、カメラボディ１００と通信することによりカメラボディ１００をスリープモードに遷移させる。例えば、アダプター制御部３１０は、充電装置９００からの給電により充電可能な状態であることをトリガーとして、図１１に示す「低消費電力処理（スリープ処理）」を開始して、カメラ制御部１１０に対して、スリープモードへの遷移指示を送信する。これにより、カメラ制御部１１０（カメラボディ１００）は、スリープモードに遷移する。
なお、カメラボディ１００をスリープモードにする制御は、アダプター制御部３１０ではなく、カメラ制御部１１０の制御により行なうようにしてもよい。具体的には、カメラ制御部１１０は、充電装置９００からの給電により充電可能な状態または充電を開始する状態にあることを、アダプター制御部３１０から通知されることに応じて、図１０に示す「低消費電力処理（スリープ処理）」を開始して、スリープモードへ移行するようにしてもよい。また、スリープモードへの移行は、カメラ制御部１１０とアダプター制御部３１０との協調制御により行なわれるようにしてもよい。
【０１７５】
ここで、スリープモードとは、カメラボディ１００のうち充電に関連しない機能をオフにして、消費電力を削減したり、充電中にノイズが発生して充電の妨げにならないようにしたりすることをいう。例えば、アダプター３００に搭載されている２次電池３９０が充電される際に、カメラボディ１００が備えている各部のうち、ＬＥＤ１９０の点灯を除いてカメラボディ１００のすべての機能がスリープモードに移行する（復帰のトリガーにより復帰可能な状態に移行する）。
なお、ＬＥＤ１９０を点灯させるのは、アダプター３００において充電が行なわれていることをユーザに認識させるためである。例えば、カメラ制御部１１０は、ＬＥＤ１９０を、充電の開始から充電終了までの期間、充電中の状態であることを示す色に点灯、または点滅させるなどの制御をする。なお、充電中の場合はＬＥＤ１９０を点滅、充電が終了した場合はＬＥＤ１９０を点灯するようにしてもよい。なお、ＬＥＤ１９０の点灯に関する制御もカメラ制御部１１０で行なってもアダプター制御部３１０で行なってもよく、また、協調制御で行なうようにしてもよい。例えば、カメラ制御部１１０は、スリープモードに移行した後（直後または所定の時間経過後）に、ＬＥＤ１９０を点灯させる。
【０１７６】
次に、上述したようにステップＳ１４において、アダプター制御部３１０は、アダプター３００が交換レンズ２００Ｃ（または、交換レンズ２００などのようなＣＰＵレンズ）と接続（装着）されているか否かを判定する。
ステップＳ１４において、アダプター３００が交換レンズ２００Ｃ（または、交換レンズ２００などのようなＣＰＵレンズ）と接続（装着）されていないと判定された場合、アダプター制御部３１０は、ステップＳ１６に処理を進める。
一方、ステップＳ１４において、アダプター３００が交換レンズ２００Ｃ（または、交換レンズ２００などのようなＣＰＵレンズ）と接続（装着）されていると判定された場合、アダプター制御部３１０は、接続されている交換レンズ２００Ｃに対して、スリープモードへの遷移指示を送信する（ステップＳ１５）。そして、アダプター制御部３１０は、交換レンズ２００Ｃに対してスリープモードへの遷移指示を送信した後で、ステップＳ１６に処理を進める。
【０１７７】
ここで、アダプター制御部３１０は、各種接点群２０１ｂ、３０２ｂのうちの対となる接点を用いて、交換レンズ２００Ｃと通信することにより交換レンズ２００Ｃをスリープモードに遷移させる。
例えば、アダプター制御部３１０は、充電装置９００からの給電により充電可能な状態であることをトリガーとして、図１１に示す「低消費電力処理（スリープ処理）」を開始して、レンズ制御部２１０Ｃに対して、スリープモードへの遷移指示を送信する。これにより、レンズ制御部２１０Ｃ（交換レンズ２００Ｃ）は、スリープモードに遷移する。なお、アダプター３００が搭載されている２次電池３９０に対して充電処理を行うため、図１１に示す処理のうち、レンズ制御系電源Ｖｃの供給電圧は、２次電池３９０からの給電により生成される処理に代えて、継続してパワー系電源ＰＷＲからの給電により生成される処理となる。
【０１７８】
続いて、ステップＳ１６において、アダプター制御部３１０は、スリープモードに移行する。例えば、アダプター制御部３１０は、充電制御部３２９ｂに充電開始を許可する許可信号を供給した後、スリープモードに移行する。
【０１７９】
次に、充電制御部３２９ｂは、２次電池３９０への充電を開始する（ステップＳ１７）。例えば、充電制御部３２９ｂは、充電装置９００から２次コイルＬ２を介して受電され、整流回路３２９ａにおいて直流電力（直流電圧）に変換された電力を、２次電池３９０に給電する電圧に変換して、２次電池３９０に対して充電を開始する。
また、充電制御部３２９ｂは、２次電池３９０の充電状態を監視（例えば２次電池３９０の電圧を監視）して（ステップＳ１８）、２次電池３９０の充電状態が満充電の状態であるか否かにより、２次電池３９０への充電を終了するか否かを判定する（ステップＳ１９）。
【０１８０】
なお、充電制御部３２９ｂは、整流回路３２９ａから２次電池３９０に対して充電可能な電力が継続して供給されているか否か（すなわち、充電装置９００からアダプター３００に対して、非接触充電方式による充電のための給電が継続されているか否か（２次電池３９０の充電状態が、充電可能な電圧が供給されている状態であるか否か））も検出して、充電を終了するか否かを判定する。つまり、充電制御部３２９ｂは、整流回路３２９ａからの給電が停止した場合、２次電池３９０の充電状態が満充電の状態であるか否かにかかわらず、２次電池３９０への充電を終了すると判定する。
つまり、ステップＳ１８における充電状態の監視処理は、例えば、カメラボディ１００とアダプター３００が充電装置９００に載置された状態が続いているかどうかも確認しており、アダプター３００が充電装置９００に載置されていれば充電を継続し（ステップＳ１９の判断がＮＯ）、アダプター３００が充電装置９００に載置されていなければ撮影のためユーザがカメラ本体を持ち上げたとして（充電が中断されたとして）ステップＳ２０に進む（ステップＳ１９の判断がＹＥＳ）。
【０１８１】
ステップＳ１９において、２次電池３９０への充電を終了しないと判定された場合、２次電池３９０への充電を終了すると判定されるまでの間、充電制御部３２９ｂは、ステップＳ１８に処理を戻し、２次電池３９０の充電状態（２次電池３９０が満充電であるか否かの状態、または整流回路３２９ａからの給電状態）の監視を繰り返して行う。
一方、ステップＳ１９において、２次電池３９０への充電を終了すると判定された場合、充電制御部３２９ｂは、２次電池３９０への充電処理を終了した後、アダプター制御部３１０のスリープモードを解除して復帰させるトリガー信号を、アダプター制御部３１０に対して出力する（ステップＳ２０）。これにより、アダプター制御部３１０（アダプター３００）は、２次電池３９０への充電が終了した（充電制御状態が非充電中である）ことを検出して、スリープモードから通常動作モードに復帰する。
【０１８２】
次に、アダプター制御部３１０は、レンズ制御部２１０Ｃおよびカメラ制御部１１０に対して、スリープモードを解除する指示を送信する（ステップＳ２１）。これにより、レンズ制御部２１０Ｃ（交換レンズ２００Ｃ）およびカメラ制御部１１０（カメラボディ１００）は、スリープモードから通常動作モードに復帰する。また、カメラ制御部１１０は、ＬＥＤ１９０の点灯を消灯する。
【０１８３】
このように、アダプター３００は、装着状態（例えば、カメラボディ１００および交換レンズ２００Ｃと装着されている状態）のままであっても、非接触充電方式による充電中に、充電の妨げとなるようなノイズを発生することなく、搭載する２次電池３９０に対して充電できる。
【０１８４】
なお、アダプター制御部３１０は、カメラボディ１００のスリープモードを解除する場合、充電が完了した場合（２次電池が満充電になって充電が終了した場合）と、充電完了前（２次電池が満充電になる前）にカメラボディ１００とアダプター３００とが充電装置９００から取り除かれた場合とで、このスリープモードの解除後の処理内容を異ならせるようにしてもよい。具体的には、カメラシステム１Ｃは、充電完了前にカメラボディ１００とアダプター３００が充電装置９００から取り除かれた場合は、撮影がすぐに行われるとして、カメラボディ１００を起動するための不図示のメインスイッチをオンにする処理や、不図示のＲＡＭ（Random Access Memory）に記憶されている各種プログラムの読み込みなどを行なうような処理が行われるように制御してもいい。さらに、カメラシステム１Ｃは、交換レンズ２００Ｃのスリープモードを解除して、アダプター３００を介在させて、カメラボディ１００と交換レンズ２００Ｃとの通信を行い、交換レンズ２００Ｃのレンズデータをカメラボディ１００に送信する処理を行うように制御してもよい。
一方、カメラシステム１Ｃは、充電が完了してスリープモードを解除する場合は、上述したメインスイッチを起動する処理、プログラムの読み込みを行う処理、交換レンズ２００Ｃとの通信処理などを行う制御を省略すればいい。
これにより、カメラシステム１Ｃは、充電完了前に充電動作が中断された場合、または充電完了により充電動作が終了した場合のそれぞれにおいて適した復帰動作を実行できる。
【０１８５】
なお、アダプター３００がカメラ本体に搭載されていない場合には、２次電池３９０の充電のノイズ源はない。また、アダプター３００がカメラボディ１００に接続（装着）されている場合でも、カメラボディ１００内で行なわれる制御（例えば、画像処理部１４０による画像処理や、不図示の背面液晶部への画像表示）が許可されてもよく、その一方で、アダプター３００ならびに、アダプター３００を介した交換レンズ２００Ｃとの通信が禁止されればノイズの発生を防ぐことができる。すなわち、２次電池３９０への充電中において、カメラボディ１００は、カメラボディ１００内で行なわれる制御を実行し、アダプター３００を介した交換レンズ２００Ｃとの通信処理を停止する処理を実行してもよい。
【０１８６】
なお、アダプター３００がカメラボディ１００に接続（装着）されていない場合には、ＬＥＤ１９０を用いて充電状態をユーザに報知できない。
このような場合には、アダプター３００にＬＥＤを設けて充電状態を報知すればよく、一例として台座部３０８にＬＥＤを設けるようにしてもよい。
例えば、アダプター３００は、アダプター３００に搭載されている２次電池３９０への充電状態（充電制御状態）を報知する報知部（例えば、ＬＥＤ）を備え、アダプター制御部３１０の制御により、この報知部を制御してもよい。なお、例えば、この報知部の少なくとも一部は、第１マウント３０１および第２マウント３０２の位置に対して三脚座３０５側となる位置（台座部３０８）に設けられている。
これにより、アダプター３００は、２次電池３９０への充電状態（充電制御状態）を、アダプター３００が備えている報知部（例えば、台座部３０８に設けられているＬＥＤ）により、ユーザに報知できる。
なお、アダプター３００がカメラボディ１００に接続（装着）されている場合でも、上述の台座部３０８に設けられているＬＥＤにより２次電池３９０への充電状態を報知するようにしてもよい。
【０１８７】
なお、ステップＳ１１において、充電可能な状態であるか否かを判定する処理に加えて、アダプター制御部３１０は、２次電池３９０が充電を必要としているか否かの判定をしてもよい。例えば、ステップＳ１１において、アダプター制御部３１０は、充電装置９００から給電されることにより充電可能な状態、且つ２次電池３９０が充電を必要としている状態であると判定した場合に、ステップＳ１２に処理を進め、それ以外の判定の場合、ステップＳ１１の判定処理を繰り返す処理としてもよい。
【０１８８】
以上説明してきたように、上記実施形態によれば、レンズ交換式のカメラシステムにおいて、様々な種類の交換レンズに適切に給電できる。よって、本実施形態によれば、レンズ交換式のカメラシステムにおいて、様々な種類の光学系を適切に機能させることができる。
【０１８９】
＜第７実施形態＞
以下、図面を参照して、本発明の第７実施形態について説明する。
図１、図２に示す第１実施形態の構成は、第７実施形態においても同様であり、その説明を省略する。
また、図２３は、第７実施形態によるカメラシステム１Ｄの構成の一例を示す概略ブロック図である。図２３において、第１実施形態の図３の各部に対応する部分には同一の符号を付け、重複する内容については、その説明を省略する。
【０１９０】
（アダプターの構成）
第１実施形態におけるアダプター３００の構成についての説明は、第７実施形態においても同様であり、重複する内容については、その説明を省略する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ１２）と、接続部３０２ｓ（端子Ｔｃ１〜Ｔｃ９）と、絞り連動レバー３５０と、を備えている。
【０１９１】
接続部３０１ｓは、カメラボディ１００側の既述の１２個の接続端子Ｔａ１〜Ｔａ１２と互いに接続される、１２個の接続端子Ｔｂ１〜Ｔｂ１２を備えている。アダプター３００とカメラボディ１００とが接続部３０１ｓおよび接続部１０１ｓを介して接続されることにより、接続部３０１ｓの端子Ｔｂ１〜Ｔｂ１２のそれぞれの端子は、接続部１０１ｓの端子Ｔａ１〜Ｔａ１２のそれぞれ対応する接続端子と電気的に接続する。
【０１９２】
また、接続部３０２ｓは、交換レンズ２００側の既述の９個の接続端子（端子Ｔｄ１〜Ｔｄ９）と互いに接続される、９個の接続端子Ｔｃ１〜Ｔｃ９を備えている。アダプター３００と交換レンズ２００とが、接続部３０２ｓおよび接続部２０１ｓを介して接続されることにより、接続部３０２ｓの端子Ｔｃ１〜Ｔｃ９のそれぞれの端子は、接続部２０１ｓの端子Ｔｄ１〜Ｔｄ９のそれぞれ対応する接続端子と接続する。
【０１９３】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給され、また、カメラボディ１００から端子Ｔａ３および端子Ｔｂ３を介して制御系電源Ｖｃｃ１の電圧が供給される。
【０１９４】
このように、アダプター３００のアダプター電源部３２０には、カメラボディ１００から制御系電源Ｖｃｃ１の電圧（第１電源系統の電圧）と、制御系電源Ｖｃｃ１と比べて供給可能な電力が大きいパワー系電源ＰＷＲの電圧（第２電源系統の電圧）との両方の電圧がそれぞれ供給される。アダプター電源部３２０に供給されたパワー系電源ＰＷＲの電圧、または制御系電源Ｖｃｃ１の電圧から、交換レンズ２００に電圧を供給するレンズ系電源系統として、レンズ駆動系電源Ｖｐ（第３電源系統）とレンズ制御系電源Ｖｃ（第４電源系統）とがそれぞれ生成される。例えば、アダプター電源部３２０は、カメラボディ１００から供給されたパワー系電源ＰＷＲから、交換レンズ２００が備えている第１負荷部に給電するレンズ駆動系電源Ｖｐの供給電圧を生成する。また、アダプター電源部３２０は、カメラボディ１００から供給された制御系電源Ｖｃｃ１の電圧から、交換レンズ２００が備えている第２負荷部に給電するレンズ制御系電源Ｖｃの供給電圧を生成する。なお、第２負荷部は、第１負荷部の消費電力に比して消費電力が少ない。前述したように、レンズ駆動系電源Ｖｐから給電される第１負荷部には、例えば、交換レンズ２００が備えている光学系駆動部２３０（光学系２２０を駆動する光学系駆動部２３０）が含まれている。また、レンズ制御系電源Ｖｃから給電される第２負荷部には、例えば、交換レンズ２００が備えているレンズ制御部２１０（光学系駆動部２３０を制御するレンズ制御部２１０）が含まれている。すなわち、レンズ駆動系電源Ｖｐから供給される負荷（第１負荷部）の消費電力が、レンズ制御系電源Ｖｃから供給される負荷（第２負荷部）の消費電力に比べて多い。
なお、レンズ駆動系電源Ｖｐから供給される電圧は、レンズ制御系電源Ｖｃから供給される電圧よりも大きいとしてもよい。
【０１９５】
また、アダプター電源部３２０は、カメラボディ１００から供給されたパワー系電源ＰＷＲの電圧から、アダプター制御部３１０に給電する電源Ｖａ（第６電源系統）の供給電圧を生成する。以下、この電源Ｖａをアダプター制御系電源Ｖａと称する。アダプター制御部３１０は、このアダプター制御系電源Ｖａから給電されて動作する。
また、アダプター電源部３２０は、アダプター制御部３１０に対して、アダプター制御系電源Ｖａとは別に、カメラボディ１００から供給された制御系電源Ｖｃｃ１の電圧も供給する。
【０１９６】
ここで、アダプター制御系電源Ｖａからの給電により動作するアダプター制御部３１０に制御系電源Ｖｃｃ１の電圧を供給する理由は、例えばレンズ起動処理の際に、まず初めに、アダプター３００にはカメラボディ１００からパワー系電源ＰＷＲの給電はされず、制御系電源Ｖｃｃ１からの給電がされるためである。そして、アダプター制御部３１０は、カメラボディ１００に対してパワー系電源ＰＷＲの給電を要求した後に、その要求に応じてカメラボディ１００からパワー系電源ＰＷＲの給電が開始され、給電が開始されたパワー系電源ＰＷＲの電圧からアダプター制御系電源Ｖａの電圧をアダプター電源部３２０に生成させることができるようになる。つまり、アダプター制御部３１０は、少なくともアダプター制御系電源Ｖａの電圧をアダプター電源部３２０に生成させることができるタイミングまでは、制御系電源Ｖｃｃ１からの給電が必要となる。このように、アダプター制御部３１０は、例えばレンズ起動処理の際に、カメラボディ１００に対してパワー系電源ＰＷＲの給電を要求して、給電が開始されたパワー系電源ＰＷＲの電圧からアダプター電源部３２０において生成されたアダプター制御系電源Ｖａの電圧が供給可能となるまでの期間、制御系電源Ｖｃｃ１からの給電により動作する必要がある。
【０１９７】
例えば、アダプター制御部３１０内の第１アダプター通信部３１２（少なくともカメラボディ１００との間で通信処理を実行可能な第３負荷部）には、制御系電源Ｖｃｃ１から給電される。一方、アダプター制御部３１０の第１アダプター通信部３１２を除いた各部（アダプター制御部３１０において第３負荷部と異なる第４負荷部、例えば、アダプター電源制御部３１１、第２アダプター通信部３１３、絞り制御部３１４など）には、アダプター制御系電源Ｖａから給電される。
なお、アダプター電源部３２０は、アダプター制御系電源Ｖａの電圧を生成する際、例えば、アダプター電源制御部３１１の制御によらず、パワー系電源ＰＷＲの給電が開始されることに応じてアダプター制御系電源Ｖａの電圧の生成を開始するように構成しておけばよい。
【０１９８】
なお、本実施形態においては、アダプター制御部３１０内の第１アダプター通信部３１２に制御系電源Ｖｃｃ１の電圧が供給され、アダプター制御部３１０内の第１アダプター通信部３１２を除いた各部にアダプター制御系電源Ｖａの電圧が供給される例として説明する。しかし、第１アダプター通信部３１２に制御系電源Ｖｃｃ１の電圧が供給される構成に限られるものではない。例えば、第１アダプター通信部３１２内において、第１カメラ通信部１１２との間で通信処理を実行する回路のみに制御系電源Ｖｃｃ１の電圧が供給される構成としてもよい（例えば、第１アダプター通信部３１２内の第１レンズ通信部２１２との間で通信処理を実行する回路にはアダプター制御系電源Ｖａの電圧が供給される構成としてもよい）。要するに、例えばレンズ起動処理の際に、制御系電源Ｖｃｃ１からの給電を受けることに応じて、少なくともカメラボディ１００との間で通信処理を実行して、カメラボディ１００に対してパワー系電源ＰＷＲの給電の要求を送信するまでの処理を実行可能な最低限の回路（第３負荷部）に、制御系電源Ｖｃｃ１からの給電が可能な構成であればよい。
また、制御系電源Ｖｃｃ１の電圧は、レンズ制御系電源Ｖｃの給電量が不足しない程度であれば、第１アダプター通信部３１２を除いた各部の少なくとも一部にも供給される構成としてもよい。また、レンズ制御系電源Ｖｃから給電される第３負荷部とアダプター制御系電源Ｖａから給電される第４負荷部とは、一体化された構成であってもよいし、また、別々の構成であってもよい。
なお、第３負荷部の消費電力は、第４負荷部における消費電力よりも少なくすることが望ましい。
【０１９９】
さらに、アダプター電源部３２０に供給されたパワー系電源ＰＷＲからは、上述したレンズ駆動系電源Ｖｐおよびアダプター制御系電源Ｖａとは別に、絞り連動レバー駆動部３３０に電圧を供給する電源Ｖｍ（第５電源系統）も生成される（分けられる）。以下、この電源Ｖｍを絞り駆動用電源Ｖｍと称する。
例えば、アダプター電源部３２０は、パワー系電源ＰＷＲの電圧を予め定められた絞り駆動用電源Ｖｍの電圧に変換する電圧変換部を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇降圧した電圧に変換する。そして、アダプター電源部３２０は、生成した絞り駆動用電源Ｖｍの電圧を絞り連動レバー駆動部３３０に供給する。
【０２００】
なお、アダプター電源部３２０は、絞り駆動用電源Ｖｍの電圧に基づいてアダプター制御系電源Ｖａの電圧を変換する（生成する）第１レギュレータ部を備える構成としてもよい。例えば、この第１レギュレータ部は、絞り駆動用電源Ｖｍの電圧を予め定められた電圧（予め定められたアダプター制御系電源Ｖａの電圧）まで降圧した電圧に変換する。また、例えば、この第１レギュレータ部は、第１リニアレギュレータを備えている構成としてもよい。なお、絞り駆動用電源Ｖｍの電圧は、アダプター制御系電源Ｖａの電圧より高い電圧に設定されている。
【０２０１】
また、アダプター電源部３２０は、パワー系電源ＰＷＲの電圧に基づいてレンズ駆動系電源Ｖｐの電圧を変換する（生成する）第２レギュレータ部を備えている構成としてもよい。例えば、この第２レギュレータ部は、パワー系電源ＰＷＲの電圧を予め定められた電圧（予め定められたレンズ駆動系電源Ｖｐの電圧）まで降圧した電圧に変換する。また、例えば、この第２レギュレータ部は、第２リニアレギュレータを備えている構成としてもよい。なお、この場合、第２レギュレータ部は、第１レギュレータ部と比べて供給可能な電力が大きくなる（給電量が多い）ように構成されている。
また、交換レンズ２００に供給するレンズ制御系電源Ｖｃの電圧の規格（交換レンズ２００におけるレンズ制御系電源Ｖｃの電圧の規格）とカメラボディ１００から供給される制御系電源Ｖｃｃ１の電圧の規格（カメラボディ１００における制御系電源Ｖｃｃ１の電圧の規格）とが同じ場合、アダプター電源部３２０は、制御系電源Ｖｃｃ１の供給電圧を、レンズ制御系電源Ｖｃの供給電圧として、そのまま（昇圧または降圧をせずに）給電する。
なお、アダプター電源部３２０の内部構成については、図２４を用いて後述する。
【０２０２】
なお、交換レンズ２００に供給するレンズ制御系電源Ｖｃの電圧の規格（交換レンズ２００におけるレンズ制御系電源Ｖｃの電圧の規格）とカメラボディ１００から供給される制御系電源Ｖｃｃ１の電圧の規格（カメラボディ１００における制御系電源Ｖｃｃ１の電圧の規格）とが互いに異なる場合、アダプター電源部３２０は、制御系電源Ｖｃｃ１の供給電圧を、レンズ制御系電源Ｖｃの供給電圧の規格に合うように変換（昇圧または降圧）してから交換レンズ２００に供給する構成としてもよい。
例えば、レンズ制御系電源Ｖｃの電圧が制御系電源Ｖｃｃ１の電圧に比べて大きい（高い）場合、アダプター電源部３２０は、制御系電源Ｖｃｃ１の供給電圧から昇圧してレンズ制御系電源Ｖｃの電圧を生成する昇圧部（例えば、ＤＣ−ＤＣコンバータ）を備える構成としてもよい。また、例えば、レンズ制御系電源Ｖｃの電圧が制御系電源Ｖｃｃ１の電圧に比べて小さい（低い）場合、アダプター電源部３２０は、制御系電源Ｖｃｃ１の供給電圧から降圧してレンズ制御系電源Ｖｃの電圧を生成する降圧部（例えば、ＤＣ−ＤＣコンバータ）を備える構成としてもよい。
【０２０３】
なお、アダプター電源部３２０により変換された（生成された）電源系それぞれの接続は、以下のようになっている。
端子Ｔｃ２は、アダプター電源部３２０のレンズ駆動系電源Ｖｐ出力端子（レンズ駆動系電源Ｖｐの電圧を出力する端子）に接続されている。また、端子Ｔｃ３は、アダプター電源部３２０のレンズ制御系電源Ｖｃ出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
また、アダプター電源部３２０は、レンズ駆動系電源Ｖｐの電圧を端子Ｔｃ２および端子Ｔｄ２を介して交換レンズ２００の光学系駆動部２３０に供給する。
また、アダプター電源部３２０は、レンズ制御系電源Ｖｃの電圧を端子Ｔｃ３および端子Ｔｄ３を介して交換レンズ２００のレンズ制御部２１０に供給する。
【０２０４】
このように、アダプター電源部３２０は、カメラボディ１００から供給されるパワー系電源ＰＷＲの電圧から交換レンズ２００の光学系駆動部２３０に供給するレンズ駆動系電源Ｖｐの電圧を生成するとともに、カメラボディ１００から供給される制御系電源Ｖｃｃ１の電圧からレンズ制御部２１０に供給するレンズ制御系電源Ｖｃの電圧を生成できる。また、アダプター電源部３２０は、アダプター制御部３１０に供給するアダプター制御系電源Ｖａの電圧を、カメラボディ１００から供給されるパワー系電源ＰＷＲの電圧から生成できる。
つまり、アダプター３００は、アダプター制御部３１０（例えば、アダプター制御部３１０における第１アダプター通信部３１２を除いた各部）に供給するアダプター制御系電源Ｖａの電圧を、パワー系電源ＰＷＲの電圧から生成するため、カメラボディ１００から供給される制御系電源Ｖｃｃ１の電圧から、交換レンズ２００のレンズ制御部２１０に供給するレンズ制御系電源Ｖｃの電圧を生成して供給できる（アダプター制御系電源Ｖａの電圧をパワー系電源ＰＷＲの電圧から生成するため、制御系電源Ｖｃｃ１のからの給電量が不足することなく、制御系電源Ｖｃｃ１の電圧からレンズ制御系電源Ｖｃの電圧を生成して供給できる）。
【０２０５】
ところで、カメラボディ１００に対してアダプター３００を介さずに直接に装着される交換レンズ、すなわちマウント仕様、通信規格等がカメラボディ１００と同じでありカメラボディ１００の規格に適合する交換レンズ（例えば、図２７を用いて後述する規格適合レンズ）が、カメラボディ１００に装着された場合、カメラボディ１００は、制御系電源Ｖｃｃ１の電圧をレンズ制御部２１０に供給する電圧（交換レンズ２００のレンズ制御系電源Ｖｃの電圧に相当する電圧）として供給し、パワー系電源ＰＷＲの電圧を光学系駆動部２３０Ａに供給する電圧（交換レンズ２００のレンズ駆動系電源Ｖｐの電圧に相当する電圧）として供給する。
すなわち、アダプター３００を介してカメラボディ１００に対して交換レンズ２００が装着された場合、カメラボディ１００は、カメラボディ１００に対してアダプター３００を介さず直接に交換レンズ（規格適合レンズ）が装着された場合と同様の電源系統から交換レンズ２００に給電できる。
【０２０６】
また、上述したように、アダプター制御部３１０に電圧を供給するアダプター制御系電源Ｖａの供給電圧を、パワー系電源ＰＷＲから生成するように構成した。これにより、アダプター制御部３１０への供給可能な電力量（給電量）を、制御系電源Ｖｃｃ１からアダプター制御系電源Ｖａの供給電圧を生成した場合に比べて多くできる。これは、制御系電源Ｖｃｃ１に比べて供給可能な電力量（給電量）が多いパワー系電源ＰＷＲからアダプター制御系電源Ｖａの供給電圧を生成するように構成したためである。
これにより、制御系電源Ｖｃｃ１の給電量に制限されることなく、アダプター３００を高機能化することが可能である。例えば、アダプター制御部３１０への供給量が多くなることで処理能力を高めることができるため、アダプター３００に、交換レンズ２００とカメラボディ１００とを中継する機能以外の機能（例えば、発光（または閃光）機能、無線通信機能、ＧＰＳ（Global Positioning System）機能、ＡＦ演算機能等）を、制御系電源Ｖｃｃ１の給電量に制限されることなく付加することも可能になる。
【０２０７】
さらに、アダプター電源部３２０は、アダプター３００内の絞り駆動用電源Ｖｍの電圧を、絞り連動レバー駆動部３３０に供給する。つまりアダプター３００は、絞り連動レバー駆動部３３０に供給する電圧を、カメラボディ１００から供給されるパワー系電源ＰＷＲの電圧から生成する。パワー系電源ＰＷＲは、制御系電源Ｖｃｃ１よりも給電力が十分に大きいため、パワー系電源ＰＷＲを様々な回路への給電に利用でき、且つ本実施形態のようにパワー系電源ＰＷＲから絞り連動レバー駆動部３３０に給電する電圧を作成しても（パワー系電源ＰＷＲを兼用しても）、その兼用先の他の回路の動作（例えば上述のアダプター制御部３１０の動作）に悪影響を与えることがない。
【０２０８】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００の端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【０２０９】
また、端子Ｔｂ１２は、カメラボディ１００の端子Ｔａ１２に接続されている。これにより、制御系グランドＳＧＮＤは、端子Ｔａ１２を介して端子Ｔｂ１２に接続されている。また、端子Ｔｂ１２と端子Ｔｃ９とは、アダプター３００内で制御系グランドＳＧＮＤとして接続されている。さらに、端子Ｔｃ９は、交換レンズ２００の端子Ｔｄ９に接続されている。これにより、制御系グランドＳＧＮＤは、レンズ制御系電源Ｖｃに対応するグランドとして、端子Ｔｃ９を介して端子Ｔｄ９に接続されている。また、制御系グランドＳＧＮＤは、アダプター制御部３１０のグランドとしても接続されている。
【０２１０】
このように、パワー系グランドＰＧＮＤと制御系グランドＳＧＮＤとは、アダプター３００において互いに接続されておらず、２系統のグランドに分離されている。
つまり、交換レンズ２００およびアダプター３００において、パワー系グランドＰＧＮＤと制御系グランドＳＧＮＤとが互いに接続されておらず、２系統のグランドに分離されている。ただし、２系統に分離されているパワー系グランドＰＧＮＤと制御系グランドＳＧＮＤとは、カメラボディ１００において接続され、バッテリー１９０の負極と同電位のグランドになっている。したがって、カメラ制御部１１０、レンズ制御部２１０、およびアダプター制御部３１０のグランドは、制御系グランドＳＧＮＤに接続され同電位になっている。
【０２１１】
なお、交換レンズ２００において、制御系グランドＳＧＮＤは、レンズ側マウント２０１の導電部（交換レンズ筐体）に接続されていてもよい。また、交換レンズ２００において制御系グランドＳＧＮＤが接続されている端子Ｔｄ９は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ９は、第２マウント３０２の導電部に含まれている構成としてもよい。
さらに、同様に、端子Ｔｂ１２は第１マウント３０１の導電部に接続されていてもよく、また、端子Ｔｂ１２は第１マウント３０１の導電部に含まれている構成としてもよい。
同様に、端子Ｔａ１２も、カメラボディ側マウント１０１の導電部に接続されていてもよく、また、端子Ｔａ１２はカメラボディ側マウント１０１の導電部に含まれている構成としてもよい。
【０２１２】
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、前記検出結果をアダプター制御部３１０に出力する。
【０２１３】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【０２１４】
アダプター制御部３１０は、アダプター電源制御部３１１と、第１アダプター通信部３１２と、第２アダプター通信部３１３と、絞り制御部３１４と、を備えている。また、アダプター制御部３１０は、カメラ制御部１１０との周期的な通信により制御されて、アダプター３００が備えている各部において行われる処理を制御するとともに、レンズ制御部２１０と周期的な通信を行う。例えば、アダプター制御部３１０は、カメラ制御部１１０との間で、定常的な周期的通信を実行する。また、アダプター制御部３１０は、レンズ制御部２１０との間でも、定常的な周期的通信を実行する。
また、アダプター制御部３１０は、カメラ制御部１１０からの撮影処理を制御するための通信に基づいて、絞り連動レバー駆動部３３０の制御をするとともに、交換レンズ２００の光学系駆動部２３０を制御するためにレンズ制御部２１０との通信を行う。
アダプター電源制御部３１１は、カメラ制御部１１０またはレンズ制御部２１０との通信結果、またはアダプター３００の状態等に応じて、アダプター電源部３２０を制御する。例えば、アダプター電源制御部３１１は、カメラ制御部１１０またはレンズ制御部２１０との通信結果に応じてアダプター電源部３２０を制御して、レンズ制御系電源Ｖｃ、レンズ駆動系電源Ｖｐ、または絞り駆動用電源Ｖｍの電圧を供給させるか否かを制御する。
【０２１５】
第７実施形態においても、第１アダプター通信部３１２を介して第１カメラ通信部１１２と第１レンズ通信部２１２との間において、第１データ通信系Ｄ１ｂの通信および第１データ通信系Ｄ１Ｌの通信が行われる。この第１データ通信系Ｄ１ｂの通信および第１データ通信系Ｄ１Ｌの通信においては、第１カメラ通信部１１２と第１レンズ通信部２１２との間で、第１アダプター通信部３１２を介して、例えば、光学系２２０の情報、制御指示等の要求コマンド、および要求コマンドに対する応答データ等が通信される。ここで、この第１データ通信系Ｄ１ｂおよび第１データ通信系Ｄ１Ｌにおける通信をコマンドデータ通信と称する。
【０２１６】
（アダプターの電源部および電源系統の構成の詳細）
次に、図２４を参照して、アダプター３００におけるアダプター電源部３２０および電源系統の構成の詳細について説明する。
図２４は、アダプター電源部３２０および電源系統の構成の一例を示す概略ブロック図である。同図において図２３の各部に対応する部分には同一の符号を付け、その説明を省略する。また、この図に示すアダプター制御部３１０は、アダプター電源制御部３１１に関する構成を主として示している。
【０２１７】
アダプター電源部３２０は、ＤＣ−ＤＣコンバータ部３２１（電圧変換部）と、第１レギュレータ部３２２と、第２レギュレータ部３２３と、レンズ制御系電源Ｖｃスイッチ３２８とを備えている。
【０２１８】
ＤＣ−ＤＣコンバータ部３２１には、パワー系電源ＰＷＲの電源線が接続されており、パワー系電源ＰＷＲの電圧が供給される。ＤＣ−ＤＣコンバータ部３２１は、パワー系電源ＰＷＲの電圧から予め定められた電圧まで昇降圧した電圧に変換した絞り駆動用電源Ｖｍを生成する。ＤＣ−ＤＣコンバータ部３２１により生成された絞り駆動用電源Ｖｍの電源線は、絞り連動レバー駆動部３３０と第１レギュレータ部３２２の入力端子とに接続されており、絞り駆動用電源Ｖｍの電圧が供給される。
【０２１９】
第１レギュレータ部３２２は、例えば、第１リニアレギュレータを備えており、絞り駆動用電源Ｖｍの電圧を降圧して電圧を安定化させたアダプター制御系電源Ｖａの供給電圧を生成する。なお、アダプター制御系電源Ｖａの電源線は、アダプター制御部３１０とモーター駆動部３３１とに接続されており、第１レギュレータ部３２２により生成されたアダプター制御系電源Ｖａの電圧がアダプター制御部３１０に供給される。ここで、アダプター制御系電源Ｖａの電圧は、アダプター制御部３１０内の第１アダプター通信部３１２を除いた各部に供給される。
また、ＤＣ−ＤＣコンバータ部３２１および第１レギュレータ部３２２は、パワー系電源ＰＷＲから給電されるのに応じて、それぞれ絞り駆動用電源Ｖｍおよびアダプター制御系電源Ｖａの供給電圧を生成する。例えば、カメラボディ１００からアダプター３００に対してパワー系電源ＰＷＲから給電されるのに応じて、アダプター制御部３１０には、アダプター制御系電源Ｖａの電圧の供給が開始される。
【０２２０】
また、第２レギュレータ部３２３の入力端子には、パワー系電源ＰＷＲの電源線が接続されており、パワー系電源ＰＷＲの電圧が供給される。第２レギュレータ部３２３は、例えば、第２リニアレギュレータを備えており、パワー系電源ＰＷＲの電圧を降圧して電圧を安定化させたレンズ駆動系電源Ｖｐを生成する。この第２レギュレータ部３２３は、第１レギュレータ部３２２に対比して供給可能な給電量が多いレギュレータである。なお、レンズ駆動系電源Ｖｐの電源線は、図２３を用いて説明した端子Ｔｃ２に接続されている。
【０２２１】
制御系電源Ｖｃｃ１の電源線は、アダプター制御部３１０の電源端子に接続されている。これにより、制御系電源Ｖｃｃ１の電圧は、アダプター制御部３１０内の第１アダプター通信部３１２に供給される。
また、制御系電源Ｖｃｃ１の電源線は、レンズ制御系電源Ｖｃスイッチ３２８を介して、レンズ制御系電源Ｖｃの電源線として、図２３を用いて説明した端子Ｔｃ３に接続されている。
レンズ制御系電源Ｖｃスイッチ３２８は、アダプター制御部３１０の制御により、導通状態と遮断状態（非導通状態）とを切替える。すなわち、レンズ制御系電源Ｖｃスイッチ３２８は、アダプター制御部３１０の制御により、制御系電源Ｖｃｃ１の電圧をレンズ制御系電源Ｖｃの電圧として、端子Ｔｃ３に対して供給するか否かを切替える。
例えば、制御信号ＣＴＬ１の信号線は、アダプター制御部３１０の制御信号出力端子と、レンズ制御系電源Ｖｃスイッチ３２８の制御端子と、に接続されている。レンズ制御系電源Ｖｃスイッチ３２８は、アダプター制御部３１０から供給される制御信号ＣＴＬ１に基づいて、レンズ制御系電源Ｖｃの電圧の供給状態を、給電状態（電圧を供給している状態）、または遮断状態（電圧の供給を停止している状態）に制御する。例えば、レンズ制御系電源Ｖｃスイッチ３２８は、制御信号ＣＴＬ１がＨ（ハイ）状態の場合に、レンズ制御系電源Ｖｃの電圧を給電状態に制御する。また、レンズ制御系電源Ｖｃスイッチ３２８は、制御信号ＣＴＬ１がＬ（ロウ）状態の場合に、レンズ制御系電源Ｖｃの電圧を遮断状態に制御する。
【０２２２】
なお、前述したように、アダプター電源部３２０は、制御系電源Ｖｃｃ１の供給電圧から昇圧（または降圧）してレンズ制御系電源Ｖｃの電圧を生成するＤＣ−ＤＣコンバータ（昇圧部または降圧部）を備える構成としてもよい。この場合、アダプター電源部３２０は、例えば、図２４におけるレンズ制御系電源Ｖｃスイッチ３２８に代えてＤＣ−ＤＣコンバータを備え、このＤＣ−ＤＣコンバータの入力端子が制御系電源Ｖｃｃ１の電源線が接続され、出力端子がレンズ制御系電源Ｖｃの電源線を介して図２３を用いて説明した端子Ｔｃ３に接続されている構成としてもよい。また、この場合、制御信号ＣＴＬ１の信号線が、アダプター制御部３１０の制御信号出力端子と、ＤＣ−ＤＣコンバータの出力制御用のコントロール端子と、に接続され、アダプター制御部３１０の制御によりＤＣ−ＤＣコンバータからの出力（給電）の制御がされる構成としてもよい。
【０２２３】
また、制御信号ＣＴＬ２の信号線は、アダプター制御部３１０の制御信号出力端子と、第２レギュレータ部３２３（例えば、第２レギュレータ部３２３が有している出力制御用のコントロール端子）と、に接続されている。第２レギュレータ部３２３は、アダプター制御部３１０から供給される制御信号ＣＴＬ２に基づいて、レンズ駆動系電源Ｖｐの電圧の供給状態を、給電状態（電圧を供給している状態）、または遮断状態（電圧の供給を停止している状態）に制御する。例えば、第２レギュレータ部３２３は、制御信号ＣＴＬ２がＨ（ハイ）状態の場合に、レンズ駆動系電源Ｖｐの電圧を給電状態に制御する。また、第２レギュレータ部３２３は、制御信号ＣＴＬ２がＬ（ロウ）状態の場合に、レンズ駆動系電源Ｖｐの電圧を遮断状態に制御する。
【０２２４】
絞り連動レバー駆動部３３０は、絞り駆動用アクチュエータとしてのステッピングモーター３３５と、モーター駆動部３３１と、絞り連動レバー位置検出部３３２と、を備えている。
ステッピングモーター３３５は、絞り連動レバー３５０を駆動する動力源であり、モーター駆動部３３１により駆動される。
モーター駆動部３３１は、アダプター制御部３１０の制御により、パルス電圧を生成してステッピングモーター３３５を駆動する。また、絞り連動レバー位置検出部３３２は、例えばフォトインタラプタを含み、絞り連動レバー３５０の位置を検出する。
【０２２５】
ＤＣ−ＤＣコンバータ部３２１により生成された絞り駆動用電源Ｖｍの電源線は、モーター駆動部３３１と、絞り連動レバー位置検出部３３２とに接続されており、絞り駆動用電源Ｖｍの電圧が供給される。
また、アダプター制御系電源Ｖａの電源線は、アダプター制御部３１０に接続されている他に、モーター駆動部３３１にも接続されており、モーター駆動部３３１内の制御系回路にアダプター制御系電源Ｖａの電圧が供給される。
【０２２６】
制御系グランドＳＧＮＤは、アダプター制御部３１０、モーター駆動部３３１、および第１レギュレータ部３２２に、制御系電源Ｖｃｃ１またはアダプター制御系電源Ｖａに対応するグランドとして接続されている。
また、パワー系グランドＰＧＮＤは、ＤＣ−ＤＣコンバータ部３２１、第２レギュレータ部３２３、モーター駆動部３３１、および絞り連動レバー位置検出部３３２に、パワー系電源ＰＷＲまたは絞り駆動用電源Ｖｍに対応するグランドとして接続されている。
【０２２７】
このように、アダプター３００は、カメラボディ１００から供給される制御系電源Ｖｃｃ１の電圧およびパワー系電源ＰＷＲの電圧のうち、パワー系電源ＰＷＲの電圧から第２レギュレータ部３２３を介して交換レンズ２００に供給するレンズ駆動系電源Ｖｐの電圧を生成する。また、アダプター３００は、パワー系電源ＰＷＲの電圧からＤＣ−ＤＣコンバータ部３２１および第１レギュレータ部３２２を介して、アダプター制御系電源Ｖａの電圧を生成する。さらに、アダプター３００は、カメラボディ１００から供給される制御系電源Ｖｃｃ１の電圧を、レンズ制御系電源Ｖｃスイッチ３２８を介してレンズ制御系電源Ｖｃの電圧として交換レンズ２００に供給する。つまり、アダプター制御部３１０（アダプター制御部３１０内の第１アダプター通信部３１２を除いた各部）には、パワー系電源ＰＷＲから生成されたアダプター制御系電源Ｖａの電圧が供給され、交換レンズ２００のレンズ制御部２１０には、カメラボディ１００から制御系電源Ｖｃｃ１の電圧がレンズ制御系電源Ｖｃの電圧として供給される。また、交換レンズ２００の光学系駆動部２３０には、アダプター３００においてパワー系電源ＰＷＲの電圧から生成されたレンズ駆動系電源Ｖｐの電圧が供給される。
【０２２８】
これにより、アダプター３００は、カメラボディ１００から供給されたパワー系電源ＰＷＲから、アダプター３００のアダプター制御部３１０に供給するアダプター制御系電源Ｖａの電圧と、交換レンズ２００の光学系駆動部２３０を駆動するためのレンズ駆動系電源Ｖｐの電圧とを生成して供給できる。また、アダプター３００は、カメラボディ１００から供給された制御系電源Ｖｃｃ１の電圧をレンズ制御系電源Ｖｃの電圧として、交換レンズ２００のレンズ制御部２１０に供給できる。例えば、アダプター制御部３１０およびレンズ制御部２１０の両方に供給される給電量に対比してカメラボディ１００から供給される制御系電源Ｖｃｃ１の給電量が不足する場合であっても、アダプター３００は、給電量が不足することなくアダプター制御部３１０およびレンズ制御部２１０の両方に給電できるとともに、光学系駆動部２３０に給電できる。よって、カメラボディ１００と交換レンズ２００とをアダプター３００を介して接続することにより、カメラボディ１００により交換レンズ２００を駆動して機能させることができる。
【０２２９】
また、アダプター３００は、レンズ制御系電源Ｖｃの電圧が供給される負荷（第２負荷）の消費電力に対比して消費電力が多い負荷（第１負荷）にレンズ駆動系電源Ｖｐの電圧を供給する。すなわち、アダプター３００は、レンズ制御系電源Ｖｃの電圧と、レンズ制御系電源Ｖｃに対比して供給可能な給電量が多いレンズ駆動系電源Ｖｐの電圧を生成する。そのため、アダプター３００は、レンズ制御部２１０に電圧を供給する電源系統としてのレンズ制御系電源Ｖｃを、制御系電源Ｖｃｃ１の電圧から生成し、光学系駆動部２３０に電圧を供給する電源系統としてのレンズ駆動系電源Ｖｐを、制御系電源Ｖｃｃ１に対比して供給可能な給電量が多いパワー系電源ＰＷＲの電圧から生成する。これにより、アダプター３００は、レンズ制御部２１０および光学系駆動部２３０に適切に電圧を供給できる。よって、アダプター３００は、交換レンズ２００を駆動するための電圧を適切に供給できる。
【０２３０】
また、アダプター３００は、ＤＣ−ＤＣコンバータ部３２１により、パワー系電源ＰＷＲの電圧から予め定められた電圧まで昇降圧した電圧に変換して絞り駆動用電源Ｖｍの電圧を生成するため、安定化させた電圧を絞り連動レバー駆動部３３０に供給できる。さらに、アダプター３００は、第１レギュレータ部３２２により、絞り駆動用電源Ｖｍの電圧を予め定められた電圧まで降圧して、電圧を安定化させたアダプター制御系電源Ｖａの電圧を生成するため、駆動系の電圧ノイズの影響を低減した電圧をアダプター制御部３１０に供給できる。また、アダプター３００は、パワー系電源ＰＷＲ、絞り駆動用電源Ｖｍ、およびレンズ駆動系電源Ｖｐ、とは異なる電源系統である制御系電源Ｖｃｃ１の電圧からレンズ制御系電源Ｖｃの電圧を生成するため、駆動系の電圧ノイズの影響を低減した電圧をレンズ制御部２１０に供給できる。さらに、アダプター３００は、第２レギュレータ部３２３により、パワー系電源ＰＷＲの電圧から予め定められた電圧まで降圧した電圧に変換してレンズ駆動系電源Ｖｐの電圧を生成するため、安定化させた電圧を光学系駆動部２３０に供給できる。
【０２３１】
＜交換レンズの他の形態＞
次に、交換レンズの他の形態について説明する。
アダプター３００を介してカメラボディ１００と接続して機能させることが可能なレンズは、図２３を用いて説明した交換レンズ２００に限られるものではない。交換レンズ２００の他に、様々な交換レンズを、アダプター３００を介してカメラボディ１００と接続して機能させることが可能である。
なお、図２３を用いて説明した交換レンズ２００は、通信可能なレンズ制御部２１０を備えており、レンズ制御部２１０が通信結果に基づいて光学系駆動部２３０を制御する交換レンズであり、この交換レンズ２００を、以下の記述においてＣＰＵ（Central Processing Unit）レンズとも称する。
【０２３２】
（非ＣＰＵレンズ）
これに対して、図２５に示すように、通信可能なレンズ制御部を備えていない交換レンズ２００Ｂを、アダプター３００を介してカメラボディ１００と接続して機能させることも可能である。
図２５は、通信可能なレンズ制御部を備えていない交換レンズ２００Ｂを備えているカメラシステム１Ｅの構成の一例を示す概略ブロック図である。同図において、第１実施形態の図７または図２３の各部に対応する部分には同一の符号を付け、その説明を省略する。
この図において、カメラボディ１００と交換レンズ２００Ｂとは、アダプター３００を介して装着されている。
【０２３３】
例えば、交換レンズ２００Ｂは、光学系を電気的に駆動しない仕様のレンズであって、ユーザの操作によってフォーカスレンズ２２２Ｂの位置を調整可能なフォーカスリング２６０Ｂと、ユーザの操作によって絞り機構２５１Ｂの開度を変更可能な絞り環２５５Ｂとを備えているレンズである。また、図２５に示す交換レンズ２００Ｂは、レンズ制御部、光学系駆動部、および電気的な接続端子を備えていない点で、図２３に示す交換レンズ２００と異なる。
アダプター３００は、電気的な接続端子（接点）を有していない交換レンズ２００Ｂに対して給電しないように制御する。また、アダプター３００は、絞り連動レバー駆動部３３０に絞り駆動用電源Ｖｍを給電して、絞り連動レバー３５０の制御をする。
例えば、交換レンズ２００Ｂにおいては、ユーザによって絞り環２５５Ｂが操作されることにより、絞り機構２５１Ｂの絞り開口径（開度、絞り値）が変更される。そのため、アダプター制御部３１０は、絞り機構２５１Ｂの絞り開口径（開度、絞り値）が変更されることに応じて位置が移動する絞りレバー２５２Ｂの位置に干渉しない位置（移動を妨げない位置）である退避位置に、絞り連動レバー３５０を制御する。
これにより、交換レンズ２００Ｂは、アダプター３００を介してカメラボディ１００と接続可能であり、交換レンズ２００Ｂの仕様に応じてマニュアル操作によって機能させることができる。
この交換レンズ２００Ｂを、以下の記述において、非ＣＰＵレンズとも称する。
【０２３４】
（電磁絞り式ＣＰＵレンズ）
また、図２６に示すように、絞り機構２５１Ｃを電気的に駆動する電磁絞り式の交換レンズ２００Ｃを、アダプター３００を介してカメラボディ１００と接続して機能させることも可能である。
図２６は、電磁絞り式の交換レンズ２００Ｃを備えているカメラシステム１Ｆの構成の一例を示す概略ブロック図である。同図において、第１実施形態の図７または図２３の各部に対応する部分には同一の符号を付け、その説明を省略する。
この図において、カメラボディ１００と交換レンズ２００Ｃとは、アダプター３００を介して装着されている。
図２６に示す交換レンズ２００Ｃは、図２３に示す交換レンズ２００が絞りレバー２５２を有する絞りユニット２５０を備えているのに対して、絞り駆動部２３３Ｃを有する電磁絞りユニット２５０Ｃ備えている点で異なる。
【０２３５】
例えば、交換レンズ２００Ｃは、電磁絞りユニット２５０Ｃ（ＥＭＤ(Electro-magnetic Diaphragm)を備えているレンズである。この電磁絞りユニット２５０Ｃは、絞り機構２５１Ｃと絞り駆動部２３３Ｃとを備えている。
絞り駆動部２３３Ｃは、レンズ制御部２１０Ｃが備えている光学系制御部２１１Ｃの制御により、絞り機構２５１Ｃの絞り開口径（開度、絞り値）を電気的に駆動して変更する。また、絞り駆動部２３３Ｃは、例えば、絞り駆動用アクチュエータを含んで構成されている。
なお、この図に示す構成においてアダプター３００が絞り機構２５１Ｃを制御する場合、アダプター制御部３１０は、絞り連動レバー駆動部３３０を制御するのに代えて、レンズ制御部２１０Ｃと通信することにより絞り駆動部２３３Ｃを介して絞り機構２５１Ｃを制御する。また、交換レンズ２００Ｃの電磁絞りユニット２５０Ｃには、アダプター３００からレンズ駆動系電源Ｖｐの電圧が供給される。すなわち、アダプター３００は、交換レンズ２００Ｃの電磁絞りユニット２５０Ｃを駆動する場合、絞り連動レバー駆動部３３０に絞り駆動用電源Ｖｍへの給電は行わないで、交換レンズ２００Ｃに対してレンズ駆動系電源Ｖｐの電圧を給電する。なお、その他の電源系統は、図２３を用いて説明したカメラシステム１Ｄ（交換レンズ２００が装着された場合）と同様である。
このように、交換レンズ２００Ｃには、アダプター３００を介してカメラボディ１００から給電された制御系電源Ｖｃｃ１の電圧がレンズ制御系電源Ｖｃの電圧として供給されるとともに、パワー系電源ＰＷＲの電圧から生成されたレンズ駆動系電源Ｖｐの電圧が光学系駆動部２３０および電磁絞りユニット２５０Ｃに供給される電圧として供給される。
これにより、交換レンズ２００Ｃは、アダプター３００を介してカメラボディ１００と接続可能であり、カメラ制御部１１０は、アダプター制御部３１０を介してレンズ制御部２１０Ｃと通信することにより、交換レンズ２００Ｃを機能させることができる。
この交換レンズ２００Ｃを、以下の記述において、電磁絞り式ＣＰＵレンズとも称する。
【０２３６】
（規格適合レンズ）
なお、図２７は、交換レンズ２００Ａのレンズ側マウント２０１Ａと、カメラボディ１００のカメラボディ側マウント１０１とが、同じ仕様のレンズマウントである場合のカメラシステム１Ｇの構成の一例を示す概略ブロック図である。
すなわち、交換レンズ２００Ａは、カメラボディ１００のレンズマウント仕様および通信規格に適合するレンズであって、アダプター３００を介さず直接にカメラボディ１００と接続して機能させることが可能なレンズである。
同図において図２３または図２６の各部に対応する部分には同一の符号を付け、その説明を省略する。
【０２３７】
図２７の光学系２２０Ａおよび光学系駆動部２３０Ａの各部は、図２３または図２６の光学系２２０および光学系駆動部２３０の各部と同様の構成である。また、絞りユニット２５０Ａの各部は、図２６の絞りユニット２５０Ｃと同様の構成である。
交換レンズ２００Ａのレンズ側マウント２０１Ａの仕様は、カメラボディ１００のカメラボディ側マウント１０１に対応する装着可能な仕様である。
レンズ側マウント２０１Ａの接続部２０１Ａｓは、カメラボディ１００が備えている接続部１０１ｓの接続端子に接続される接続端子として、端子Ｔｅ１〜Ｔｅ１２の１２個の接続端子を備えている。交換レンズ２００Ａとカメラボディ１００とが接続部２０１Ａｓおよび接続部１０１ｓを介して接続されることにより、接続部２０１Ａｓの端子Ｔe１〜Ｔe１２のそれぞれの端子は、接続部１０１ｓの端子Ｔａ１〜Ｔａ１２のそれぞれの接続端子のうちの対応する接続端子に接続される。なお、この接続部２０１Ａｓと接続部１０１ｓとは、電気的に接続される。
【０２３８】
端子Ｔｅ２は、カメラボディ１００の端子Ｔａ２に接続され、カメラボディ１００からパワー系電源ＰＷＲの電圧が供給される。この端子Ｔｅ２に供給されたパワー系電源ＰＷＲの電圧が、交換レンズ２００Ａの光学系駆動部２３０Ａに供給されるレンズ駆動系電源の電圧（交換レンズ２００に供給されるレンズ駆動系電源Ｖｐの電圧に相当する電圧）である。
また、端子Ｔｅ３は、カメラボディ１００の端子Ｔａ３に接続され、カメラボディ１００から制御系電源Ｖｃｃの電圧が供給される。この端子Ｔｅ３に供給された制御系電源Ｖｃｃの電圧が、交換レンズ２００Ａのレンズ制御部２１０Ａに供給されるレンズ制御系電源の電圧（交換レンズ２００に供給されるレンズ制御系電源Ｖｃの電圧に相当する電圧）である。
【０２３９】
レンズ制御部２１０Ａは、光学系制御部２１１Ａと、第１レンズ通信部２１２Ａと、第２レンズ通信部２１３Ａと、を備えている。光学系制御部２１１Ａは、光学系駆動部２３０Ａおよび絞りユニット２５０Ａの絞り駆動部２３３Ａを制御する。
第１レンズ通信部２１２Ａと第１カメラ通信部１１２とは、信号ＲＤＹ、ＣＬＫ１、ＤＡＴＡＢ、ＤＡＴＡＬの４種類の信号線を介して第１データ通信系Ｄ１ｂの通信を実行する。また、第２レンズ通信部２１３Ａと第２カメラ通信部１１３とは、信号ＨＲＥＱ、ＨＡＮＳ、ＨＣＬＫ、ＨＤＡＴＡの４種類の信号線を介して第２データ通信系Ｄ２ｂの通信を実行する。
【０２４０】
このように、交換レンズ２００Ａには、カメラボディ１００からパワー系電源ＰＷＲの電圧がレンズ駆動系電源の電圧として供給され、制御系電源Ｖｃｃの電圧がレンズ制御系電源の電圧として供給される。また、第１レンズ通信部２１２Ａと第１カメラ通信部１１２とは、同じ通信規格でありコマンドデータ通信を行う。また、第２レンズ通信部２１３Ａと第２カメラ通信部１１３とは、同じ通信規格であり、ホットライン通信を行う。
これにより、交換レンズ２００Ａは、アダプター３００を介さずにカメラボディ１００と直接に接続することが可能であり、カメラ制御部１１０は、レンズ制御部２１０Ａと通信することにより、交換レンズ２００Ａを機能させることができる。
この交換レンズ２００Ａを、以下の記述において、規格適合レンズとも称する。
【０２４１】
＜状態遷移の説明＞
次に、本実施形態による処理について説明する。
第１実施形態の図８における状態遷移の概要は、第７実施形態においても同様であり、重複する内容については、その説明を省略する。
【０２４２】
（レンズ起動処理）
次に、第１実施形態の図８を用いて説明した本実施形態による処理のうち、レンズ起動処理（第１実施形態の図８のステップＳ１００の処理）について詳しく説明する。
まず、第７実施形態によるレンズ起動処理の概要について説明する。
アダプター制御部３１０内の第１アダプター通信部３１２は、カメラボディ１００から制御系電源Ｖｃｃ１の電圧の供給（給電）を受けた後で、パワー系電源ＰＷＲの電圧の供給開始を要求するパワー系電源ＰＷＲ要求信号をカメラボディ１００に送信する。
また、アダプター電源部３２０は、パワー系電源ＰＷＲ要求信号に応じてカメラボディ１００から供給されたパワー系電源ＰＷＲの電圧から、アダプター制御部３１０（アダプター制御部３１０内の第１アダプター通信部３１２を除いた各部）に電圧を供給するアダプター制御系電源Ｖａの電圧を生成する。例えば、アダプター制御部３１０は、パワー系電源ＰＷＲの電圧から、アダプター制御系電源Ｖａの電圧をアダプター電源部３２０に生成させる。
なお、アダプター制御部３１０は、アダプター制御系電源Ｖａからの給電を受けた後に、制御系電源Ｖｃｃ１の電圧からレンズ制御系電源Ｖｃの電圧をアダプター電源部３２０に生成させて交換レンズ２００に対して供給させる。
【０２４３】
例えば、アダプター制御部３１０は、アダプター制御系電源Ｖａからの給電が開始された後に、制御系電源Ｖｃｃ１の電圧をレンズ制御系電源Ｖｃの電圧として、交換レンズ２００に供給させる（レンズ制御系電源Ｖｃからの給電を開始させる）。なお、前述したように、アダプター制御部３１０は、制御系電源Ｖｃｃ１から供給された電圧を昇圧または降圧してレンズ制御系電源Ｖｃの電圧をアダプター電源部３２０に生成させて交換レンズ２００に対して供給させる構成としてもよい。
続いて、アダプター制御部３１０は、レンズ制御系電源Ｖｃの電圧を交換レンズ２００に供給させた後で、パワー系電源ＰＷＲの電圧からレンズ駆動系電源Ｖｐの電圧をアダプター電源部３２０に生成させて交換レンズ２００に対して供給させる。
具体的には、アダプター制御部３１０は、交換レンズ２００にレンズ制御系電源Ｖｃの電圧が供給されることに応じて、交換レンズ２００からレンズ駆動系電源Ｖｐの電圧の供給開始を要求することを示すレンズ駆動系電源Ｖｐ要求信号を受信した場合、レンズ駆動系電源Ｖｐの電圧をアダプター電源部３２０から交換レンズ２００に対して供給させる。
【０２４４】
また、アダプター制御部３１０は、カメラボディ１００からパワー系電源ＰＷＲの電圧の供給が開始された後で（パワー系電源ＰＷＲの給電が開始されたことに応じてアダプター電源部３２０により生成されたアダプター制御系電源Ｖａからの給電を受けた後で）、カメラ制御部１１０からの制御指示に応じた初期化処理を実行する。例えば、アダプター制御部３１０は、初期化処理として交換レンズ２００の状態を初期化する処理を実行する（交換レンズ２００に対して要求する）。すなわち、アダプター制御部３１０は、交換レンズ２００に対して給電させた（交換レンズ２００に対してレンズ系電源系統の電源を供給させた）後で、交換レンズ２００の状態を初期化する処理を実行する（交換レンズ２００に対して要求する）。
また、この交換レンズ２００の状態を初期化する処理には、レンズ制御部２１０を初期化するレンズ制御部初期化処理が含まれる。
例えば、アダプター制御部３１０は、初期化処理として、交換レンズ２００に対して給電することにより、交換レンズ２００がアダプター３００に装着されている状態にあるか否かを検出する。そして、アダプター制御部３１０は、交換レンズ２００がアダプター３００に装着されている状態にあることを検出した後、レンズ制御部２１０を初期化するレンズ制御部初期化処理を実行する。
【０２４５】
次に、カメラシステム１Ｄのレンズ起動処理の詳細について説明する。
図２８は、第７実施形態によるレンズ起動処理の処理シーケンスの一例を示す図である。図２８において、第１実施形態の図９の各部に対応する部分には同一の符号を付け、重複する内容については、その説明を省略する。この図は、カメラボディ１００の主電源がオンされた場合のレンズ起動処理の一例を示している。
レンズ起動処理は、着脱判定（ステップＳ１１０）、カメラボディ１００とアダプター３００との間の情報交換（ステップＳ１２０）、初期化（ステップＳ１３０）、レンズ情報取得（ステップＳ１６０）、レンズ機能開始（ステップＳ１７０）の順に処理が行われる。また、初期化（ステップＳ１３０）においては、アダプター３００が交換レンズ２００に対して行う処理として、装着判定処理（ステップＳ１４０）とレンズ初期化処理（ステップＳ１５０）とが順に実行される。
なお、この起動処理において、アダプター３００を介してカメラボディ１００と交換レンズ２００との間で実行される通信は、コマンドデータ通信である。
【０２４６】
まず、着脱判定（ステップＳ１１０）は、カメラボディ１００がアダプター３００に対する制御系電源Ｖｃｃ１の給電を開始して、アダプター３００（または、交換レンズ２００Ａ）が装着されているか否かを判定する処理である。
カメラボディ１００の主電源がオンされた場合、カメラ制御部１１０は、カメラ電源部１２０を制御して、制御系電源Ｖｃｃ１の電圧をアダプター３００に供給（給電）させる（ステップＳ１１１０）。これにより、アダプター制御部３１０内の第１アダプター通信部３１２に、制御系電源Ｖｃｃ１の電圧が供給される。第１アダプター通信部３１２は、制御系電源Ｖｃｃ１の電圧が供給されるのに応じてアダプター起動処理を行い（第１カメラ通信部１１２との間で通信開始する処理を行い）、第１アダプター通信部３１２から第１カメラ通信部１１２に対して通信可否を通知する（ステップＳ２１１０）。例えば、第１アダプター通信部３１２は、制御系電源Ｖｃｃ１の電圧が供給されるのに応じて信号ＲＤＹをＨ（ハイ）レベルに制御し、アダプター起動処理により信号ＲＤＹをＬ（ロウ）レベルに制御する。そして、第１カメラ通信部１１２は、信号ＲＤＹの信号レベルの立下りエッジを検出することにより、装着情報を取得する（ステップＳ１１１２）。
【０２４７】
これにより、カメラ制御部１１０は、第１カメラ通信部１１２により取得された装着情報に基づいて、アダプター３００が装着されているか否かの着脱判定を行う（ステップＳ１１１４）。例えば、カメラ制御部１１０は、信号ＲＤＹの信号レベルの立下りエッジが検出されたか否かを示す装着情報に基づいて着脱判定を行う。
【０２４８】
ステップＳ１１１４において、カメラボディ１００にアダプター３００が装着されていると判定された場合、カメラ制御部１１０は、カメラボディ１００とアダプター３００との間の情報交換（ステップＳ１２０）に処理を進める。
なお、カメラボディ１００に対してアダプター３００を介さず直接に規格適合レンズ（例えば、交換レンズ２００Ａ）が装着されている場合も、カメラ制御部１１０は、同様にステップＳ１２０に処理を進める。この場合のステップＳ１２０の処理は、カメラボディ１００と交換レンズ２００Ａとの間の情報交換の処理となる。
また、ステップＳ１１１４において装着されていないと判定された場合、カメラ制御部１１０は、カメラボディ１００に対してアダプター３００および交換レンズ２００Ａの何れかが装着されていない非装着状態であると判定する。
【０２４９】
ステップＳ１２０のカメラボディ１００とアダプター３００との間の情報交換において、次の処理が行われる。
第１カメラ通信部１１２は、第１アダプター通信部３１２と通信（コマンドデータ通信）の確立を行う。そして、第１カメラ通信部１１２と第１アダプター通信部３１２とは、カメラボディ１００とアダプター３００とのそれぞれの識別ＩＤ、名称、ファームウェアバージョン等の情報を互いに通信して取得する。また、第１アダプター通信部３１２は、パワー系電源ＰＷＲの電圧の供給開始を要求するパワー系電源ＰＷＲ要求信号を第１カメラ通信部１１２に送信する（ステップＳ１１２０、ステップＳ２１２０）。
【０２５０】
続いて、初期化（ステップＳ１３０）の処理が行われる。この初期化の処理は、カメラボディ１００からパワー系電源ＰＷＲの電圧を供給開始して、アダプター３００および交換レンズ２００の初期化を行う処理である。
まず、カメラ制御部１１０は、第１カメラ通信部１１２によりパワー系電源ＰＷＲ要求信号が受信された場合、スイッチ１２５を導通状態に制御してパワー系電源ＰＷＲの電圧をバッテリー１９０からアダプター３００に供給（給電）させる（ステップＳ１１３０）。そして、アダプター３００にパワー系電源ＰＷＲの電圧が供給されるのに応じて、アダプター電源部３２０においてアダプター制御系電源Ｖａの供給電圧が生成される。これにより、アダプター制御部３１０内の第１アダプター通信部３１２を除いた各部に、アダプター制御系電源Ｖａの電圧が供給開始される（ステップＳ２１３１）。
【０２５１】
次に、第１カメラ通信部１１２は、初期化要求として初期化実行コマンドを第１アダプター通信部３１２に送信する（ステップＳ１１４０）。
アダプター制御部３１０は、第１アダプター通信部３１２により初期化実行コマンドが受信された場合、装着判定処理（ステップＳ１４０）およびレンズ初期化処理（ステップＳ１５０）を実行する。
【０２５２】
装着判定処理（ステップＳ１４０）は、アダプター３００に対しての交換レンズの装着判定処理である。
アダプター制御部３１０は、レンズ制御系電源Ｖｃの電圧をアダプター電源部３２０に生成させて交換レンズ２００に供給（給電）させる。例えば、アダプター制御部３１０は、アダプター電源部３２０のレンズ制御系電源Ｖｃスイッチ３２８を導通状態に制御して、制御系電源Ｖｃｃ１の電圧をレンズ制御系電源Ｖｃの電圧として交換レンズ２００に供給（給電）させる。次に、第１アダプター通信部３１２は、第１レンズ通信部２１２との間の通信により、レンズ装着判定処理を実行し、交換レンズが装着されているか否かを判定する。交換レンズ２００が装着されている場合、第１レンズ通信部２１２は、第１アダプター通信部３１２に、レンズ駆動系電源Ｖｐ要求信号を送信する（ステップＳ２１４０、ステップＳ３１４０）。そして、アダプター制御部３１０は、レンズ初期化処理（ステップＳ１５０）に処理を進める。
【０２５３】
レンズ初期化処理（ステップＳ１５０）は、アダプター３００および交換レンズ２００の初期化処理である。
アダプター制御部３１０は、第１アダプター通信部３１２によりレンズ駆動系電源Ｖｐ要求信号が受信された場合、レンズ駆動系電源Ｖｐの電圧をアダプター電源部３２０に生成させて交換レンズ２００に供給（給電）させる。次に、第１アダプター通信部３１２は、第１レンズ通信部２１２との間の通信により、レンズ初期化処理を実行する（ステップＳ２１５０、ステップＳ３１５０）。ここで、アダプター３００側からレンズ駆動系電源Ｖｐを交換レンズ２００側に供給しないのは、次の理由による。交換レンズによっては電源供給を必要としないレンズ（例えばマニュアルフォーカスレンズ）も存在する。そのような交換レンズが装着されているときにレンズ駆動系電源Ｖｐを生成し、電源供給動作を行うことは、不必要な作業をアダプター３００側にさせることになる。そこで本実施形態では、不必要な作業をアダプター３００に行わせないようにするために、電源の給電手順を決めている。
【０２５４】
次に、アダプター３００および交換レンズ２００の初期化が完了すると、第１カメラ通信部１１２は、初期化確認コマンドに対する応答結果として、初期化が完了したことを示す情報として「初期化完了」を、第１アダプター通信部３１２から受信する。これにより、カメラ制御部１１０は初期化完了情報を取得する（ステップＳ１１５０）。
【０２５５】
初期化が完了すると、カメラ制御部１１０は、ステップＳ１１２０のカメラボディ１００とアダプター３００との間の情報交換において取得した情報に基づいて、アダプター３００が装着されているか否かを判定する（ステップＳ１１５５）。ステップＳ１１５５において、アダプター３００が装着されていないと判定された場合、カメラ制御部１１０は、カメラボディ１００に対してアダプター３００を介さず直接に規格適合レンズ（例えば、交換レンズ２００Ａ）が装着されていると判定する。一方、ステップＳ１１５５において、アダプター３００が装着されていると判定された場合、カメラ制御部１１０は、レンズ情報取得（ステップＳ１６０）の処理に進める。
【０２５６】
レンズ情報取得（ステップＳ１６０）の処理は、アダプター３００に対しての交換レンズの装着判定処理、および、アダプター３００に装着されている交換レンズ２００の情報を取得する処理である。交換レンズ２００の情報とは、例えば、レンズの種別、ホットライン通信機能の有無、防振機能の有無、電磁絞りの有無、開放Ｆ値、焦点距離情報等のレンズ情報である。
第１カメラ通信部１１２は、第１アダプター通信部３１２にレンズ情報取得コマンドを送信して、第１アダプター通信部３１２からのレンズ情報の応答を受信して、交換レンズ２００の情報を取得する（ステップＳ１１６０、ステップＳ２１６０）。
【０２５７】
次に、カメラ制御部１１０は、レンズ情報取得（ステップＳ１６０）において取得されたレンズ情報に基づいて、交換レンズ２００の種類（種別）を判定する（ステップＳ１１６５）。例えば、カメラ制御部１１０は、装着判定処理（ステップＳ１４０）の判定結果により、アダプター３００にＣＰＵレンズが装着されているか否かを判定する。
ステップＳ１１６５においてＣＰＵレンズが装着されていないと判定された場合、非ＣＰＵレンズ装着状態と判定して起動し、処理を終了する。
一方、ステップＳ１１６５において、ＣＰＵレンズが装着されていると判定された場合、レンズ機能開始（ステップＳ１７０）に処理を進める。
また、カメラ制御部１１０は、取得したレンズ情報に基づいて、例えば、ＡＦ制御（処理）の機能を有するレンズ、ＶＲレンズ２２３の制御（処理）の機能（防振制御機能）を有するレンズ、または、電磁絞り式レンズ、であるか否か等を判定する。
【０２５８】
レンズ機能開始（ステップＳ１７０）の処理は、レンズ情報取得（ステップＳ１６０）の処理において取得したレンズ情報に基づいて、交換レンズの種別（機能）に応じて、それぞれの機能を開始する処理をする。第１カメラ通信部１１２は、第１アダプター通信部３１２を介して第１レンズ通信部２１２と通信を行い、例えば、レンズ制御用テーブルの取得、ホットライン通信許可設定、防振制御開始設定等の処理を行う（ステップＳ１１７０、ステップＳ２１７０、ステップＳ３１７０）。
そして、カメラ制御部１１０は、ＣＰＵレンズ装着状態と判定して起動し、処理を終了する。
【０２５９】
このように、アダプター制御部３１０内の第１アダプター通信部３１２は、カメラボディ１００から制御系電源Ｖｃｃ１の電圧が供給されることに応じて起動し、カメラボディ１００にパワー系電源ＰＷＲの電圧の供給開始を要求する。また、アダプター制御部３１０は、カメラボディ１００からパワー系電源ＰＷＲの電圧が供給されることに応じて、アダプター電源部３２０によりパワー系電源ＰＷＲの電圧から生成されたアダプター制御系電源Ｖａの電圧が供給される。その後、アダプター制御部３１０は、カメラボディ１００から初期化実行コマンドが送信されることに応じて、パワー系電源ＰＷＲの電圧から交換レンズ２００に供給するレンズ制御系電源Ｖｃの電圧をアダプター電源部３２０に生成させる。さらに、アダプター制御部３１０は、レンズ制御系電源Ｖｃの電圧を交換レンズ２００に対して供給させることにより、交換レンズ２００からレンズ駆動系電源Ｖｐの電圧の供給が要求された場合（レンズ駆動系電源Ｖｐ要求信号を受信した場合）、パワー系電源ＰＷＲからレンズ駆動系電源Ｖｐの電圧をアダプター電源部３２０に生成させて交換レンズ２００に対して供給させる。
【０２６０】
これにより、アダプター制御部３１０は、カメラボディ１００から供給される電圧に基づいて、交換レンズ２００に供給する電圧を生成させるとともに、それぞれの電源系統の電圧の供給開始タイミングを適切に制御できる。
また、アダプター制御部３１０は、レンズ起動処理において交換レンズ２００の仕様を判別し、判別した仕様に基づいて交換レンズ２００に対して電圧を供給できる。また、アダプター制御部３１０は、判別した交換レンズの仕様に基づいて、電圧の供給が不要な交換レンズの場合、交換レンズへの電圧の供給を停止できる。
【０２６１】
以上のように、本実施形態によれば、レンズ交換式のカメラシステムにおいて、様々な種類の交換レンズに適切に給電できる。よって、本実施形態によれば、レンズ交換式のカメラシステムにおいて、様々な種類の光学系を適切に機能させることができる。
【０２６２】
なお、上記実施形態において、制御系電源Ｖｃｃ１の電圧、およびアダプター制御系電源Ｖａの電圧のそれぞれが、アダプター制御部３１０内における互いに異なる回路（例えば、第１アダプター通信部３１２／第１アダプター通信部３１２を除いた各部）に供給される例を示したが、これに限られるものではない。例えば、アダプター制御部３１０に対して、制御系電源Ｖｃｃ１、またはアダプター制御系電源Ｖａからの給電が、処理のタイミングに応じて切替わるようにしてもよい。一例としては、「レンズ起動処理」の際に、アダプター制御部３１０には、まずカメラボディ１００からの制御系電源Ｖｃｃ１が給電される。次に、アダプター３００（アダプター電源部３２０）が、カメラボディ１００からのパワー系電源ＰＷＲの給電を受けた後に、パワー系電源ＰＷＲの電圧からアダプター制御系電源Ｖａの電圧がアダプター電源部３２０において生成されたことに応じて、アダプター制御部３１０に対して給電される電源系統が、制御系電源Ｖｃｃ１からアダプター制御系電源Ｖａに切替わる構成としてもよい。
この場合、アダプター電源部３２０は、例えば、アダプター制御部３１０に対して給電される電源系統を切替える（制御系電源Ｖｃｃ１またはアダプター制御系電源Ｖａに切替える）電源系統切換部を備え、この電源系統切換部をアダプター制御部３１０の制御により切替える構成としてもよいし、この電源系統切換部がアダプター制御系電源Ｖａの供給電圧に応じて切替わる構成としてもよい。なお、アダプター制御部３１０に対して給電される電源系統が制御系電源Ｖｃｃ１またはアダプター制御系電源Ｖａに切替わる際に、アダプター制御部３１０に対する給電の瞬断が発生しないように、例えば、アダプター制御部３１０への給電系統の電源線にコンデンサー（電源系統が切替わる際の電圧低下を防ぐために必要な所定の容量のコンデンサー）を備えた構成としてもよい。
【０２６３】
＜第８実施形態＞
以下、図面を参照して、本発明の第８実施形態について説明する。
図１、図２に示す第１実施形態の構成は、第８実施形態においても同様であり、その説明を省略する。
また、図２９は、第８実施形態によるカメラシステム１Ｈの構成の一例を示す概略ブロック図である。図２９において、第１実施形態の図３または第７実施形態の図２３の各部に対応する部分には同一の符号を付け、重複する内容については、その説明を省略する。
【０２６４】
（アダプターの構成）
第１実施形態におけるアダプター３００の構成についての説明は、第８実施形態においても同様であり、重複する内容については、その説明を省略する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ１２）と、接続部３０２ｓ（端子Ｔｃ１〜Ｔｃ９）と、絞り連動レバー３５０と、を備えている。
【０２６５】
接続部３０１ｓは、カメラボディ１００側の既述の１２個の接続端子Ｔａ１〜Ｔａ１２と互いに接続される、１２個の接続端子Ｔｂ１〜Ｔｂ１２を備えている。アダプター３００とカメラボディ１００とが接続部３０１ｓおよび接続部１０１ｓを介して接続されることにより、接続部３０１ｓの端子Ｔｂ１〜Ｔｂ１２のそれぞれの端子は、接続部１０１ｓの端子Ｔａ１〜Ｔａ１２のそれぞれ対応する接続端子と電気的に接続する。
【０２６６】
また、接続部３０２ｓは、交換レンズ２００側の既述の９個の接続端子（端子Ｔｄ１〜Ｔｄ９）と互いに接続される、９個の接続端子Ｔｃ１〜Ｔｃ９を備えている。アダプター３００と交換レンズ２００とが、接続部３０２ｓおよび接続部２０１ｓを介して接続されることにより、接続部３０２ｓの端子Ｔｃ１〜Ｔｃ９のそれぞれの端子は、接続部２０１ｓの端子Ｔｄ１〜Ｔｄ９のそれぞれ対応する接続端子と接続する。
【０２６７】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給され、また、カメラボディ１００から端子Ｔａ３および端子Ｔｂ３を介して制御系電源Ｖｃｃ１の電圧が供給される。
【０２６８】
このように、アダプター３００のアダプター電源部３２０には、カメラボディ１００から制御系電源Ｖｃｃ１（第１電源系統）の電圧と、制御系電源Ｖｃｃ１と比べて供給可能な電力が大きいパワー系電源ＰＷＲ（第２電源系統）の電圧との両方の電源系統の電圧が供給される。アダプター電源部３２０に供給された制御系電源Ｖｃｃ１の電圧またはパワー系電源ＰＷＲの電圧から、交換レンズ２００に対して給電するレンズ系電源系統として、レンズ駆動系電源Ｖｐ（第３電源系統）とレンズ制御系電源Ｖｃ（第４電源系統）とのそれぞれの供給電圧が生成される。
【０２６９】
ここで、アダプター電源部３２０は、カメラボディ１００から供給された制御系電源Ｖｃｃ１およびパワー系電源ＰＷＲの両方の電源系統の電圧から、交換レンズ２００に対して給電するレンズ駆動系電源Ｖｐおよびレンズ制御系電源Ｖｃの少なくとも何れかの電源系統の供給電圧を生成する。
なお、アダプター電源部３２０において、供給された両方の電源系統の電圧から、交換レンズ２００に供給する供給電圧を生成するとは、例えば、両方の電源系統からそれぞれ給電される電力量を合わせて（加算して）生成することをいう。すなわち、アダプター電源部３２０は、カメラボディ１００から供給された制御系電源Ｖｃｃ１およびパワー系電源ＰＷＲの両方の電源系統からそれぞれ給電される電力（電力量）を合わせて、交換レンズ２００に対して給電するレンズ駆動系電源Ｖｐおよびレンズ制御系電源Ｖｃの少なくとも何れかの電源系統の供給電圧を生成する。例えば、アダプター電源部３２０は、制御系電源Ｖｃｃ１およびパワー系電源ＰＷＲの両方の電源系統の電圧から、レンズ制御系電源Ｖｃの供給電圧を生成する。一方、アダプター電源部３２０は、パワー系電源ＰＷＲの両方の電源系統の電圧から、レンズ駆動系電源Ｖｐの供給電圧を生成する。
なお、レンズ駆動系電源Ｖｐから供給される電圧は、レンズ制御系電源Ｖｃから供給される電圧よりも大きい。また、レンズ駆動系電源Ｖｐから供給される負荷における消費電力が、レンズ制御系電源Ｖｃから供給される負荷における消費電力に比べて多いとしてもよい。
【０２７０】
また、アダプター電源部３２０は、カメラボディ１００から供給された制御系電源Ｖｃｃ１の電圧に基づいて、アダプター制御部３１０に給電するアダプター制御系電源Ｖａの電圧を生成する。例えば、アダプター電源部３２０は、制御系電源Ｖｃｃ１の電圧をアダプター制御系電源Ｖａの電圧として、アダプター制御部３１０に給電する。これにより、アダプター制御部３１０には、制御系電源Ｖｃｃ１から給電される。
さらに、アダプター電源部３２０に供給されたパワー系電源ＰＷＲからは、上述したレンズ駆動系電源Ｖｐとレンズ制御系電源Ｖｃとは別に、絞り連動レバー駆動部３３０に電圧を供給する電源Ｖｍ（第５電源系統）も生成される（分けられる）。以下、この電源Ｖｍを絞り駆動用電源Ｖｍと称する。
例えば、アダプター電源部３２０は、パワー系電源ＰＷＲの電圧を予め定められた絞り駆動用電源Ｖｍの電圧に変換する電圧変換部を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇降圧した電圧に変換する。そして、アダプター電源部３２０は、生成した絞り駆動用電源Ｖｍの電圧を絞り連動レバー駆動部３３０に供給する。
なお、アダプター電源部３２０の内部構成については、図３０を用いて後述する。
【０２７１】
なお、アダプター電源部３２０により変換された電源系それぞれの接続は、以下のようになっている。
端子Ｔｃ２は、アダプター電源部３２０のレンズ駆動系電源Ｖｐ出力端子（レンズ駆動系電源Ｖｐの電圧を出力する端子）に接続されている。また、端子Ｔｃ３は、アダプター電源部３２０のレンズ制御系電源Ｖｃ出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
また、アダプター電源部３２０は、レンズ駆動系電源Ｖｐの電圧を端子Ｔｃ２および端子Ｔｄ２を介して交換レンズ２００の光学系駆動部２３０に供給する。
また、アダプター電源部３２０は、レンズ制御系電源Ｖｃの電圧を端子Ｔｃ３および端子Ｔｄ３を介して交換レンズ２００のレンズ制御部２１０に供給する。
【０２７２】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００の端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【０２７３】
また、端子Ｔｂ１２は、カメラボディ１００の端子Ｔａ１２に接続されている。これにより、制御系グランドＳＧＮＤは、端子Ｔａ１２を介して端子Ｔｂ１２に接続されている。また、端子Ｔｂ１２と端子Ｔｃ９とは、アダプター３００内で制御系グランドＳＧＮＤとして接続されている。さらに、端子Ｔｃ９は、交換レンズ２００の端子Ｔｄ９に接続されている。これにより、制御系グランドＳＧＮＤは、レンズ制御系電源Ｖｃに対応するグランドとして、端子Ｔｃ９を介して端子Ｔｄ９に接続されている。また、制御系グランドＳＧＮＤは、アダプター制御部３１０のグランドとしても接続されている。
【０２７４】
このように、パワー系グランドＰＧＮＤと制御系グランドＳＧＮＤとは、アダプター３００において互いに接続されておらず、２系統のグランドに分離されている。
つまり、交換レンズ２００およびアダプター３００において、パワー系グランドＰＧＮＤと制御系グランドＳＧＮＤとが互いに接続されておらず、２系統のグランドに分離されている。ただし、２系統に分離されているパワー系グランドＰＧＮＤと制御系グランドＳＧＮＤとは、カメラボディ１００において接続され、バッテリー１９０の負極と同電位のグランドになっている。したがって、カメラ制御部１１０、レンズ制御部２１０、およびアダプター制御部３１０のグランドは、制御系グランドＳＧＮＤに接続され同電位になっている。
【０２７５】
なお、交換レンズ２００において、制御系グランドＳＧＮＤは、レンズ側マウント２０１の導電部（交換レンズ筐体）に接続されていてもよい。また、交換レンズ２００において制御系グランドＳＧＮＤが接続されている端子Ｔｄ９は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ９は、第２マウント３０２の導電部に含まれている構成としてもよい。
さらに、同様に、端子Ｔｂ１２は第１マウント３０１の導電部に接続されていてもよく、また、端子Ｔｂ１２は第１マウント３０１の導電部に含まれている構成としてもよい。
同様に、端子Ｔａ１２も、カメラボディ側マウント１０１の導電部に接続されていてもよく、また、端子Ｔａ１２はカメラボディ側マウント１０１の導電部に含まれている構成としてもよい。
【０２７６】
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、前記検出結果をアダプター制御部３１０に出力する。
【０２７７】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【０２７８】
（アダプター電源部の構成の詳細（第８実施形態によるアダプター電源部の構成の第１の例））
次に、図３０を参照して、第８実施形態によるアダプター電源部３２０の構成の一例について説明する。
図３０は、第８実施形態におけるアダプター電源部３２０の構成の第１の例を示す概略ブロック図である。この図に示すアダプター電源部３２０は、前述したように、制御系電源Ｖｃｃ１およびパワー系電源ＰＷＲの両方の電源系統の電圧から、レンズ制御系電源Ｖｃの供給電圧を生成する構成である。なお、この図は、各電源系統の流れ（接続）を示す図であり、電源系統以外の制御信号やグランド（ＧＮＤ）などの図示を省略している。
【０２７９】
アダプター電源部３２０は、ＤＣ−ＤＣコンバータ部３２１と、第１レギュレータ部３２２と、第２レギュレータ部３２３と、電力加算変換部３２５と、を備えている。
アダプター電源部３２０には、カメラボディ１００から制御系電源Ｖｃｃ１の電圧およびパワー系電源ＰＷＲの電圧がそれぞれ給電される。アダプター電源部３２０は、カメラボディ１００から給電された制御系電源Ｖｃｃ１の電圧を、アダプター制御系電源Ｖａ（第６電源系統）の電圧としてアダプター制御部３１０に給電する。
【０２８０】
ＤＣ−ＤＣコンバータ部３２１は、カメラボディ１００から給電されたパワー系電源ＰＷＲの電圧を、絞り駆動用電源Ｖｍの電圧に変換して絞り連動レバー駆動部３３０に給電する。このＤＣ−ＤＣコンバータ部３２１は、例えば予め定められた電圧（予め定められた絞り駆動用電源Ｖｍの電圧）まで昇圧または降圧した電圧に変換する。
【０２８１】
第２レギュレータ部３２３は、パワー系電源ＰＷＲの電圧から、レンズ駆動系電源Ｖｐの電圧を生成する。例えば、この第２レギュレータ部３２３は、パワー系電源ＰＷＲの電圧を、予め定められた電圧（予め定められたレンズ駆動系電源Ｖｐの電圧）まで降圧した電圧に変換する。また、例えば、この第２レギュレータ部は、第２リニアレギュレータを備えている構成としてもよい。なお、第２レギュレータ部は、第１レギュレータ部３２２と比べて供給可能な電力が大きくなる（給電量が多い）ように構成されている。
【０２８２】
電力加算変換部３２５は、２系統の電源系統それぞれから供給（入力）された電圧に基づいて、それぞれ給電された電力（電力量）を加算し、加算した電力の電圧を所定の電圧に変換した後に出力する。図３０に示す電力加算変換部３２５は、制御系電源Ｖｃｃ１とパワー系電源ＰＷＲとの２系統の電源系統から供給された電圧に基づいて、それぞれから給電される電力を加算し、且つ所定の電圧に変換して第１レギュレータ部３２２に供給（出力）する。第１レギュレータ部３２２は、電力加算変換部３２５から供給された電圧に基づいてレンズ制御系電源Ｖｃの電圧を生成する。この第１レギュレータ部３２２は、電力加算変換部３２５から供給された電圧を予め定められた電圧（予め定められたレンズ制御系電源Ｖｃの電圧）まで降圧した電圧に変換する。また、例えば、この第１レギュレータ部は、第１リニアレギュレータを備えている構成としてもよい。
なお、第１レギュレータ部３２２に供給するために電力加算変換部３２５が生成する所定の電圧とは、レンズ制御系電源Ｖｃの電圧を生成するために必要な、レンズ制御系電源Ｖｃの電圧より高い電圧に予め設定された電圧である。
なお、電力加算変換部３２５の詳しい構成については、後述する。
【０２８３】
これにより、アダプター電源部３２０は、カメラボディ１００から供給された制御系電源Ｖｃｃ１の電力とパワー系電源ＰＷＲの電力とを加算して、交換レンズ２００に供給するレンズ制御系電源Ｖｃの電力（電圧）を生成できる。
例えば、カメラボディ１００からの制御系電源Ｖｃｃ１の給電は、アダプター制御部３１０とレンズ制御部２１０との両方を通常動作させるほどの給電量を有していない。そのため、アダプター電源部３２０は、レンズ制御部２１０に給電するレンズ制御系電源Ｖｃの電圧を、パワー系電源ＰＷＲの電圧（制御系電源Ｖｃｃ１よりも供給可能な給電量が多いパワー系電源ＰＷＲの電圧）から生成するとともに、さらに、パワー系電源ＰＷＲからの給電に加えて制御系電源Ｖｃｃ１からの給電による電力も合わせてレンズ制御系電源Ｖｃの電圧することが可能である。なお、アダプター電源部３２０は、レンズ制御系電源Ｖｃの電圧を生成する場合、制御系電源Ｖｃｃ１の電力とパワー系電源ＰＷＲの電力とを加算して生成することも、制御系電源Ｖｃｃ１の電力およびパワー系電源ＰＷＲの電力のうちの一方の電力により生成することも可能である。
【０２８４】
これにより、アダプター３００は、交換レンズ２００のレンズ制御部２１０に供給するための電圧を２系統の電源系統から生成して供給するため、パワー系電源ＰＷＲからのみの給電により生成して供給する場合に比べて安定して供給できる。例えば、パワー系電源ＰＷＲからの給電量が一時的に不足する場合が生じても、アダプター３００は、制御系電源Ｖｃｃ１のからの給電により補うことが可能である。
また、パワー系電源ＰＷＲから供給される電圧が予め定められた所定の電圧より低下した場合（または、遮断された場合）に、アダプター３００は、制御系電源Ｖｃｃ１のみからの給電によりレンズ制御系電源Ｖｃの電圧を生成し、交換レンズ２００に給電することも可能である。これにより、アダプター３００は、制御系電源Ｖｃｃ１からの給電量のみで動作可能な交換レンズ２００内の比較的小さい負荷に対して、制御系電源Ｖｃｃ１のみからの給電により生成したレンズ制御系電源Ｖｃの電圧を供給できる。例えば、アダプター３００は、パワー系電源ＰＷＲからの給電が意図せずに遮断された場合に、制御系電源Ｖｃｃ１のからの給電により生成したレンズ制御系電源Ｖｃの電圧を交換レンズ２００に供給することによって、交換レンズ２００が備えているＬＥＤ（Light Emitting Diode）を点灯させてユーザに警告を報知する制御をしてもよい。また、例えば、カメラボディ１００の動作状態がスリープモード（撮影処理行うことが不可能な動作モード、低消費電力モード）に遷移した場合に、パワー系電源ＰＷＲからの給電が停止されても、制御系電源Ｖｃｃ１からの給電が継続されることにより、アダプター制御部３１０をスリープモードに制御するとともに、レンズ制御系電源Ｖｃ給電を継続することにより、レンズ制御部２１０も完全に停止させるのではなくスリープモードに制御できる。これにより、アダプター３００および交換レンズ２００は、スリープモードにおいて低消費電力化が可能であるとともに、完全に処理を停止している場合に比較して、短い時間で復帰（起動）できる。なお、スリープモードの処理については、詳しくは後述する。
【０２８５】
なお、カメラボディ１００内のカメラ電源部１２０は、端子Ｔａ３を介して接続されている接続先に対して、制御系電源Ｖｃｃ１を（接続先からの「供給要求」がある限り）常時供給するように構成されている。このため、例えカメラボディ１００側の電源スイッチがＯＦＦされたとしても、端子Ｔａ３に対して端子Ｔｂ３を介して接続されているアダプター制御部３１０を常時起動させておくことができるとともに、レンズ制御系電源Ｖｃの電圧をレンズ制御部２１０に供給させておくこともできる。これにより、アダプター制御部３１０を常時起動させておくことや、レンズ制御部２１０を例えばスリープモードで継続動作させることも可能である。よって、アダプター３００側の設定状態（例えば、絞り連動レバー３５０の初期化処理が完了済みか否かなど）や交換レンズ２００側の設定状態を記憶しておくことが出来るので、カメラボディ１００側の電源スイッチをＯＮしたときにアダプター３００内および交換レンズ２００内で無駄な初期化処理を行わずに済む、という利点がある。
【０２８６】
このように、アダプター３００は、カメラボディ１００から供給された制御系電源Ｖｃｃ１とパワー系電源ＰＷＲとの両方の電圧（電力）基づいて、アダプター３００内で必要な電源系統の電圧（電力）および交換レンズ２００において必要な電源系統の電圧（電力）の両方をそれぞれ生成して給電できる。よって、カメラボディ１００と交換レンズ２００とをアダプター３００を介して接続することにより、カメラボディ１００により交換レンズ２００を駆動して機能できる。
【０２８７】
また、アダプター３００は、レンズ制御系電源Ｖｃの電圧が供給される負荷の消費電力に対比して消費電力が多い負荷にレンズ駆動系電源Ｖｐの電圧を供給する。すなわち、アダプター３００は、レンズ制御系電源Ｖｃをレンズ制御部２１０に電圧を供給する電源系統として生成し、レンズ制御系電源Ｖｃに対比して供給可能な給電量が多いレンズ駆動系電源Ｖｐを光学系駆動部２３０に電圧を供給する電源系統として生成する。これにより、アダプター３００は、レンズ制御部２１０および光学系駆動部２３０に適切に電圧を供給できる。よって、アダプター３００は、交換レンズ２００を駆動するための電圧を適切に供給できる。
【０２８８】
また、アダプター３００は、ＤＣ−ＤＣコンバータ部３２１により、パワー系電源ＰＷＲの電圧から予め定められた電圧まで昇降圧した電圧に変換して絞り駆動用電源Ｖｍの電圧を生成するため、安定化させた電圧を絞り連動レバー駆動部３３０に供給できる。また、アダプター３００は、電力加算変換部３２５から供給された電圧を、第１レギュレータ部３２２により予め定められた電圧まで降圧して電圧を安定化させたレンズ制御系電源Ｖｃを生成するため、駆動系の電圧ノイズの影響を低減した電圧をレンズ制御部２１０に供給できる。また、アダプター３００は、第２レギュレータ部３２３により、パワー系電源ＰＷＲの電圧から予め定められた電圧まで降圧した電圧に変換してレンズ駆動系電源Ｖｐの電圧を生成するため、安定化させた電圧を光学系駆動部２３０に供給できる。
【０２８９】
続いて、図３０を用いて説明したアダプター電源部３２０が備えている第８実施形態の電力加算変換部３２５の構成の一例について説明する。
電力加算変換部３２５は、２系統の電源系統それぞれから給電される入力端子ＩＮ１、ＩＮ２と、入力端子ＩＮ１、ＩＮ２それぞれに供給された電力に基づいて定電流源を構成する定電流回路３２５ａ、３２５ｂと、を備えている。また、定電流回路３２５ａの出力端子（後述するトランジスターＴｒ１のコレクタ端子）と定電流回路３２５ｂ（後述するトランジスターＴｒ２のコレクタ端子）との接続点Ｎ３に一端が接続され、他端が接地されている抵抗Ｒ５およびコンデンサＣ１と、上記接続点Ｎ３に入力端子が接続されているＤＣ−ＤＣコンバータ部３２５ｃと、を備えている。また、ＤＣ−ＤＣコンバータ部３２５ｃの出力端子（給電用の端子）は、電力加算変換部３２５の出力端子ＯＵＴに接続されている。
【０２９０】
定電流回路３２５ａは、オペアンプＯＰ１と、トランジスターＴｒ１と、抵抗Ｒ１、Ｒ２と、を備えている。トランジスターＴｒ１のエミッタ端子は、抵抗Ｒ１を介して入力端子ＩＮ１に接続され、コレクタ端子は接続点Ｎ３に接続されている。また、オペアンプＯＰ１の出力端子は、抵抗Ｒ２を介してトランジスターＴｒ１のベース端子に接続され、オペアンプＯＰ１の反転入力端子（−）は、トランジスターＴｒ１のエミッタ端子と抵抗Ｒ１との接続点Ｎ１に接続されている。このように構成されている定電流回路３２５ａは、オペアンプＯＰ１の非反転入力端子（＋）がアダプター制御部３１０(例えば、アダプター電源制御部３１１）の出力端子ＤＡ１（例えば、デジタル−アナログ変換出力端子）に信号線ＣＴＬ１を介して接続されており、アダプター制御部３１０の出力端子ＤＡ１の出力電圧が制御されることにより、接続点Ｎ３に供給される電流量（電流Ｉ１）が決められる。具体的には、出力端子ＤＡ１から信号線ＣＴＬ１を介してオペアンプＯＰ１の非反転入力端子（＋）に入力される電圧に基づいて決まる接続点Ｎ１の電圧と、入力端子ＩＮ１に供給される電圧と、抵抗Ｒ１の抵抗値とによって定電流回路３２５ａから接続点Ｎ３に供給される電流量（電流Ｉ１）が決められる。
【０２９１】
また、定電流回路３２５ｂは、定電流回路３２５ａと同様の構成であり、定電流回路３２５ｂが備えているオペアンプＯＰ２と、トランジスターＴｒ２と、抵抗Ｒ３、Ｒ４とのそれぞれが、定電流回路３２５ａが備えているオペアンプＯＰ１と、トランジスターＴｒ１と、抵抗Ｒ１、Ｒ２とのそれぞれに対応する。このように構成されている定電流回路３２５ｂは、オペアンプＯＰ２の非反転入力端子（＋）がアダプター制御部３１０(例えば、アダプター電源制御部３１１）の出力端子ＤＡ２（例えば、デジタル−アナログ変換出力端子）に信号線ＣＴＬ２を介して接続されており、アダプター制御部３１０の出力端子ＤＡ２から出力される電圧が制御されることにより、接続点Ｎ３に供給される電流量（電流Ｉ２）が決められる。
これにより、接続点Ｎ３には、定電流回路３２５ａから供給される電流（電流Ｉ１）と、定電流回路３２５ｂから供給される電流（電流Ｉ２）とを合わせた（加算した）電流（電流「Ｉ１+Ｉ２」）が供給される（流れる）。
【０２９２】
また、接続点Ｎ３は、信号線ＭＯＮ１を介して、アダプター制御部３１０(例えば、アダプター電源制御部３１１）の入力端子ＡＤ１（例えば、アナログ−デジタル変換入力端子）に接続されている。これにより、アダプター制御部３１０は、接続点Ｎ３の電圧を検出し、検出結果に基づいて出力端子ＤＡ１、ＤＡ２の出力電圧にフィードバック制御することにより、ＤＣ−ＤＣコンバータ部３２５ｃへの入力電圧（接続点Ｎ３の電圧）が所定の定電圧になるように制御する。
ＤＣ−ＤＣコンバータ部３２５ｃは、接続点Ｎ３に供給された電流、すなわち、定電流回路３２５ａから供給された電流（電流Ｉ１）と、定電流回路３２５ｂから供給される電流（電流Ｉ２）とを合わせた（加算した）電流（電流「Ｉ１+Ｉ２」）に基づいて、出力端子ＯＵＴに接続されている負荷に対応して定められている供給電圧を生成する（より詳しくは、接続点Ｎ３に供給された電流（電流「Ｉ１+Ｉ２」）のうち、例えば、抵抗Ｒ５に流れる電流、信号線ＭＯＮ１に流れる電流、ＤＣ−ＤＣコンバータ部３２５ｃで消費される電流などを除いた電流が、ＤＣ−ＤＣコンバータ部３２５ｃから給電される電流として使われる）。
【０２９３】
上述した構成により、電力加算変換部３２５は、２系統の電源系統それぞれから供給（入力）された電圧に基づいて、それぞれ給電された電力（電力量）を加算して（合わせて）、加算した電力の電圧を所定の電圧に変換した後に出力することができる。例えば、電力加算変換部３２５は、入力端子ＩＮ１に給電する制御系電源Ｖｃｃ１と入力端子ＩＮ２に給電するパワー系電源ＰＷＲとの２系統の電源系統それぞれから供給された電圧に基づいて、それぞれから給電される電力を加算し、且つ所定の電圧に変換して第１レギュレータ部３２２に供給（出力）する電圧を生成することができる。
【０２９４】
なお、電力加算変換部３２５の定電流回路３２５ａ、３２５ｂの構成は、図３１を用いて説明した構成に限られるものではない。例えば、定電流源となる定電流回路３２５ａ、３２５ｂは、トランジスターに代えてＦＥＴを用いてもよいし、カレントミラー回路を含んで構成してもよいし、その他、各種の定電流回路を用いてもよい。
また、電力加算変換部３２５の構成は、複数の電源系統から給電される電流を合わせて（加算して）、出力電圧を生成するものであればよく、図３１を用いて説明した構成に限られるものではない。例えば電力加算変換部３２５は、複数の電源系統の電源線を接続し、定電圧ダイオードを介して給電する構成としてもよい。
また、図３１を用いてアダプター制御部３１０（アダプター電源制御部３１１）が電力加算変換部３２５を制御する例を示したが、アダプター制御部３１０（アダプター電源制御部３１１）に代えて、アダプター電源部３２０内に電源電圧生成用として備えられている制御部（例えば、ＭＣＵ（Micro Control Unit）、電源電圧生成用の回路と一体化された制御ＩＣ（Integrated Circuit）など）が、電力加算変換部３２５を制御してもよい。
【０２９５】
＜交換レンズの他の形態＞
次に、交換レンズの他の形態について説明する。
アダプター３００を介してカメラボディ１００と接続して機能させることが可能なレンズは、図２９を用いて説明した交換レンズ２００に限られるものではない。交換レンズ２００の他に、様々な交換レンズを、アダプター３００を介してカメラボディ１００と接続して機能させることが可能である。
なお、図２９を用いて説明した交換レンズ２００は、通信可能なレンズ制御部２１０を備えており、レンズ制御部２１０が通信結果に基づいて光学系駆動部２３０を制御する交換レンズであり、この交換レンズ２００を、以下の記述においてＣＰＵ（Central Processing Unit）レンズとも称する。
【０２９６】
（非ＣＰＵレンズ）
第７実施形態における非ＣＰＵレンズについての説明は、第８実施形態においても同様であり、重複する内容については、その説明を省略する。
【０２９７】
（電磁絞り式ＣＰＵレンズ）
第７実施形態における電磁絞り式ＣＰＵレンズについての説明は、第８実施形態においても同様であり、重複する内容については、その説明を省略する。
【０２９８】
＜状態遷移の説明＞
次に、本実施形態による処理について説明する。
第１実施形態の図８における状態遷移の概要は、第８実施形態においても同様であり、重複する内容については、その説明を省略する。第８実施形態においては、「割り込み処理」のうち、電源遮断処理および低消費電力モード（スリープモード）への移行処理について、後述する。
【０２９９】
（レンズ起動処理）
次に、第１実施形態の図８を用いて説明した本実施形態による処理のうち、レンズ起動処理（第１実施形態の図８のステップＳ１００の処理）について説明する。第１実施形態の図８におけるレンズ起動処理（第１実施形態の図８のステップＳ１００の処理）は、第８実施形態においても同様であり、重複する内容については、その説明を省略する。
なお、第８実施形態におけるアダプター制御部３１０は、パワー系電源ＰＷＲ要求信号に応じてカメラボディ１００から供給されたパワー系電源ＰＷＲの電圧から、交換レンズ２００に電圧を供給するレンズ駆動系電源Ｖｐの電圧をアダプター電源部３２０に生成させるとともに、パワー系電源ＰＷＲの電圧と制御系電源Ｖｃｃ１の電圧とからレンズ制御系電源Ｖｃの電圧をアダプター電源部３２０に生成させる。
【０３００】
次に、第８実施形態の図２９におけるカメラシステム１Ｈのレンズ起動処理の詳細について説明する。
図３２は、第８実施形態によるレンズ起動処理の処理シーケンスの一例を示す図である。図３２において、第１実施形態の図９の各部に対応する部分には同一の符号を付け、重複する内容については、その説明を省略する。  なお、第８実施形態の図３２におけるアダプター制御部３１０は、パワー系電源ＰＷＲと制御系電源Ｖｃｃ１との両方の電圧から（それぞれから給電される電力を加算して）レンズ制御系電源Ｖｃの電圧をアダプター電源部３２０に生成させて交換レンズ２００に供給（給電）させる。
【０３０１】
（電源遮断処理および低消費電力処理）
次に、第１実施形態の図８を用いて説明した本実施形態による「割り込み処理」（第１実施形態の図８のステップＳ４００の処理）のうちの「電源遮断処理および低消費電力処理」について説明する。第１実施形態の図８における「電源遮断処理および低消費電力処理」については、第８実施形態においても、同様であり、重複する内容については、その説明を省略する。
【０３０２】
ただし、第８実施形態では、カメラボディ１００の動作モードがスリープモードに遷移される場合において、カメラボディ１００からパワー系電源ＰＷＲの電圧の供給が停止され、制御系電源Ｖｃｃ１の電圧の供給が継続される。例えば、カメラボディ１００の動作モードがスリープモードに遷移した場合、カメラボディ１００によって、制御系電源Ｖｃｃ１の電圧の供給が予め定められた期間継続される。これにより、アダプター制御部３１０には、制御系電源Ｖｃｃ１の電圧の供給が継続される。また、アダプター電源部３２０は、継続して供給されている制御系電源Ｖｃｃ１の電圧のみから（給電が停止されるパワー系電源ＰＷＲの電圧は用いずに継続して供給されている制御系電源Ｖｃｃ１の電圧のみを用いて）レンズ制御系電源Ｖｃの供給電圧を生成して、交換レンズ２００に継続して供給する。ここで、予め定められた期間とは、例えば、カメラボディ１００に対しての操作を検出することにより撮影処理を行うことが可能な動作モードに復帰するとして定められた期間、または、無操作状態が更に継続された場合にカメラボディ１００の電源遮断処理に移行するために定められた期間等である。
【０３０３】
図３３は、電源遮断処理およびスリープ処理の処理シーケンスの一例を示す図である。
この図を参照して、カメラシステム１Ｈの電源遮断処理およびスリープ処理について説明する。
電源遮断処理およびスリープ処理は、レンズ機能終了（ステップＳ４１０）、シャットダウン（ステップＳ４２０）、スリープモード移行（ステップＳ４３０）の順に処理が行われる。なお、この電源遮断処理およびスリープ処理において、カメラボディ１００がアダプター３００を介して交換レンズ２００と行う通信は、コマンドデータ通信である。
【０３０４】
電源遮断処理またはスリープ処理が開始されると、まず、レンズ機能終了（ステップＳ４１０）の処理が行われる。第１実施形態の図１１におけるレンズ機能終了（ステップＳ４１０）の処理は、第８実施形態においても同様であり、その説明を省略する。
【０３０５】
次に、シャットダウン（ステップＳ４２０）の処理が行われる。第１実施形態の図１１におけるシャットダウン（ステップＳ４２０）の処理は、第８実施形態においても同様であり、重複する内容については、その説明を省略する。
【０３０６】
ただし、第８実施形態におけるアダプター制御部３１０は、レンズ制御部２１０がスリープモードへ移行した後に（例えば、スリープモードへの遷移指示を第１レンズ通信部２１２に送信した後であってスリープモードへの遷移処理が完了するまでに必要な所定時間待った後に）、レンズ制御系電源Ｖｃの供給電圧を、パワー系電源ＰＷＲと制御系電源Ｖｃｃ１との両方の電圧から生成していた処理から、制御系電源Ｖｃｃ１の電圧のみから生成する処理に切替える。
【０３０７】
次に、第８実施形態におけるアダプター制御部３１０は、第１実施形態におけるアダプター制御部３１０と同様に、絞り連動レバー３５０を退避位置に移動させ（ステップＳ２２３０）、アダプター３００が備えている各部のシャットダウン処理を実行する（ステップＳ２２３５）。続いて、第１アダプター通信部３１２は、シャットダウン処理が完了した場合、第１カメラ通信部１１２から受信したシャットダウン完了確認コマンドに応じて、アダプター３００（アダプター３００および交換レンズ２００）におけるシャットダウン処理が完了したことを示す情報として「シャットダウン準備完了」を第１カメラ通信部１１２に応答する。また、第１アダプター通信部３１２は、スリープ処理要求の有無を第１カメラ通信部１１２に応答する（ステップＳ２２４０）。
【０３０８】
第１カメラ通信部１１２は、シャットダウン完了確認コマンドの応答結果として、第１アダプター通信部３１２から「シャットダウン準備完了」の応答を取得する（ステップＳ１２４０）。
カメラ制御部１１０は、第１アダプター通信部３１２によりシャットダウン準備完了の応答が取得された場合、スイッチ１２５を遮断状態に制御してパワー系電源ＰＷＲの電圧の供給を停止させる（ステップＳ１２５０）。
【０３０９】
次に、カメラ制御部１１０は、シャットダウン完了確認コマンドの応答結果において、スリープモード移行要求の有無を判定する（ステップＳ１２５５）。ステップＳ１２５５において、スリープモード移行要求が無いと判定された場合、カメラ制御部１１０は、カメラ電源部１２０を制御して制御系電源Ｖｃｃ１の電圧の供給を停止させる（ステップＳ１２７０）。これにより、アダプター制御部３１０への給電が停止されて、交換レンズ２００に対するレンズ制御系電源Ｖｃの電圧の供給も停止される。
【０３１０】
一方、ステップＳ１２５５において、スリープモード移行要求が有りと判定された場合、スリープモード移行（ステップＳ４３０）の処理か行われる。まず、第１カメラ通信部１１２は、スリープモードへの遷移指示を第１アダプター通信部３１２に送信する。これにより、アダプター制御部３１０は、スリープモードに遷移（移行）する。ここで、アダプター制御部３１０は、スリープモードにおいて、アダプター電源部３２０に生成させているレンズ制御系電源Ｖｃの電圧を給電状態のまま継続させる。また、例えば、第１アダプター通信部３１２は、スリープモードに遷移する処理の開始前に、信号ＲＤＹをＨ（ハイ）レベルに制御し、スリープモードに遷移する処理が完了した後、信号ＲＤＹをＬ（ロウ）レベルに制御する。第１カメラ通信部１１２は、信号ＲＤＹの信号レベルの立下りエッジを検出することにより、アダプター３００のスリープモードに遷移する処理が完了したことを検出して、制御系電源Ｖｃｃ１の電圧の供給を小給電状態に切替える（ステップＳ１２６０、ステップＳ２２６０）。
これにより、電源遮断状態またはスリープモードに遷移する。
【０３１１】
このように、カメラボディ１００がスリープモードに遷移した場合、カメラ制御部１１０は、アダプター３００へのパワー系電源ＰＷＲの電圧の供給を停止させ、制御系電源Ｖｃｃ１の電圧の供給を継続させる。すなわち、アダプター３００は、スリープモードに遷移された場合、カメラボディ１００からパワー系電源ＰＷＲの電圧の供給が停止され、制御系電源Ｖｃｃ１の電圧の供給が継続される。
これにより、スリープモードにおいて低消費電力化が可能である。また、制御系電源Ｖｃｃ１の電圧の供給を継続してアダプター制御部３１０の処理を完全に停止させていない（アダプター制御部３１０を、復帰処理に必要な最小の電力で動作させている）。そのため、アダプター制御部３１０は、スリープモードから定常状態への復帰（起動）の際に、完全に処理を停止している場合に比較して、短い時間で復帰（起動）できる。
さらに、レンズ制御系電源Ｖｃの電圧の供給を継続してレンズ制御部２１０の処理を完全に停止させていない（レンズ制御部２１０を、復帰処理に必要な最小の電力で動作させている）。そのため、レンズ制御部２１０は、スリープモードから定常状態への復帰（起動）の際に、完全に処理を停止している場合に比較して、短い時間で復帰（起動）できる。すなわち、スリープモードにおいて、アダプター制御部３１０およびレンズ制御部２１０の両方の処理を完全に停止させていないため、スリープモードから定常状態への復帰（起動）の際に、アダプター制御部３１０およびレンズ制御部２１０の両方もしくは一方の処理を完全に停止している場合に比較して、短い時間で復帰（起動）できる。
【０３１２】
＜アダプター電源部の別の構成例＞
以上説明してきたように、図３０に示すアダプター電源部３２０の構成の第１の例は、アダプター電源部３２０が、カメラボディ１００から供給される制御系電源Ｖｃｃ１およびパワー系電源ＰＷＲの両方の電源系統の電圧から、レンズ制御系電源Ｖｃの供給電圧を生成する構成であったが、これに限られるものではない。例えば、アダプター電源部３２０は、制御系電源Ｖｃｃ１およびパワー系電源ＰＷＲの両方の電源系統の電圧から、絞り駆動用電源Ｖｍの電圧（第２の例）、レンズ駆動系電源Ｖｐの電圧（第３の例）、またはアダプター制御系電源Ｖａの電圧（第４の例）をそれぞれ生成する構成としてもよい。また、アダプター電源部３２０は、前述の第１の例と、後述する第２の例、第３の例、または第４の例と、を組み合わせた構成としてもよい。
以下に、アダプター電源部３２０の構成の第２の例、第３の例、および第４の例について、順に説明する。なお、以下に説明するアダプター電源部３２０の構成の第１の例とは異なる例において、第１実施形態の図１、２、第７実施形態の図２５、２６、第８実施形態の図２８、３０に示す構成は同様であるため、その説明を省略する。
【０３１３】
（第８実施形態によるアダプター電源部の構成の第２の例）
図３４は、第８実施形態によるアダプター電源部３２０の構成の第２の例を示す概略ブロック図である。図３４に示すアダプター電源部３２０は、制御系電源Ｖｃｃ１およびパワー系電源ＰＷＲの両方の電源系統の電圧から、絞り駆動用電源Ｖｍの電圧を生成する構成である。
なお、同図において図３０の各部に対応する部分には同一の符号を付け、その説明を省略する。
【０３１４】
この図３４に示す第２の例は、絞り駆動用電源Ｖｍの電圧をＤＣ−ＤＣコンバータ部３２１において生成するのに代えて、電力加算変換部３２５において生成する点が図３０に示す第１の例と異なる。
電力加算変換部３２５は、制御系電源Ｖｃｃ１とパワー系電源ＰＷＲとの２系統の電源系統から供給された電圧に基づいて、それぞれから給電される電力を加算し、且つ絞り駆動用電源Ｖｍの電圧に変換して、第１レギュレータ部３２２と絞り連動レバー駆動部３３０とのそれぞれに供給（出力）する。なお、絞り駆動用電源Ｖｍの電圧は、レンズ制御系電源Ｖｃの電圧より高い電圧である。
これにより、アダプター３００は、アダプター３００内の絞り連動レバー駆動部３３０に供給する絞り駆動用電源Ｖｍの電圧を、カメラボディ１００から給電される制御系電源Ｖｃｃ１とパワー系電源ＰＷＲとの２系統の電源系統から生成することができる。
【０３１５】
（第８実施形態によるアダプター電源部の構成の第３の例）
図３５は、第８実施形態によるアダプター電源部３２０の構成の第３の例を示す概略ブロック図である。図３５に示すアダプター電源部３２０は、制御系電源Ｖｃｃ１およびパワー系電源ＰＷＲの両方の電源系統の電圧から、レンズ駆動系電源Ｖｐの電圧を生成する構成である。
なお、同図において図３０の各部に対応する部分には同一の符号を付け、その説明を省略する。
【０３１６】
この図３５に示す第３の例は、カメラボディ１００から給電される２系統の電源系統から、レンズ制御系電源Ｖｃの電圧を生成するのに代えて、レンズ駆動系電源Ｖｐの電圧を生成する点が図３０に示す第１の例と異なる。
電力加算変換部３２５は、制御系電源Ｖｃｃ１とパワー系電源ＰＷＲとの２系統の電源系統から供給された電圧に基づいて、それぞれから給電される電力を加算し、且つ所定の電圧（レンズ駆動系電源Ｖｐの電圧よりも高い予め定められた電圧）に変換して、第２レギュレータ部３２３に供給（出力）する。第２レギュレータ部３２３は、電力加算変換部３２５から供給された電圧から、予め定められた電圧（予め定められたレンズ駆動系電源Ｖｐの電圧）まで降圧してレンズ駆動系電源Ｖｐの電圧を生成する。
また、ＤＣ−ＤＣコンバータ部３２１は、カメラボディ１００から給電されたパワー系電源ＰＷＲの電圧を、絞り駆動用電源Ｖｍの電圧に変換して絞り連動レバー駆動部３３０と第１レギュレータ部３２２とのそれぞれに給電する。第１レギュレータ部３２２は、絞り駆動用電源Ｖｍの電圧から、予め定められた電圧（予め定められたレンズ制御系電源Ｖｃの電圧）まで降圧してレンズ制御系電源Ｖｃの電圧を生成する。
これにより、アダプター３００は、交換レンズ２００に供給するレンズ駆動系電源Ｖｐの電圧を、カメラボディ１００から給電される制御系電源Ｖｃｃ１とパワー系電源ＰＷＲとの２系統の電源系統から生成することができる。
【０３１７】
（第８実施形態によるアダプター電源部の構成の第４の例）
図３６は、第８実施形態によるアダプター電源部３２０の構成の第４の例を示す概略ブロック図である。図３６に示すアダプター電源部３２０は、制御系電源Ｖｃｃ１およびパワー系電源ＰＷＲの両方の電源系統の電圧から、アダプター制御系電源Ｖａの電圧を生成する構成である。
なお、同図において図３０の各部に対応する部分には同一の符号を付け、その説明を省略する。
【０３１８】
この図３６に示す第４の例は、カメラボディ１００から給電される２系統の電源系統から、レンズ制御系電源Ｖｃの電圧を生成するのに代えて、アダプター制御系電源Ｖａの電圧を生成する点が図３０に示す第１の例と異なる。
電力加算変換部３２５は、制御系電源Ｖｃｃ１とパワー系電源ＰＷＲとの２系統の電源系統から供給された電圧に基づいて、それぞれから給電される電力を加算し、且つ所定の電圧（アダプター制御部３１０に供給するための電圧）に変換したアダプター制御系電源Ｖａの電圧を生成する。そして、電力加算変換部３２５は、生成したアダプター制御系電源Ｖａの電圧をアダプター制御部３１０に供給する。なお、電力加算変換部３２５は、さらに、レギュレータ部（例えば、リニアレギュレータ）を介してアダプター制御系電源Ｖａの電圧を生成してアダプター制御部３１０に供給する構成としてもよい。
また、ＤＣ−ＤＣコンバータ部３２１は、カメラボディ１００から給電されたパワー系電源ＰＷＲの電圧を、絞り駆動用電源Ｖｍの電圧に変換して絞り連動レバー駆動部３３０と第１レギュレータ部３２２とのそれぞれに給電する。第１レギュレータ部３２２は、絞り駆動用電源Ｖｍの電圧から、予め定められた電圧（予め定められたレンズ制御系電源Ｖｃの電圧）まで降圧してレンズ制御系電源Ｖｃの電圧を生成する。
なお、第２レギュレータ部３２３は、第１の例と同様に、パワー系電源ＰＷＲの電圧から、予め定められた電圧（予め定められたレンズ駆動系電源Ｖｐの電圧）まで降圧してレンズ駆動系電源Ｖｐの電圧を生成する。
これにより、アダプター３００は、アダプター３００内のアダプター制御部３１０に供給するアダプター制御系電源Ｖａの電圧を、カメラボディ１００から給電される制御系電源Ｖｃｃ１とパワー系電源ＰＷＲとの２系統の電源系統から生成することができる。
【０３１９】
以上のように、本実施形態によれば、レンズ交換式のカメラシステムにおいて、様々な種類の交換レンズに適切に給電できる。よって、レンズ交換式のカメラシステムにおいて、様々な種類の光学系を適切に機能させることができる。
【０３２０】
＜第９実施形態＞
以下、図面を参照して、本発明の第９実施形態について説明する。
図１、図２に示す第１実施形態の構成は、第９実施形態においても同様であり、その説明を省略する。
また、図３７は、第９実施形態によるカメラシステム１Ｊの構成の一例を示す概略ブロック図である。図３７において、第１実施形態の図３または第７実施形態の図２３の各部に対応する部分には同一の符号を付け、重複する内容については、その説明を省略する。
【０３２１】
（アダプターの構成）
第１実施形態におけるアダプター３００の構成についての説明は、第９実施形態においても同様であり、重複する内容については、その説明を省略する。
アダプター３００は、アダプター制御部３１０と、アダプター電源部３２０と、絞り連動レバー駆動部３３０（絞り連動機構駆動部）と、接続部３０１ｓ（端子Ｔｂ１〜Ｔｂ１２）と、接続部３０２ｓ（端子Ｔｃ１〜Ｔｃ９）と、絞り連動レバー３５０と、を備えている。
【０３２２】
接続部３０１ｓは、カメラボディ１００側の既述の１２個の接続端子Ｔａ１〜Ｔａ１２と互いに接続される、１２個の接続端子Ｔｂ１〜Ｔｂ１２を備えている。アダプター３００とカメラボディ１００とが接続部３０１ｓおよび接続部１０１ｓを介して接続されることにより、接続部３０１ｓの端子Ｔｂ１〜Ｔｂ１２のそれぞれの端子は、接続部１０１ｓの端子Ｔａ１〜Ｔａ１２のそれぞれ対応する接続端子と電気的に接続する。
【０３２３】
また、接続部３０２ｓは、交換レンズ２００側の既述の９個の接続端子（端子Ｔｄ１〜Ｔｄ９）と互いに接続される、９個の接続端子Ｔｃ１〜Ｔｃ９を備えている。アダプター３００と交換レンズ２００とが、接続部３０２ｓおよび接続部２０１ｓを介して接続されることにより、接続部３０２ｓの端子Ｔｃ１〜Ｔｃ９のそれぞれの端子は、接続部２０１ｓの端子Ｔｄ１〜Ｔｄ９のそれぞれ対応する接続端子と接続する。
【０３２４】
端子Ｔｂ２は端子Ｔａ２に接続され、端子Ｔｂ３は端子Ｔａ３に接続される。これにより、カメラボディ１００から、端子Ｔａ２を介して端子Ｔｂ２にパワー系電源ＰＷＲの電圧が供給され、端子Ｔａ３を介して端子Ｔｂ３に制御系電源Ｖｃｃ１の電圧が供給される。これにより、アダプター電源部３２０には、カメラボディ１００から端子Ｔａ２および端子Ｔｂ２を介してパワー系電源ＰＷＲの電圧が供給され、また、カメラボディ１００から端子Ｔａ３および端子Ｔｂ３を介して制御系電源Ｖｃｃ１の電圧が供給される。
【０３２５】
このように、アダプター３００のアダプター電源部３２０には、カメラボディ１００から制御系電源Ｖｃｃ１の電圧（第１電源系統の電圧）と、制御系電源Ｖｃｃ１と比べて供給可能な電力が大きいパワー系電源ＰＷＲの電圧（第２電源系統の電圧）との両方の電圧がそれぞれ供給される。アダプター電源部３２０に供給されたパワー系電源ＰＷＲの電圧、または制御系電源Ｖｃｃ１の電圧から、交換レンズ２００に電圧を供給するレンズ系電源系統として、レンズ駆動系電源Ｖｐ（第３電源系統）とレンズ制御系電源Ｖｃ（第４電源系統）とがそれぞれ生成される。例えば、アダプター電源部３２０は、カメラボディ１００から供給されたパワー系電源ＰＷＲから、交換レンズ２００が備えている第１負荷部に給電するレンズ駆動系電源Ｖｐの供給電圧を生成する。また、アダプター電源部３２０は、カメラボディ１００から供給された制御系電源Ｖｃｃ１の電圧から、交換レンズ２００が備えている第２負荷部に給電するレンズ制御系電源Ｖｃの供給電圧を生成する。なお、第２負荷部は、第１負荷部の消費電力に比して消費電力が少ない。例えば、前述したように、レンズ駆動系電源Ｖｐから給電される第１負荷部には、交換レンズ２００が備えている光学系駆動部２３０（光学系２２０を駆動する光学系駆動部２３０）が含まれている。また、例えば、レンズ制御系電源Ｖｃから給電される第２負荷部には、交換レンズ２００が備えているレンズ制御部２１０（光学系駆動部２３０を制御するレンズ制御部２１０）が含まれている。すなわち、レンズ駆動系電源Ｖｐから供給される負荷（第１負荷部）の消費電力が、レンズ制御系電源Ｖｃから供給される負荷（第２負荷部）の消費電力に比べて多い。
なお、レンズ駆動系電源Ｖｐから供給される電圧は、レンズ制御系電源Ｖｃから供給される電圧よりも大きいとしてもよい。
【０３２６】
ここで、交換レンズ２００に供給するレンズ制御系電源Ｖｃの電圧の規格（交換レンズ２００におけるレンズ制御系電源Ｖｃの電圧の規格）とカメラボディ１００から供給される制御系電源Ｖｃｃ１の電圧の規格（カメラボディ１００における制御系電源Ｖｃｃ１の電圧の規格）とが互いに異なる場合を例として説明する。また、レンズ制御系電源Ｖｃの電圧（例えば、５Ｖ）が制御系電源Ｖｃｃ１の電圧（例えば、３Ｖ）に比べて大きい（高い）場合を例とする。
【０３２７】
アダプター電源部３２０は、制御系電源Ｖｃｃ１の電圧（例えば、３Ｖ）を昇圧してレンズ制御系電源Ｖｃの電圧（例えば、５Ｖ）を生成する昇圧部を備えている。この昇圧部は、例えば、予め定められた電圧に昇圧するＤＣ−ＤＣコンバータ含んで構成される電圧変換部と、この電圧変換部により昇圧された電圧から降圧してレンズ制御系電源Ｖｃの電圧を変換する（生成する）第１レギュレータ部と、を備えている構成としてもよい。
なお、上述の電圧変換部により変換された電圧は、レンズ制御系電源Ｖｃの電圧より高い電圧に設定されている。
例えば、上述の電圧変換部は、制御系電源Ｖｃｃ１の電圧を予め定められた電圧（予め定められた第１レギュレータ部に供給する電圧）まで昇圧した電圧（例えば、６Ｖ）に変換する。また、上述の第１レギュレータ部は、例えば、第１リニアレギュレータを含んで構成され、上述の電圧変換部により昇圧された電圧を予め定められた電圧（予め定められたレンズ制御系電源Ｖｃの電圧（例えば、５Ｖ））まで降圧した電圧に変換する。
【０３２８】
また、アダプター電源部３２０は、パワー系電源ＰＷＲの電圧に基づいてレンズ駆動系電源Ｖｐの電圧を変換する（生成する）第２レギュレータ部を備えている構成としてもよい。例えば、この第２レギュレータ部は、パワー系電源ＰＷＲの電圧を予め定められた電圧（予め定められたレンズ駆動系電源Ｖｐの電圧）まで降圧した電圧に変換する。また、例えば、この第２レギュレータ部は、第２リニアレギュレータを備えている構成としてもよい。なお、この場合、第２レギュレータ部は、第１レギュレータ部と比べて供給可能な電力が大きくなる（給電量が多い）ように構成されている。
また、アダプター電源部３２０は、カメラボディ１００から供給された制御系電源Ｖｃｃ１の電圧を、アダプター制御部３１０に供給する。すなわち、アダプター電源部３２０には、カメラボディ１００から制御系電源Ｖｃｃ１の電圧が供給される（給電される）。
【０３２９】
さらに、アダプター電源部３２０に供給されたパワー系電源ＰＷＲからは、上述したレンズ駆動系電源Ｖｐとは別に、絞り連動レバー駆動部３３０に電圧を供給する電源Ｖｍ（第５電源系統）も生成される（分けられる）。以下、この電源Ｖｍを絞り駆動用電源Ｖｍと称する。
例えば、アダプター電源部３２０は、パワー系電源ＰＷＲの電圧を予め定められた絞り駆動用電源Ｖｍの電圧に変換する電圧変換部を備えている。この電圧変換部は、例えば、ＤＣ−ＤＣコンバータを備えている。また、この電圧変換部は、例えば予め定められた電圧（予め定められた絞り駆動用電源Ｖｍの電圧）まで昇降圧した電圧に変換する。そして、アダプター電源部３２０は、生成した絞り駆動用電源Ｖｍの電圧を絞り連動レバー駆動部３３０に供給する。
なお、アダプター電源部３２０の内部構成については、図３８を用いて後述する。
【０３３０】
なお、レンズ制御系電源Ｖｃの電圧が制御系電源Ｖｃｃ１の電圧に比べて小さい（低い）場合、アダプター電源部３２０は、制御系電源Ｖｃｃ１の電圧を降圧してレンズ制御系電源Ｖｃの電圧を生成する降圧部を備えている構成としてもよい。
また、交換レンズ２００に供給するレンズ制御系電源Ｖｃの電圧の規格（交換レンズ２００におけるレンズ制御系電源Ｖｃの電圧の規格）とカメラボディ１００から供給される制御系電源Ｖｃｃ１の電圧の規格（カメラボディ１００における制御系電源Ｖｃｃ１の電圧の規格）とが同じ場合、アダプター電源部３２０は、制御系電源Ｖｃｃ１の供給電圧を、レンズ制御系電源Ｖｃの供給電圧として、そのまま（昇圧または降圧をせずに）給電する構成としてもよい。
【０３３１】
なお、アダプター電源部３２０により変換された（生成された）電源系それぞれの接続は、以下のようになっている。
端子Ｔｃ２は、アダプター電源部３２０のレンズ駆動系電源Ｖｐ出力端子（レンズ駆動系電源Ｖｐの電圧を出力する端子）に接続されている。また、端子Ｔｃ３は、アダプター電源部３２０のレンズ制御系電源Ｖｃ出力端子（レンズ制御系電源Ｖｃの電圧を出力する端子）に接続されている。これにより、アダプター電源部３２０は、端子Ｔｃ２にレンズ駆動系電源Ｖｐの電圧を供給し、端子Ｔｃ３にレンズ制御系電源Ｖｃの電圧を供給する。
また、アダプター電源部３２０は、レンズ駆動系電源Ｖｐの電圧を端子Ｔｃ２および端子Ｔｄ２を介して交換レンズ２００の光学系駆動部２３０に供給する。
また、アダプター電源部３２０は、レンズ制御系電源Ｖｃの電圧を端子Ｔｃ３および端子Ｔｄ３を介して交換レンズ２００のレンズ制御部２１０に供給する。
【０３３２】
このように、アダプター電源部３２０は、カメラボディ１００から供給されるパワー系電源ＰＷＲの電圧から交換レンズ２００の光学系駆動部２３０に供給するレンズ駆動系電源Ｖｐの電圧を生成するとともに、カメラボディ１００から供給される制御系電源Ｖｃｃ１の電圧からレンズ制御部２１０に供給するレンズ制御系電源Ｖｃの電圧を生成できる。また、アダプター電源部３２０は、カメラボディ１００から供給される制御系電源Ｖｃｃ１の電圧をアダプター制御部３１０に供給する。
これにより、アダプター３００は、カメラボディ１００から供給される制御系電源Ｖｃｃ１の電圧から、アダプター制御部３１０に供給する電圧と、交換レンズ２００のレンズ制御部２１０に供給するレンズ制御系電源Ｖｃの電圧を生成してそれぞれ供給できる。また、アダプター３００は、パワー系電源ＰＷＲの電圧から交換レンズ２００の光学系駆動部２３０に供給するレンズ駆動系電源Ｖｐの電圧を生成して供給できる。
【０３３３】
ところで、カメラボディ１００に対してアダプター３００を介さずに直接に装着される交換レンズ、すなわちマウント仕様、通信規格等がカメラボディ１００と同じでありカメラボディ１００の規格に適合する交換レンズ（例えば、後述する規格適合レンズ）が、カメラボディ１００に装着された場合、カメラボディ１００は、制御系電源Ｖｃｃ１の電圧をレンズ制御部２１０に供給する電圧（交換レンズ２００のレンズ制御系電源Ｖｃの電圧に相当する電圧）として供給し、パワー系電源ＰＷＲの電圧を光学系駆動部２３０Ａに供給する電圧（交換レンズ２００のレンズ駆動系電源Ｖｐの電圧に相当する電圧）として供給する。
すなわち、アダプター３００を介してカメラボディ１００に対して交換レンズ２００が装着された場合、カメラボディ１００は、カメラボディ１００に対してアダプター３００を介さず直接に交換レンズ（規格適合レンズ）が装着された場合と同様の電源系統から交換レンズ２００に給電できる。
【０３３４】
また、上述したように、制御系電源Ｖｃｃ１の電圧をアダプター制御部３１０に供給するとともに、制御系電源Ｖｃｃ１からレンズ制御系電源Ｖｃの供給電圧を生成するように構成した。これにより、カメラボディ１００からアダプター３００に制御系電源Ｖｃｃ１の給電さえあれば、アダプター３００は、アダプター制御部３１０および交換レンズ２００のレンズ制御部２１０にそれぞれ給電できる。
例えば、カメラボディ１００からのパワー系電源ＰＷＲの給電が停止された場合でも、制御系電源Ｖｃｃ１の給電が継続されることにより、アダプター３００は、アダプター制御部３１０およびレンズ制御部２１０のそれぞれに対する給電を継続できる。
【０３３５】
さらに、アダプター電源部３２０は、アダプター３００内の絞り駆動用電源Ｖｍの電圧を、絞り連動レバー駆動部３３０に供給する。つまりアダプター３００は、絞り連動レバー駆動部３３０に供給する電圧を、カメラボディ１００から供給されるパワー系電源ＰＷＲの電圧から生成する。パワー系電源ＰＷＲは、制御系電源Ｖｃｃ１よりも給電力が十分に大きいため、パワー系電源ＰＷＲを様々な回路への給電に利用でき、且つ本実施形態のようにパワー系電源ＰＷＲから絞り連動レバー駆動部３３０に給電する電圧を作成しても（パワー系電源ＰＷＲを兼用しても）、その兼用先の他の回路の動作（例えば上述のレンズ制御部２１０の動作）に悪影響を与えることがない。
【０３３６】
また、端子Ｔｂ１は、カメラボディ１００の端子Ｔａ１に接続されている。これにより、パワー系グランドＰＧＮＤは、端子Ｔａ１を介して端子Ｔｂ１に接続されている。また、端子Ｔｂ１と端子Ｔｃ１とは、アダプター３００内でパワー系グランドＰＧＮＤとして接続されている。さらに、端子Ｔｃ１は、交換レンズ２００の端子Ｔｄ１に接続されている。これにより、パワー系グランドＰＧＮＤは、レンズ駆動系電源Ｖｐに対応するグランドとして、端子Ｔｃ１を介して端子Ｔｄ１に接続されている。なお、パワー系グランドＰＧＮＤは、アダプター電源部３２０および絞り連動レバー駆動部３３０等のグランドとしても接続されている。
【０３３７】
また、端子Ｔｂ１２は、カメラボディ１００の端子Ｔａ１２に接続されている。これにより、制御系グランドＳＧＮＤは、端子Ｔａ１２を介して端子Ｔｂ１２に接続されている。また、端子Ｔｂ１２と端子Ｔｃ９とは、アダプター３００内で制御系グランドＳＧＮＤとして接続されている。さらに、端子Ｔｃ９は、交換レンズ２００の端子Ｔｄ９に接続されている。これにより、制御系グランドＳＧＮＤは、レンズ制御系電源Ｖｃに対応するグランドとして、端子Ｔｃ９を介して端子Ｔｄ９に接続されている。また、制御系グランドＳＧＮＤは、アダプター制御部３１０のグランドとしても接続されている。
【０３３８】
このように、パワー系グランドＰＧＮＤと制御系グランドＳＧＮＤとは、アダプター３００において互いに接続されておらず、２系統のグランドに分離されている。
つまり、交換レンズ２００およびアダプター３００において、パワー系グランドＰＧＮＤと制御系グランドＳＧＮＤとが互いに接続されておらず、２系統のグランドに分離されている。ただし、２系統に分離されているパワー系グランドＰＧＮＤと制御系グランドＳＧＮＤとは、カメラボディ１００において接続され、バッテリー１９０の負極と同電位のグランドになっている。したがって、カメラ制御部１１０、レンズ制御部２１０、およびアダプター制御部３１０のグランドは、制御系グランドＳＧＮＤに接続され同電位になっている。
【０３３９】
なお、交換レンズ２００において、制御系グランドＳＧＮＤは、レンズ側マウント２０１の導電部（交換レンズ筐体）に接続されていてもよい。また、交換レンズ２００において制御系グランドＳＧＮＤが接続されている端子Ｔｄ９は、レンズ側マウント２０１の導電部に含まれている構成としてもよい。同様に、アダプター３００において、制御系グランドＳＧＮＤは、第２マウント３０２の導電部に接続されていてもよい。また、アダプター３００において制御系グランドＳＧＮＤが接続されている端子Ｔｃ９は、第２マウント３０２の導電部に含まれている構成としてもよい。
さらに、同様に、端子Ｔｂ１２は第１マウント３０１の導電部に接続されていてもよく、また、端子Ｔｂ１２は第１マウント３０１の導電部に含まれている構成としてもよい。
同様に、端子Ｔａ１２も、カメラボディ側マウント１０１の導電部に接続されていてもよく、また、端子Ｔａ１２はカメラボディ側マウント１０１の導電部に含まれている構成としてもよい。
【０３４０】
絞り連動レバー駆動部３３０は、アダプター制御部３１０の制御により絞り連動レバー３５０の位置を移動させる。絞り連動レバー駆動部３３０は、絞り連動レバー３５０を移動させることにより、交換レンズ２００の絞り機構２５１を絞りレバー２５２を介して変位させる。また、絞り連動レバー駆動部３３０は、絞り連動レバー３５０の位置を検出して、該検出結果をアダプター制御部３１０に出力する。
【０３４１】
例えば、絞り連動レバー駆動部３３０は、絞り連動レバー３５０を駆動する絞り駆動用アクチュエータ（例えば、ステッピングモーター）、絞り駆動用アクチュエータを駆動制御するモーター駆動部、および、絞り連動レバー３５０の位置を検出する絞り連動レバー位置検出部等を備えている。これにより、絞り連動レバー駆動部３３０において、モーター駆動部が絞り駆動用アクチュエータを駆動することにより、絞り駆動用アクチュエータが絞り連動レバー３５０を駆動する。また、絞り連動レバー駆動部３３０において、絞り連動レバー位置検出部（例えば、フォトインタラプタ）が、絞り連動レバー３５０の位置を検出して、検出結果をアダプター制御部３１０に供給する。
【０３４２】
（アダプターの電源部および電源系統の構成の詳細）
次に、図３８を参照して、アダプター３００におけるアダプター電源部３２０および電源系統の構成の詳細について説明する。
図３８は、アダプター電源部３２０および電源系統の構成の一例を示す概略ブロック図である。同図において図３７の各部に対応する部分には同一の符号を付け、その説明を省略する。また、この図に示すアダプター制御部３１０は、アダプター電源制御部３１１に関する構成のみを示している。
【０３４３】
アダプター電源部３２０は、第１ＤＣ−ＤＣコンバータ部３２１（電圧変換部）と、第１レギュレータ部３２２と、第２レギュレータ部３２３と、第２ＤＣ−ＤＣコンバータ部３２４とを備えている。
【０３４４】
第１ＤＣ−ＤＣコンバータ部３２１には、制御系電源Ｖｃｃ１の電源線が接続されており、制御系電源Ｖｃｃ１の電圧が供給される。第１ＤＣ−ＤＣコンバータ部３２１は、制御系電源Ｖｃｃ１の電圧を予め定められた電圧まで昇圧した電圧に変換する。第１ＤＣ−ＤＣコンバータ部３２１の出力端子は、第１レギュレータ部３２２の入力端子に接続されており、第１ＤＣ−ＤＣコンバータ部３２１により生成された電圧が第１レギュレータ部３２２に供給される。
【０３４５】
第１レギュレータ部３２２は、例えば、第１リニアレギュレータを備えており、第１ＤＣ−ＤＣコンバータ部３２１により生成された電圧（制御系電源Ｖｃｃ１の電圧を予め定められた電圧まで昇圧した電圧）を降圧して電圧を安定化させたレンズ制御系電源Ｖｃの供給電圧を生成する。なお、レンズ制御系電源Ｖｃの電源線は、図３７を用いて説明した端子Ｔｃ３に接続されている。
【０３４６】
第２ＤＣ−ＤＣコンバータ部３２４には、パワー系電源ＰＷＲの電源線が接続されており、パワー系電源ＰＷＲの電圧が供給される。第２ＤＣ−ＤＣコンバータ部３２４は、パワー系電源ＰＷＲの電圧から予め定められた電圧まで昇降圧した電圧に変換した絞り駆動用電源Ｖｍの供給電圧を生成する。第２ＤＣ−ＤＣコンバータ部３２４により生成された絞り駆動用電源Ｖｍの電源線は、絞り連動レバー駆動部３３０に接続されており、絞り駆動用電源Ｖｍの電圧が絞り連動レバー駆動部３３０に供給される。
また、第２レギュレータ部３２３の入力端子には、パワー系電源ＰＷＲの電源線が接続されており、パワー系電源ＰＷＲの電圧が供給される。第２レギュレータ部３２３は、例えば、第２リニアレギュレータを備えており、パワー系電源ＰＷＲの電圧を降圧して電圧を安定化させたレンズ駆動系電源Ｖｐを生成する。この第２レギュレータ部３２３は、第１レギュレータ部３２２に対比して供給可能な給電量が多いレギュレータである。なお、レンズ駆動系電源Ｖｐの電源線は、図３７を用いて説明した端子Ｔｃ２に接続されている。
【０３４７】
また、制御信号ＣＴＬ１の信号線は、アダプター制御部３１０の制御信号出力端子と、第１ＤＣ−ＤＣコンバータ部３２１（例えば、第１ＤＣ−ＤＣコンバータ部３２１が有している出力制御用のコントロール端子）と、に接続されている。第１ＤＣ−ＤＣコンバータ部３２１は、アダプター制御部３１０から供給される制御信号ＣＴＬ１に基づいて、レンズ制御系電源Ｖｃの電圧の供給状態を、給電状態（電圧を供給している状態）、または遮断状態（電圧の供給を停止している状態）に制御する。例えば、第１ＤＣ−ＤＣコンバータ部３２１は、制御信号ＣＴＬ１がＨ（ハイ）状態の場合に、レンズ制御系電源Ｖｃの電圧を給電状態に制御する。また、第１ＤＣ−ＤＣコンバータ部３２１は、制御信号ＣＴＬ１がＬ（ロウ）状態の場合に、レンズ制御系電源Ｖｃの電圧を遮断状態に制御する。
【０３４８】
また、制御信号ＣＴＬ２の信号線は、アダプター制御部３１０の制御信号出力端子と、第２レギュレータ部３２３（例えば、第２レギュレータ部３２３が有している出力制御用のコントロール端子）と、に接続されている。第２レギュレータ部３２３は、アダプター制御部３１０から供給される制御信号ＣＴＬ２に基づいて、レンズ駆動系電源Ｖｐの電圧の供給状態を、給電状態（電圧を供給している状態）、または遮断状態（電圧の供給を停止している状態）に制御する。例えば、第２レギュレータ部３２３は、制御信号ＣＴＬ２がＨ（ハイ）状態の場合に、レンズ駆動系電源Ｖｐの電圧を給電状態に制御する。また、第２レギュレータ部３２３は、制御信号ＣＴＬ２がＬ（ロウ）状態の場合に、レンズ駆動系電源Ｖｐの電圧を遮断状態に制御する。
【０３４９】
また、制御信号ＣＴＬ３の信号線は、アダプター制御部３１０の制御信号出力端子と、第２ＤＣ−ＤＣコンバータ部３２４（例えば、第２ＤＣ−ＤＣコンバータ部３２４が有している出力制御用のコントロール端子）と、に接続されている。第２ＤＣ−ＤＣコンバータ部３２４は、アダプター制御部３１０から供給される制御信号ＣＴＬ３に基づいて、絞り駆動用電源Ｖｍの電圧の供給状態を、給電状態（電圧を供給している状態）、または遮断状態（電圧の供給を停止している状態）に制御する。例えば、第２ＤＣ−ＤＣコンバータ部３２４は、制御信号ＣＴＬ３がＨ（ハイ）状態の場合に、絞り駆動用電源Ｖｍの電圧を給電状態に制御する。また、第２ＤＣ−ＤＣコンバータ部３２４は、制御信号ＣＴＬ３がＬ（ロウ）状態の場合に、絞り駆動用電源Ｖｍの電圧を遮断状態に制御する。
【０３５０】
絞り連動レバー駆動部３３０は、絞り駆動用アクチュエータとしてのステッピングモーター３３５と、モーター駆動部３３１と、絞り連動レバー位置検出部３３２と、を備えている。
ステッピングモーター３３５は、絞り連動レバー３５０を駆動する動力源であり、モーター駆動部３３１により駆動される。
モーター駆動部３３１は、アダプター制御部３１０の制御により、パルス電圧を生成してステッピングモーター３３５を駆動する。また、絞り連動レバー位置検出部３３２は、例えばフォトインタラプタを含み、絞り連動レバー３５０の位置を検出する。
【０３５１】
第２ＤＣ−ＤＣコンバータ部３２４により生成された絞り駆動用電源Ｖｍの電源線は、モーター駆動部３３１と、絞り連動レバー位置検出部３３２とに接続されており、絞り駆動用電源Ｖｍの電圧が供給される。
また、制御系電源Ｖｃｃ１の電圧の電源線は、アダプター制御部３１０に接続されている他に、モーター駆動部３３１にも接続されており、モーター駆動部３３１内の制御系回路に制御系電源Ｖｃｃ１の電圧が供給される。
【０３５２】
制御系グランドＳＧＮＤは、アダプター制御部３１０、モーター駆動部３３１、および第１レギュレータ部３２２に、制御系電源Ｖｃｃ１に対応するグランドとして接続されている。
また、パワー系グランドＰＧＮＤは、第１ＤＣ−ＤＣコンバータ部３２１、第２ＤＣ−ＤＣコンバータ部３２４、第２レギュレータ部３２３、モーター駆動部３３１、および絞り連動レバー位置検出部３３２に、パワー系電源ＰＷＲまたは絞り駆動用電源Ｖｍに対応するグランドとして接続されている。
【０３５３】
このように、アダプター３００は、カメラボディ１００から供給される制御系電源Ｖｃｃ１の電圧およびパワー系電源ＰＷＲの電圧のうち、パワー系電源ＰＷＲの電圧から第２レギュレータ部３２３を介して交換レンズ２００に供給するレンズ駆動系電源Ｖｐの電圧を生成する。また、アダプター３００は、制御系電源Ｖｃｃ１の電圧から第１ＤＣ−ＤＣコンバータ部３２１および第１レギュレータ部３２２を介して、レンズ制御系電源Ｖｃの電圧を生成する。さらに、アダプター３００のアダプター制御部３１０には、カメラボディ１００から供給される制御系電源Ｖｃｃ１の電圧が供給される。つまり、アダプター制御部３１０には、カメラボディ１００から供給される制御系電源Ｖｃｃ１の電圧が供給され、交換レンズ２００のレンズ制御部２１０には、制御系電源Ｖｃｃ１の電圧から生成されたレンズ制御系電源Ｖｃの電圧が供給される。また、交換レンズ２００の光学系駆動部２３０には、アダプター３００においてパワー系電源ＰＷＲの電圧から生成されたレンズ駆動系電源Ｖｐの電圧が供給される。
【０３５４】
これにより、アダプター３００は、カメラボディ１００から供給されたパワー系電源ＰＷＲの電圧から、交換レンズ２００の光学系駆動部２３０を駆動するためのレンズ駆動系電源Ｖｐの電圧を生成して供給できる。また、アダプター３００は、カメラボディ１００から供給された制御系電源Ｖｃｃ１の電圧から、交換レンズ２００のレンズ制御部２１０に供給するためのレンズ制御系電源Ｖｃの電圧を生成して供給できる。また、アダプター３００のアダプター制御部３１０は、制御系電源Ｖｃｃ１から給電されることによりアダプター３００において実行される処理を制御できる。
よって、アダプター３００は、カメラボディ１００から供給された制御系電源Ｖｃｃ１から、アダプター３００および交換レンズ２００それぞれの制御系（例えば、アダプター制御部３１０およびレンズ制御部２１０）にそれぞれ給電できる。すなわち、アダプター３００は、カメラボディ１００からパワー系電源ＰＷＲの給電が停止していたとしても、制御系電源Ｖｃｃ１の給電があれば、アダプター３００および交換レンズ２００それぞれの制御系（例えば、アダプター制御部３１０およびレンズ制御部２１０）にそれぞれ給電できる。これにより、例えば、低消費電力処理によりカメラボディ１００からのパワー系電源ＰＷＲの給電が停止された場合であっても、制御系電源Ｖｃｃ１の給電を継続することで、アダプター制御部３１０またはレンズ制御部２１０の処理を完全に停止させない（復帰処理に必要な最小の電力で動作させる）ように制御できる。この低消費電力処理については、図４３を用いて後述する。
【０３５５】
また、アダプター３００は、レンズ制御系電源Ｖｃの電圧が供給される負荷（第２負荷部）の消費電力に対比して消費電力が多い負荷（第１負荷部）にレンズ駆動系電源Ｖｐの電圧を供給する。すなわち、アダプター３００は、レンズ制御系電源Ｖｃの電圧と、レンズ制御系電源Ｖｃに対比して供給可能な給電量が多いレンズ駆動系電源Ｖｐの電圧を生成する。そのため、アダプター３００は、レンズ制御部２１０に電圧を供給する電源系統としてのレンズ制御系電源Ｖｃを、制御系電源Ｖｃｃ１の電圧から生成し、光学系駆動部２３０に電圧を供給する電源系統としてのレンズ駆動系電源Ｖｐを、制御系電源Ｖｃｃ１に対比して供給可能な給電量が多いパワー系電源ＰＷＲの電圧から生成する。これにより、アダプター３００は、レンズ制御部２１０および光学系駆動部２３０に適切に電圧を供給できる。よって、アダプター３００は、交換レンズ２００を駆動するための電圧を適切に供給できる。
【０３５６】
また、アダプター３００は、第２ＤＣ−ＤＣコンバータ部３２４により、パワー系電源ＰＷＲの電圧から予め定められた電圧まで昇降圧した電圧に変換して絞り駆動用電源Ｖｍの電圧を生成するため、安定化させた電圧を絞り連動レバー駆動部３３０に供給できる。さらに、アダプター３００は、パワー系電源ＰＷＲ、絞り駆動用電源Ｖｍ、およびレンズ駆動系電源Ｖｐ、とは異なる電源系統である制御系電源Ｖｃｃ１の電圧から、第１ＤＣ−ＤＣコンバータ部３２１および第１レギュレータ部３２２を介して（予め定められた電圧まで昇降圧して）レンズ制御系電源Ｖｃの電圧を生成するとともに、制御系電源Ｖｃｃ１の電圧がアダプター制御部３１０に供給される。そのため、駆動系の電圧ノイズの影響を低減した電圧をレンズ制御部２１０およびアダプター制御部３１０にそれぞれ供給できる。また、アダプター３００は、第２レギュレータ部３２３により、パワー系電源ＰＷＲの電圧から予め定められた電圧まで降圧した電圧に変換してレンズ駆動系電源Ｖｐの電圧を生成するため、安定化させた電圧を光学系駆動部２３０に供給できる。
【０３５７】
＜交換レンズの他の形態＞
次に、交換レンズの他の形態について説明する。
アダプター３００を介してカメラボディ１００と接続して機能させることが可能なレンズは、図３７を用いて説明した交換レンズ２００に限られるものではない。交換レンズ２００の他に、様々な交換レンズを、アダプター３００を介してカメラボディ１００と接続して機能させることが可能である。
なお、図３７を用いて説明した交換レンズ２００は、通信可能なレンズ制御部２１０を備えており、レンズ制御部２１０が通信結果に基づいて光学系駆動部２３０を制御する交換レンズであり、この交換レンズ２００を、以下の記述においてＣＰＵ（Central Processing Unit）レンズとも称する。
【０３５８】
（非ＣＰＵレンズ）
これに対して、図３９に示すように、通信可能なレンズ制御部を備えていない交換レンズ２００Ｂを、アダプター３００を介してカメラボディ１００と接続して機能させることも可能である。
図３９は、通信可能なレンズ制御部を備えていない交換レンズ２００Ｂを備えているカメラシステム１Ｋの構成の一例を示す概略ブロック図である。同図において図３７の各部に対応する部分には同一の符号を付け、その説明を省略する。
この図において、カメラボディ１００と交換レンズ２００Ｂとは、アダプター３００を介して装着されている。
第７実施形態における非ＣＰＵレンズについての説明は、第９実施形態においても同様であり、重複する内容については、その説明を省略する。
【０３５９】
（電磁絞り式ＣＰＵレンズ）
また、図４０に示すように、絞り機構２５１Ｃを電気的に駆動する電磁絞り式の交換レンズ２００Ｃを、アダプター３００を介してカメラボディ１００と接続して機能させることも可能である。
図４０は、電磁絞り式の交換レンズ２００Ｃを備えているカメラシステム１Ｌの構成の一例を示す概略ブロック図である。同図において図３７の各部に対応する部分には同一の符号を付け、その説明を省略する。
この図において、カメラボディ１００と交換レンズ２００Ｃとは、アダプター３００を介して装着されている。
図４０に示す交換レンズ２００Ｃは、図３７に示す交換レンズ２００が絞りレバー２５２を有する絞りユニット２５０を備えているのに対して、絞り駆動部２３３Ｃを有する電磁絞りユニット２５０Ｃ備えている点で異なる。
第７実施形態における非ＣＰＵレンズについての説明は、第９実施形態においても同様であり、重複する内容については、その説明を省略する。
【０３６０】
ただし、第９実施形態の交換レンズ２００Ｃには、アダプター３００を介してカメラボディ１００から給電された制御系電源Ｖｃｃの電圧から生成されたレンズ制御系電源Ｖｃの電圧が供給されるとともに、パワー系電源ＰＷＲの電圧から生成されたレンズ駆動系電源Ｖｐの電圧が光学系駆動部２３０および電磁絞りユニット２５０Ｃに供給される電圧として供給される。
【０３６１】
（規格適合レンズ）
第７実施形態における規格適合レンズについての説明は、第９実施形態においても同様であり、重複する内容については、その説明を省略する。
【０３６２】
＜状態遷移の説明＞
次に、本実施形態による処理について説明する。
第１実施形態の図８における状態遷移の概要は、第９実施形態においても同様であり、重複する内容については、その説明を省略する。
【０３６３】
第９実施形態におけるレンズ起動処理については後述の「レンズ起動処理」（図４１、図４２）において詳述する。
【０３６４】
第９実施形態においては、「割り込み処理」のうち、低消費電力モードへの移行または電源オフによる電源遮断処理については後述の「電源遮断処理および低消費電力処理」（図４３）において詳述する。
【０３６５】
（レンズ起動処理）
次に、第１実施形態の図８を用いて説明した本実施形態による処理のうち、「レンズ起動処理」（第１実施形態の図８のステップＳ１００の処理）について詳しく説明する。
まず、第９実施形態によるレンズ起動処理の概要について説明する。
アダプター制御部３１０は、カメラボディ１００から制御系電源Ｖｃｃ１の電圧の供給（給電）を受けた後で、制御系電源Ｖｃｃ１の電圧からレンズ制御系電源Ｖｃの電圧をアダプター電源部３２０に生成させて、交換レンズ２００に対して供給させる。また、アダプター制御部３１０は、カメラボディ１００から制御系電源Ｖｃｃ１の電圧の供給（給電）を受けた後で、パワー系電源ＰＷＲからの給電開始を要求するパワー系電源ＰＷＲ要求信号をカメラボディ１００に送信する。すなわち、アダプター制御部３１０は、制御系電源Ｖｃｃ１からの給電を受けた後で、パワー系電源ＰＷＲ要求信号をカメラボディ１００に送信するとともに、制御系電源Ｖｃｃ１の電圧からレンズ制御系電源Ｖｃの電圧を生成させて、交換レンズ２００に対して供給させる。
例えば、アダプター制御部３１０は、制御系電源Ｖｃｃ１の電圧からレンズ制御系電源Ｖｃの電圧を生成させた後で、パワー系電源ＰＷＲ要求信号をカメラボディ１００に送信する。
また、アダプター制御部３１０は、パワー系電源ＰＷＲ要求信号に応じてカメラボディ１００から供給されたパワー系電源ＰＷＲの電圧から、交換レンズ２００に電圧を供給するレンズ駆動系電源Ｖｐの電圧をアダプター電源部３２０に生成させる。なお、アダプター制御部３１０は、パワー系電源ＰＷＲからの給電が開始された後に、レンズ駆動系電源Ｖｐの電圧をアダプター電源部３２０に生成させて交換レンズ２００に供給させる。
【０３６６】
また、アダプター制御部３１０は、レンズ制御系電源Ｖｃの電圧をアダプター電源部３２０から交換レンズ２００に供給させた後で、パワー系電源ＰＷＲの電圧からレンズ駆動系電源Ｖｐの電圧をアダプター電源部３２０に生成させて、交換レンズ２００に供給させる。
例えば、アダプター制御部３１０は、交換レンズ２００にレンズ制御系電源Ｖｃの電圧が供給されたことに応じて、交換レンズ２００からレンズ駆動系電源Ｖｐの電圧の供給開始を要求することを示すレンズ駆動系電源Ｖｐ要求信号を受信した場合、レンズ駆動系電源Ｖｐの電圧をアダプター電源部３２０から交換レンズ２００に供給させる。
【０３６７】
また、アダプター制御部３１０は、カメラボディ１００から制御系電源Ｖｃｃ１の電圧の供給が開始された後で、カメラ制御部１１０からの制御指示に応じた初期化処理を実行する。例えば、アダプター制御部３１０は、初期化処理として交換レンズ２００の状態を初期化する処理を実行する（交換レンズ２００に対して要求する）。すなわち、アダプター制御部３１０は、交換レンズ２００に対して給電させた（交換レンズ２００に対してレンズ系電源系統の電源を供給させた）後で、交換レンズ２００の状態を初期化する処理を実行する（交換レンズ２００に対して要求する）。
また、この交換レンズ２００の状態を初期化する処理には、レンズ制御部２１０を初期化するレンズ制御部初期化処理が含まれる。
例えば、アダプター制御部３１０は、初期化処理として、交換レンズ２００に対して給電することにより、交換レンズ２００がアダプター３００に装着されている状態にあるか否かを検出する。そして、アダプター制御部３１０は、交換レンズ２００がアダプター３００に装着されている状態にあることを検出した後、レンズ制御部２１０を初期化するレンズ制御部初期化処理を実行する。
【０３６８】
次に、カメラシステム１Ｊのレンズ起動処理の詳細について説明する。
図４１は、第９実施形態によるレンズ起動処理の処理シーケンスの第１の例を示す図である。この図は、カメラボディ１００の主電源がオンされた場合のレンズ起動処理の一例を示している。
レンズ起動処理は、着脱判定（ステップＳ１１０）、カメラボディ１００とアダプター３００との間の情報交換（ステップＳ１２０）、初期化（ステップＳ１３０）、レンズ情報取得（ステップＳ１６０）、レンズ機能開始（ステップＳ１７０）の順に処理が行われる。また、初期化（ステップＳ１３０）においては、アダプター３００が交換レンズ２００に対して行う処理として、装着判定処理（ステップＳ１４０）とレンズ初期化処理（ステップＳ１５０）とが順に実行される。
なお、この起動処理において、アダプター３００を介してカメラボディ１００と交換レンズ２００との間で実行される通信は、コマンドデータ通信である。
【０３６９】
まず、着脱判定（ステップＳ１１０）は、カメラボディ１００がアダプター３００に対する制御系電源Ｖｃｃ１の給電を開始して、アダプター３００（または、交換レンズ２００Ａ）が装着されているか否かを判定する処理である。
カメラボディ１００の主電源がオンされた場合、カメラ制御部１１０は、カメラ電源部１２０を制御して、制御系電源Ｖｃｃ１の電圧をアダプター３００に供給（給電）させる（ステップＳ１１１０）。これにより、アダプター制御部３１０に、制御系電源Ｖｃｃ１の電圧が供給される。アダプター制御部３１０は、制御系電源Ｖｃｃ１の電圧が供給されるのに応じてアダプター起動処理を行い、第１アダプター通信部３１２から第１カメラ通信部１１２に対して通信可否を通知する（ステップＳ２１１０）。例えば、第１アダプター通信部３１２は、制御系電源Ｖｃｃ１の電圧が供給されるのに応じて信号ＲＤＹをＨ（ハイ）レベルに制御し、アダプター起動処理により信号ＲＤＹをＬ（ロウ）レベルに制御する。そして、第１カメラ通信部１１２は、信号ＲＤＹの信号レベルの立下りエッジを検出することにより、装着情報を取得する（ステップＳ１１１２）。
【０３７０】
これにより、カメラ制御部１１０は、第１カメラ通信部１１２により取得された装着情報に基づいて、アダプター３００が装着されているか否かの着脱判定を行う（ステップＳ１１１４）。例えば、カメラ制御部１１０は、信号ＲＤＹの信号レベルの立下りエッジが検出されたか否かを示す装着情報に基づいて着脱判定を行う。
【０３７１】
ステップＳ１１１４において、カメラボディ１００にアダプター３００が装着されていると判定された場合、カメラ制御部１１０は、カメラボディ１００とアダプター３００との間の情報交換（ステップＳ１２０）に処理を進める。また、装着されているアダプター３００のアダプター制御部３１０は、上述のステップＳ２１１０におけるアダプター起動処理の後に、制御系電源Ｖｃｃ１の電圧からレンズ制御系電源Ｖｃの電圧をアダプター電源部３２０に生成させて交換レンズ２００に供給（給電）させる（ステップＳ２１１５）。
なお、カメラボディ１００に対してアダプター３００を介さず直接に規格適合レンズ（例えば、交換レンズ２００Ａ）が装着されている場合も、カメラ制御部１１０は、同様にステップＳ１２０に処理を進める。この場合のステップＳ１２０の処理は、カメラボディ１００と交換レンズ２００Ａとの間の情報交換の処理となる。
また、ステップＳ１１１４において装着されていないと判定された場合、カメラ制御部１１０は、カメラボディ１００に対してアダプター３００および交換レンズ２００Ａの何れかが装着されていない非装着状態であると判定する。
【０３７２】
ステップＳ１２０のカメラボディ１００とアダプター３００との間の情報交換において、次の処理が行われる。
第１カメラ通信部１１２は、第１アダプター通信部３１２と通信（コマンドデータ通信）の確立を行う。そして、第１カメラ通信部１１２と第１アダプター通信部３１２とは、カメラボディ１００とアダプター３００とのそれぞれの識別ＩＤ、名称、ファームウェアバージョン等の情報を互いに通信して取得する。また、第１アダプター通信部３１２は、パワー系電源ＰＷＲの電圧の供給開始を要求するパワー系電源ＰＷＲ要求信号を第１カメラ通信部１１２に送信する（ステップＳ１１２０、ステップＳ２１２０）。
【０３７３】
続いて、初期化（ステップＳ１３０）の処理が行われる。この初期化の処理は、カメラボディ１００からパワー系電源ＰＷＲの電圧を供給開始して、アダプター３００および交換レンズ２００の初期化を行う処理である。
まず、カメラ制御部１１０は、第１カメラ通信部１１２によりパワー系電源ＰＷＲ要求信号が受信された場合、スイッチ１２５を導通状態に制御してパワー系電源ＰＷＲの電圧をバッテリー１９０からアダプター３００に供給（給電）させる（ステップＳ１１３０）。
【０３７４】
次に、第１カメラ通信部１１２は、初期化要求として初期化実行コマンドを第１アダプター通信部３１２に送信する（ステップＳ１１４０）。
アダプター制御部３１０は、第１アダプター通信部３１２により初期化実行コマンドが受信された場合、装着判定処理（ステップＳ１４０）およびレンズ初期化処理（ステップＳ１５０）を実行する。
【０３７５】
装着判定処理（ステップＳ１４０）は、アダプター３００に対しての交換レンズの装着判定処理である。
第１アダプター通信部３１２は、第１レンズ通信部２１２との間の通信により、レンズ装着判定処理を実行し、交換レンズが装着されているか否かを判定する。交換レンズ２００が装着されている場合、第１レンズ通信部２１２は、第１アダプター通信部３１２に、レンズ駆動系電源Ｖｐ要求信号を送信する（ステップＳ２１４０、ステップＳ３１４０）。そして、アダプター制御部３１０は、レンズ初期化処理（ステップＳ１５０）に処理を進める。
【０３７６】
レンズ初期化処理（ステップＳ１５０）は、アダプター３００および交換レンズ２００の初期化処理である。
アダプター制御部３１０は、第１アダプター通信部３１２によりレンズ駆動系電源Ｖｐ要求信号が受信された場合、パワー系電源ＰＷＲの電圧からレンズ駆動系電源Ｖｐの電圧をアダプター電源部３２０に生成させて交換レンズ２００に供給（給電）させる。次に、第１アダプター通信部３１２は、第１レンズ通信部２１２との間の通信により、レンズ初期化処理を実行する（ステップＳ２１５０、ステップＳ３１５０）。ここで、アダプター３００側からレンズ駆動系電源Ｖｐを交換レンズ２００側に供給しないのは、次の理由による。交換レンズによっては電源供給を必要としないレンズ（例えばマニュアルフォーカスレンズ）も存在する。そのような交換レンズが装着されているときにレンズ駆動系電源Ｖｐを生成し、電源供給動作を行うことは、不必要な作業をアダプター３００側にさせることになる。そこで本実施形態では、不必要な作業をアダプター３００に行わせないようにするために、電源の給電手順を決めている。
【０３７７】
次に、アダプター３００および交換レンズ２００の初期化が完了すると、第１カメラ通信部１１２は、初期化確認コマンドに対する応答結果として、初期化が完了したことを示す情報として「初期化完了」を、第１アダプター通信部３１２から受信する。これにより、カメラ制御部１１０は初期化完了情報を取得する（ステップＳ１１５０）。
【０３７８】
初期化が完了すると、カメラ制御部１１０は、ステップＳ１１２０のカメラボディ１００とアダプター３００との間の情報交換において取得した情報に基づいて、アダプター３００が装着されているか否かを判定する（ステップＳ１１５５）。ステップＳ１１５５において、アダプター３００が装着されていないと判定された場合、カメラ制御部１１０は、カメラボディ１００に対してアダプター３００を介さず直接に規格適合レンズ（例えば、交換レンズ２００Ａ）が装着されていると判定する。一方、ステップＳ１１５５において、アダプター３００が装着されていると判定された場合、カメラ制御部１１０は、レンズ情報取得（ステップＳ１６０）の処理に進める。
【０３７９】
レンズ情報取得（ステップＳ１６０）の処理は、アダプター３００に対しての交換レンズの装着判定処理、および、アダプター３００に装着されている交換レンズ２００の情報を取得する処理である。交換レンズ２００の情報とは、例えば、レンズの種別、ホットライン通信機能の有無、防振機能の有無、電磁絞りの有無、開放Ｆ値、焦点距離情報等のレンズ情報である。
第１カメラ通信部１１２は、第１アダプター通信部３１２にレンズ情報取得コマンドを送信して、第１アダプター通信部３１２からのレンズ情報の応答を受信して、交換レンズ２００の情報を取得する（ステップＳ１１６０、ステップＳ２１６０）。
【０３８０】
次に、カメラ制御部１１０は、レンズ情報取得（ステップＳ１６０）において取得されたレンズ情報に基づいて、交換レンズ２００の種類（種別）を判定する（ステップＳ１１６５）。例えば、カメラ制御部１１０は、装着判定処理（ステップＳ１４０）の判定結果により、アダプター３００にＣＰＵレンズが装着されているか否かを判定する。
ステップＳ１１６５においてＣＰＵレンズが装着されていないと判定された場合、非ＣＰＵレンズ装着状態と判定して起動し、処理を終了する。
一方、ステップＳ１１６５において、ＣＰＵレンズが装着されていると判定された場合、レンズ機能開始（ステップＳ１７０）に処理を進める。
また、カメラ制御部１１０は、取得したレンズ情報に基づいて、例えば、ＡＦ制御（処理）の機能を有するレンズ、ＶＲレンズ２２３の制御（処理）の機能（防振制御機能）を有するレンズ、または、電磁絞り式レンズ、であるか否か等を判定する。
【０３８１】
レンズ機能開始（ステップＳ１７０）の処理は、レンズ情報取得（ステップＳ１６０）の処理において取得したレンズ情報に基づいて、交換レンズの種別（機能）に応じて、それぞれの機能を開始する処理をする。第１カメラ通信部１１２は、第１アダプター通信部３１２を介して第１レンズ通信部２１２と通信を行い、例えば、レンズ制御用テーブルの取得、ホットライン通信許可設定、防振制御開始設定等の処理を行う（ステップＳ１１７０、ステップＳ２１７０、ステップＳ３１７０）。
そして、カメラ制御部１１０は、ＣＰＵレンズ装着状態と判定して起動し、処理を終了する。
【０３８２】
このように、アダプター制御部３１０は、カメラボディ１００から制御系電源Ｖｃｃ１の電圧が供給されることに応じて起動し、制御系電源Ｖｃｃ１の電圧からレンズ制御系電源Ｖｃの電圧をアダプター電源部３２０に生成させて交換レンズ２００に供給させるとともに、カメラボディ１００にパワー系電源ＰＷＲの電圧の供給開始を要求する。カメラ制御部１１０は、第１カメラ通信部１１２によりパワー系電源ＰＷＲ要求信号が受信された場合、パワー系電源ＰＷＲの電圧をアダプター３００に供給（給電）させる。また、アダプター制御部３１０は、カメラボディ１００から初期化実行コマンドが送信されることに応じて、レンズ制御部２１０との間で「レンズ装着判定処理」を実行する。そして、アダプター制御部３１０は、上述の「レンズ装着判定処理」により、交換レンズ２００からレンズ駆動系電源Ｖｐの電圧の供給が要求された場合（レンズ駆動系電源Ｖｐ要求信号を受信した場合）、パワー系電源ＰＷＲからレンズ駆動系電源Ｖｐのアダプター電源部３２０に電圧を生成させて交換レンズ２００に対して供給させる。
【０３８３】
これにより、アダプター制御部３１０は、カメラボディ１００から供給される電圧に基づいて、交換レンズ２００に供給する電圧を生成させるとともに、それぞれの電源系統の電圧の供給開始タイミングを適切に制御できる。
また、アダプター制御部３１０は、交換レンズの種類によらず（交換レンズがレンズ駆動系電源Ｖｐの給電を必要とするか否かによらず）、レンズ駆動系電源Ｖｐの電圧を生成するために必要なパワー系電源ＰＷＲの給電を、「初期化」の開始タイミングの前にカメラ制御部１１０に対して要求する。これにより、カメラボディ１００からアダプター３００にパワー系電源ＰＷＲの給電がされている状態（アダプター電源部３２０に給電されている状態）になるため、アダプター制御部３１０は、交換レンズの種類によってレンズ駆動系電源Ｖｐの電圧を生成させる必要がある場合は、再びカメラ制御部１１０と通信することなくアダプター電源部３２０にレンズ駆動系電源Ｖｐの電圧を生成させることができる。よって、カメラボディ１００は、アダプター３００を介して装着されている交換レンズがレンズ駆動系電源Ｖｐの給電を必要とするか否かによって初期化処理の処理内容を変更することなく、一旦アダプター３００にパワー系電源ＰＷＲの給電をして初期化実行コマンドを送信し初期化完了の応答の受信を待つという同様の初期化処理を実行することができる。すなわち、アダプター３００は、装着されている交換レンズの種類に係らず、カメラボディ１００の共通の処理に対応したレンズ起動処理を実行することができる。
【０３８４】
また、アダプター制御部３１０は、レンズ起動処理において交換レンズ２００の仕様を判別し、判別した仕様に基づいて交換レンズ２００に対して電圧を供給できる。また、アダプター制御部３１０は、判別した交換レンズの仕様に基づいて、電圧の供給が不要な交換レンズの場合、交換レンズへの電圧の供給を停止できる。
また、アダプター３００は、制御系電源Ｖｃｃ１の電圧からレンズ制御系電源Ｖｃの電圧を生成するため、制御系電源Ｖｃｃ１からの給電に応じてアダプター起動処理をした直後に、交換レンズ２００にレンズ制御系電源Ｖｃの給電が可能となる。これにより、アダプター３００は、カメラボディ１００からの交換レンズ２００に対する初期化要求（初期化実行コマンド）を受ける前に、交換レンズ２００と通信を開始して、レンズの初期化やレンズ情報の取得などの処理を開始する構成としてもよく、その場合、レンズ起動処理の処理時間の短縮化を図ることができる。
【０３８５】
なお、図４１に示す「レンズ起動処理」では、アダプター制御部３１０が、制御系電源Ｖｃｃ１の電圧からレンズ制御系電源Ｖｃの電圧をアダプター電源部３２０に生成させた後で、パワー系電源ＰＷＲ要求信号をカメラボディ１００に送信する例を説明したがこれに限られるものではない。例えば、アダプター制御部３１０は、パワー系電源ＰＷＲ要求信号をカメラボディ１００に送信した後に、制御系電源Ｖｃｃ１の電圧からレンズ制御系電源Ｖｃの電圧を生成させてもよい。例えば、アダプター制御部３１０は、パワー系電源ＰＷＲ要求信号をカメラボディ１００に送信したことに応じてカメラボディ１００から送信される初期化要求（初期化実行コマンド）を受信した後に、レンズ制御系電源Ｖｃの電圧をアダプター電源部３２０に生成させて交換レンズ２００に対して供給させてもよい。
【０３８６】
図４２は、第９実施形態におけるレンズ起動処理の処理シーケンスの第２の例を示す図である。図４２は、アダプター制御部３１０が、パワー系電源ＰＷＲ要求信号をカメラボディ１００に送信した後に、制御系電源Ｖｃｃ１の電圧からレンズ制御系電源Ｖｃの電圧を生成させる場合の例を示す図である。同図において図４１の各処理に対応する部分には同一の符号を付け、その説明を省略する。
なお、図４２に示すレンズ起動処理は、アダプター制御部３１０が、レンズ制御系電源Ｖｃの電圧を生成させる処理を初期化（ステップＳ１３０）の処理において実行する（図４１のステップＳ２１１５の処理に代えて）点が、図４１に示すレンズ起動処理と異なる。
【０３８７】
図４２に示す初期化（ステップＳ１３０）の処理において、カメラ制御部１１０は、第１カメラ通信部１１２によりパワー系電源ＰＷＲ要求信号が受信された場合、スイッチ１２５を導通状態に制御してパワー系電源ＰＷＲの電圧をバッテリー１９０からアダプター３００に供給（給電）させる（ステップＳ１１３０）。
【０３８８】
次に、第１カメラ通信部１１２は、初期化要求として初期化実行コマンドを第１アダプター通信部３１２に送信する（ステップＳ１１４０）。
アダプター制御部３１０は、第１アダプター通信部３１２により初期化実行コマンドが受信された場合、装着判定処理（ステップＳ１４０）およびレンズ初期化処理（ステップＳ１５０）を実行する。
【０３８９】
装着判定処理（ステップＳ１４０）は、アダプター３００に対しての交換レンズの装着判定処理である。
アダプター制御部３１０は、制御系電源Ｖｃｃ１の電圧からレンズ制御系電源Ｖｃの電圧をアダプター電源部３２０に生成させて交換レンズ２００に供給（給電）させる。次に、第１アダプター通信部３１２は、第１レンズ通信部２１２との間の通信により、レンズ装着判定処理を実行し、交換レンズが装着されているか否かを判定する。交換レンズ２００が装着されている場合、第１レンズ通信部２１２は、第１アダプター通信部３１２に、レンズ駆動系電源Ｖｐ要求信号を送信する（ステップＳ２１４０、ステップＳ３１４０）。そして、アダプター制御部３１０は、レンズ初期化処理（ステップＳ１５０）に処理を進める。
この後の処理は、図４１に示す処理と同様である。
【０３９０】
このように、アダプター３００は、カメラボディ１００からの初期化要求（初期化実行コマンド）を受けた後に（パワー系電源ＰＷＲ要求信号をカメラボディ１００に送信した後に）、レンズ制御系電源Ｖｃの電圧を交換レンズ２００に供給して、交換レンズ２００に対する初期化処理を実行することができる。
これにより、アダプター３００は、図４１を用いて説明した「レンズ起動処理」と同様に、カメラボディ１００から供給される電圧に基づいて、交換レンズ２００に供給する電圧を生成するとともに、それぞれの電源系統の電圧の供給開始タイミングや初期化処理を適切に制御できる。
【０３９１】
（電源遮断処理および低消費電力処理）
次に、第１実施形態の図８を用いて説明した本実施形態による「割り込み処理」（第１実施形態の図８のステップＳ４００の処理）のうちの「電源遮断処理および低消費電力処理」について詳しく説明する。第１実施形態の図８における「電源遮断処理および低消費電力処理」について、第９実施形態においても同様であり、重複する内容については、その説明を省略する。
なお、第９実施形態において、スリープ処理は、例えば、交換レンズ２００に対してレンズ駆動系電源Ｖｐの電圧の供給を停止（遮断）した後、カメラボディ１００からのパワー系電源ＰＷＲの電圧の供給を停止させるが、制御系電源Ｖｃｃ１の電圧の供給を継続させる処理である。また、電源遮断処理は、例えば、交換レンズ２００に対してレンズ駆動系電源Ｖｐの電圧の供給を停止（遮断）した後、カメラボディ１００からのパワー系電源ＰＷＲおよび制御系電源Ｖｃｃ１の両方の電圧の供給を停止させる処理である。
【０３９２】
まず、電源遮断処理およびスリープ処理の概要について説明する。
カメラボディ１００の動作モードがスリープモードに遷移される場合において、カメラボディ１００からパワー系電源ＰＷＲの電圧の供給が停止され、制御系電源Ｖｃｃ１の電圧の供給が継続される。例えば、カメラボディ１００の動作モードがスリープモードに遷移した場合、カメラボディ１００によって、制御系電源Ｖｃｃ１の電圧の供給が予め定められた期間継続される。ここで、予め定められた期間とは、例えば、カメラボディ１００に対しての操作を検出することにより撮影処理を行うことが可能な動作モードに復帰するとして定められた期間、または、無操作状態が更に継続された場合にカメラボディ１００の電源遮断処理に移行するために定められた期間等である。
【０３９３】
また、カメラボディ１００の動作モードがスリープモードに遷移する場合、電源遮断状態またはスリープモードへの遷移を指示することを示す指示信号（シャットダウン実行コマンド）が、カメラ制御部１１０からアダプター制御部３１０に送信され、アダプター制御部３１０は、前記指示信号を受信することに応じて、交換レンズ２００へのレンズ駆動系電源Ｖｐの給電を停止するレンズシャットダウン処理を実行する。また、アダプター制御部３１０は、レンズシャットダウン処理の最後に、レンズ制御部２１０をスリープモードへ遷移させる遷移指示を送信して、レンズ制御部２１０をスリープモードへ移行させる。
次に、アダプター制御部３１０は、レンズシャットダウン処理が終了した後に、電源遮断状態またはスリープモードに遷移することを許可することを示す許可信号（シャットダウン準備完了の応答）をカメラボディ１００に送信する。続いて、アダプター制御部３１０から送信された許可信号に応じて、カメラボディ１００からパワー系電源ＰＷＲの電圧の供給が停止される。その後、カメラボディ１００の動作モードがスリープモードに遷移する場合、アダプター制御部３１０は、スリープモードへ移行して動作を継続するとともに、カメラボディ１００から継続して給電されている制御系電源Ｖｃｃ１から、レンズ制御電源Ｖｃの電圧をアダプター電源部３２０に生成させて交換レンズ２００に対して供給させる（レンズ制御部２１０に対してレンズ制御電源Ｖｃを継続して給電させる）。これにより、レンズ制御部２１０は、スリープモードで動作を継続する。また、カメラボディ１００が電源遮断処理に移行する場合、アダプター制御部３１０に対する制御系電源Ｖｃｃ１の給電が停止される。
【０３９４】
図４３は、電源遮断処理およびスリープ処理の処理シーケンスの一例を示す図である。
この図を参照して、カメラシステム１Ｊの電源遮断処理およびスリープ処理について詳しく説明する。
電源遮断処理およびスリープ処理は、レンズ機能終了（ステップＳ４１０）、シャットダウン（ステップＳ４２０）、スリープモード移行（ステップＳ４３０）の順に処理が行われる。なお、この電源遮断処理およびスリープ処理において、カメラボディ１００がアダプター３００を介して交換レンズ２００と行う通信は、コマンドデータ通信である。
【０３９５】
電源遮断処理またはスリープ処理が開始されると、まず、レンズ機能終了（ステップＳ４１０）の処理が行われる。
第１カメラ通信部１１２は、第１アダプター通信部３１２を介して第１レンズ通信部２１２と通信することにより、交換レンズ２００の機能動作を停止させる（ステップＳ１２１０、ステップＳ２２１０、ステップＳ３２１０）。これにより、レンズ制御部２１０は、交換レンズ２００の機能動作を停止する。例えば、レンズ機能終了の処理によって、交換レンズ２００の防振制御の終了、またはホットライン通信の禁止等の処理が行われる。
【０３９６】
次に、シャットダウン（ステップＳ４２０）の処理が行われる。第１実施形態におけるシャットダウン（ステップＳ４２０）の処理は、第９実施形態においても同様であり、重複する内容については、その説明を省略する。
【０３９７】
次に、アダプター制御部３１０は、絞り連動レバー３５０を退避位置に移動させ（ステップＳ２２３０）、アダプター３００が備えている各部のシャットダウン処理を実行する（ステップＳ２２３５）。続いて、第１アダプター通信部３１２は、シャットダウン処理が完了した場合、第１カメラ通信部１１２から受信したシャットダウン完了確認コマンドに応じて、アダプター３００（アダプター３００および交換レンズ２００）におけるシャットダウン処理が完了したことを示す情報として「シャットダウン準備完了」を第１カメラ通信部１１２に応答する。また、第１アダプター通信部３１２は、スリープ処理要求の有無を第１カメラ通信部１１２に応答する（ステップＳ２２４０）。
【０３９８】
第９実施形態における、カメラ制御部１１０は、シャットダウン完了確認コマンドの応答結果において、スリープモード移行要求の有無を判定する（ステップＳ１２５５）。ステップＳ１２５５において、スリープモード移行要求が無いと判定された場合、カメラ制御部１１０は、カメラ電源部１２０を制御して制御系電源Ｖｃｃ１の電圧の供給を停止させる（ステップＳ１２７０）。これにより、交換レンズ２００に対するレンズ制御系電源Ｖｃの電圧の供給も停止される。
【０３９９】
一方、ステップＳ１２５５において、スリープモード移行要求が有りと判定された場合、スリープモード移行（ステップＳ４３０）の処理か行われる。まず、第１カメラ通信部１１２は、スリープモードへの遷移指示を第１アダプター通信部３１２に送信する。これにより、アダプター制御部３１０は、スリープモードに遷移（移行）する。ここで、アダプター制御部３１０は、スリープモードにおいて、レンズ制御系電源Ｖｃの電圧を給電状態のまま継続する（制御信号ＣＴＬ１をＨ（ハイ）状態に制御したまま継続する）。また、第１アダプター通信部３１２は、スリープモードに遷移する処理の開始前に、信号ＲＤＹをＨ（ハイ）レベルに制御し、スリープモードに遷移する処理が完了した後、信号ＲＤＹをＬ（ロウ）レベルに制御する。第１カメラ通信部１１２は、信号ＲＤＹの信号レベルの立下りエッジを検出することにより、アダプター３００のスリープモードに遷移する処理が完了したことを検出して、制御系電源Ｖｃｃ１の電圧の供給を小給電状態に切替える（ステップＳ１２６０、ステップＳ２２６０）。
これにより、電源遮断状態またはスリープモードに遷移する。
【０４００】
このように、カメラボディ１００がスリープモードに遷移した場合、カメラ制御部１１０は、アダプター３００へのパワー系電源ＰＷＲの電圧の供給を停止させ、制御系電源Ｖｃｃ１の電圧の供給を継続させる。すなわち、アダプター３００は、スリープモードに遷移された場合、カメラボディ１００からパワー系電源ＰＷＲの電圧の供給が停止され、制御系電源Ｖｃｃ１の電圧の供給が継続される。
これにより、スリープモードにおいて低消費電力化が可能である。また、制御系電源Ｖｃｃ１の電圧の供給を継続してアダプター制御部３１０の処理を完全に停止させていない（アダプター制御部３１０を、復帰処理に必要な最小の電力で動作させている）。そのため、アダプター制御部３１０は、スリープモードから定常状態への復帰（起動）の際に、完全に処理を停止している場合に比較して、短い時間で復帰（起動）できる。
さらに、レンズ制御系電源Ｖｃの電圧の供給を継続してレンズ制御部２１０の処理を完全に停止させていない（レンズ制御部２１０を、復帰処理に必要な最小の電力で動作させている）。そのため、レンズ制御部２１０は、スリープモードから定常状態への復帰（起動）の際に、完全に処理を停止している場合に比較して、短い時間で復帰（起動）できる。すなわち、スリープモードにおいて、アダプター制御部３１０およびレンズ制御部２１０の両方の処理を完全に停止させていないため、スリープモードから定常状態への復帰（起動）の際に、アダプター制御部３１０およびレンズ制御部２１０の両方もしくは一方の処理を完全に停止している場合に比較して、短い時間で復帰（起動）できる。
【０４０１】
以上のように、本実施形態によれば、レンズ交換式のカメラシステムにおいて、様々な種類の交換レンズに適切に給電できる。よって、本実施形態によれば、レンズ交換式のカメラシステムにおいて、様々な種類の光学系を適切に機能できる。
【０４０２】
なお、例えば第１実施形態の図３、図６、および図７に示すような、交換レンズ２００とカメラボディ１００とがアダプター３００のみを介して接続されている構成に、上記実施形態が限られるものではない。
例えば、交換レンズ２００とカメラボディ１００とが、アダプター３００と他の変換アダプター（テレコンバータ等）とを介して交換レンズ２００に接続されている構成としてもよい。
また、上記実施形態のアダプター３００は、光学系を備えていない構成であるが、光学系を備えている構成としてもよい。
【０４０３】
なお、上記実施形態におけるカメラ制御部１１０、レンズ制御部２１０、またはアダプター制御部３１０は、それぞれ専用のハードウェアにより実現されるものであってもよく、また、メモリーおよびＣＰＵ（Central Processing Unit）により構成され、上述のカメラ制御部１１０、レンズ制御部２１０、およびアダプター制御部３１０のそれぞれの機能を実現するためのプログラムをメモリーにロードして実行することによりその機能を実現させるものであってもよい。
【０４０４】
また、上述のカメラ制御部１１０、レンズ制御部２１０、またはアダプター制御部３１０それぞれの機能を実現するためのプログラムをコンピュータ読み取り可能な記録媒体に記録して、この記録媒体に記録されたプログラムをコンピュータシステムに読み込ませ、実行することにより上述の各部の処理をそれぞれ行ってもよい。なお、ここでいう「コンピュータシステム」とは、ＯＳや周辺機器等のハードウェアを含むものとする。
【０４０５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０４０６】
以上、この発明の実施形態を図面を参照して詳述してきたが、具体的な構成はこの実施形態に限られるものではなく、この発明の要旨を逸脱しない範囲の設計等も含まれる。
【符号の説明】
【０４０７】
１  カメラシステム、１００  カメラボディ、１１０  カメラ制御部、２００  交換レンズ、２１０  レンズ制御部、２２０  光学系、２３０  光学系駆動部、２５１  絞り機構（絞り）、３００  アダプター、３０１  第１マウント（第１マウント部）、３０２  第２マウント（第２マウント部）、３０５  三脚座（取付座）、３０７  ネジ穴、３１０  アダプター制御部、３２０  アダプター電源部、３３０  絞り連動レバー駆動部（絞り連動機構駆動部）、３５０  絞り連動レバー（絞り連動機構部）、３９０  ２次電池（電池）、３２９  非接触式充電部、８００  充電パッド（充電器）、９００  充電装置、Ｌ１  １次コイル、Ｌ２  ２次コイル
【図１】
2013039142.tif 000003
【図２】
2013039142.tif 000004
【図３】
2013039142.tif 000005
【図４】
2013039142.tif 000006
【図５】
2013039142.tif 000007
【図６】
2013039142.tif 000008
【図７】
2013039142.tif 000009
【図８】
2013039142.tif 000010
【図９】
2013039142.tif 000011
【図１０】
2013039142.tif 000012
【図１１】
2013039142.tif 000013
【図１２】
2013039142.tif 000014
【図１３】
2013039142.tif 000015
【図１４】
2013039142.tif 000016
【図１５】
2013039142.tif 000017
【図１６Ａ】
2013039142.tif 000018
【図１６Ｂ】
2013039142.tif 000019
【図１７Ａ】
2013039142.tif 000020
【図１７Ｂ】
2013039142.tif 000021
【図１８Ａ】
2013039142.tif 000022
【図１８Ｂ】
2013039142.tif 000023
【図１８Ｃ】
2013039142.tif 000024
【図１９】
2013039142.tif 000025
【図２０】
2013039142.tif 000026
【図２１】
2013039142.tif 000027
【図２２】
2013039142.tif 000028
【図２３】
2013039142.tif 000029
【図２４】
2013039142.tif 000030
【図２５】
2013039142.tif 000031
【図２６】
2013039142.tif 000032
【図２７】
2013039142.tif 000033
【図２８】
2013039142.tif 000034
【図２９】
2013039142.tif 000035
【図３０】
2013039142.tif 000036
【図３１】
2013039142.tif 000037
【図３２】
2013039142.tif 000038
【図３３】
2013039142.tif 000039
【図３４】
2013039142.tif 000040
【図３５】
2013039142.tif 000041
【図３６】
2013039142.tif 000042
【図３７】
2013039142.tif 000043
【図３８】
2013039142.tif 000044
【図３９】
2013039142.tif 000045
【図４０】
2013039142.tif 000046
【図４１】
2013039142.tif 000047
【図４２】
2013039142.tif 000048
【図４３】
2013039142.tif 000049
【国際調査報告】
2013039142.tif 000050
2013039142.tif 000051
2013039142.tif 000052
2013039142.tif 000053